(57)【要約】【課題】遊技施設において遊技盤および前扉を交換するときの交換作業性を向上できると共に、遊技盤の盤面のメンテナンス性を確保できる遊技機を提供すること。【解決手段】内枠４（背面ユニット）の左右一方側の上下方向を回動軸として、内枠４に対して開閉可能かつ着脱可能に前面ユニット２００の前扉２０５が支持され、その前扉２０５に遊技盤２３０が支持される。前面ユニット２００を内枠４に対して交換可能にできるので、遊技施設において遊技盤２３０及び前扉２０５を交換するときの交換作業性を向上できる。また、遊技盤２３０の一側縁部が回動軸から所定の距離だけ離間され、遊技盤２３０のそれ以上の離間が規制される。前扉２０５の背面に沿って遊技盤２３０の一側縁部を回動軸から離間することで、回動軸から離間された分だけ遊技盤２３０の盤面のメンテナンスを行い易くできる。【選択図】図１７
2014008291.tif 000002
【特許請求の範囲】
【請求項１】
島設備に固定される矩形枠状の枠部材と、払出装置が取り付けられ前記枠部材に支持される背面ユニットと、その背面ユニットの前面側に配設される前面ユニットとを備える遊技機であって、
前記前面ユニットは、
前記背面ユニットの左右一方側の上下方向を回動軸として前記背面ユニットに対して開閉可能かつ着脱可能に支持されると共に、前方から後方を視認可能とする透視窓部が設けられる前扉と、
その前扉の背面側に前記前扉に対して支持されると共に前記前扉の前方から前記透視窓部を通して盤面が視認されるように前記回動軸側に一側縁部が配設される遊技盤と、
前記回動軸を中心に前記背面ユニットに対して前記前扉が開放されたときに前記遊技盤の一側縁部を前記回動軸から離間可能に構成される離間手段と、
その離間手段により一側縁部が所定の距離だけ離間された位置で前記遊技盤の前記回動軸からの離間を規制する離間規制手段とを備えていることを特徴とする遊技機。
【請求項２】
前記遊技盤は、前記回動軸を中心に前記背面ユニットに対して前記前扉が開放されたときに、前記遊技盤の一側縁部と前記回動軸とが離間するように前記前扉の背面に沿って左右方向にスライド可能に構成され、且つ、前記遊技盤の一側縁部と前記回動軸とが所定の距離だけ離間した位置で前記前扉に対して前記遊技盤の一側縁部側の上下方向を中心に回動可能に構成されていることを特徴とする請求項１記載の遊技機。
【請求項３】
前記離間規制手段は、前記遊技盤の一側縁部側の上下にそれぞれ設けられる係合部を備え、
前記離間手段は、前記前扉の背面側の上下に配設されると共に左右方向に延び前記遊技盤を左右方向にスライド可能に支持する遊技盤スライド支持部を備え、
その遊技盤スライド支持部は、前記遊技盤の一側縁部と前記回動軸とが所定の距離だけ離間したときに前記遊技盤に設けられた係合部と係合し前記遊技盤スライド支持部に対して前記遊技盤を回動可能に支持する被係合部を備えていることを特徴とする請求項２記載の遊技機。
【請求項４】
前記遊技盤は、前記背面ユニットに対して前記前扉が開放されたときに、前記前扉の左右他方側に前記遊技盤の一側縁部側が支持され、且つ、前記背面ユニットの左右他方側に前記遊技盤の他側縁部側が支持されることで前記背面ユニット及び前記前扉に固定されることを特徴とする請求項１から３のいずれかに記載の遊技機。
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。パチンコ機は、島設備に固定され外郭部を形成する外枠と、その外枠の内側に配置される内枠と、その内枠に装着される遊技盤と、その遊技盤の前面に配設されると共に外枠や内枠に対して上下のヒンジを中心に開閉可能に支持される前扉とを主に備えて構成されている。内枠の背面側に裏機構盤と称される機構セット盤が取り付けられてパチンコ機が形成される。
【０００３】
裏機構盤は、遊技盤における入賞状態に応じて遊技球を払い出す球払出機構、遊技盤から排出された遊技球を機体の外部に排出する遊技済み球排出機構が設けられると共に、パチンコ機の作動を制御する電源基板や球払出制御基板、主制御基板などの各種回路基板が、不正改造されないように基板ケースに収められた状態で、遊技盤の背面側に着脱可能に取り付けられる。
【０００４】
パチンコ機では、球払出機構や遊技済み球排出機構、機体のベースとなる内枠は一定期間一定の仕様で設定される一方、遊技盤は、製造工場における生産機種の変更や遊技施設における所謂盤面換えのためにしばしば交換される。この遊技盤の交換を容易に行うことができるように、遊技盤は、内枠に着脱可能に装着されている（特許文献１）。また、前扉は内枠に着脱可能に支持されているので、遊技盤の交換に合わせて、遊技盤の仕様に応じた前扉に交換される。
【先行技術文献】
【特許文献】
【０００５】
【特許文献１】特開２００６−２３０９１６号公報
【発明の概要】
【発明が解決しようとする課題】
【０００６】
しかしながら、上記のような遊技機では、遊技盤および前扉は内枠に別々に支持されるので、遊技施設では、遊技盤および前扉を内枠に対して各々交換しなければならなかった。そのため、遊技盤および前扉の交換作業が煩雑であった。
【０００７】
本発明は、上記例示した問題点等を解決するためになされたものであり、遊技施設において遊技盤および前扉を交換するときの交換作業性を向上できると共に、遊技盤の盤面のメンテナンス性を確保できる遊技機を提供することを目的としている。
【課題を解決するための手段】
【０００８】
この目的を達成するために請求項１記載の遊技機は、島設備に固定される矩形枠状の枠部材と、払出装置が取り付けられ前記枠部材に支持される背面ユニットと、その背面ユニットの前面側に配設される前面ユニットとを備えるものであって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の背面側に前記前扉に対して支持されると共に前記前扉の前方から前記透視窓部を通して盤面が視認されるように前記回動軸側に一側縁部が配設される遊技盤と、前記回動軸を中心に前記背面ユニットに対して前記前扉が開放されたときに前記遊技盤の一側縁部を前記回動軸から離間可能に構成される離間手段と、その離間手段により一側縁部が所定の距離だけ離間された位置で前記遊技盤の前記回動軸からの離間を規制する離間規制手段とを備えている。
【０００９】
請求項２記載の遊技機は、請求項１記載の遊技機において、前記遊技盤は、前記回動軸を中心に前記背面ユニットに対して前記前扉が開放されたときに、前記遊技盤の一側縁部と前記回動軸とが離間するように前記前扉の背面に沿って左右方向にスライド可能に構成され、且つ、前記遊技盤の一側縁部と前記回動軸とが所定の距離だけ離間した位置で前記前扉に対して前記遊技盤の一側縁部側の上下方向を中心に回動可能に構成されている。
【００１０】
請求項３記載の遊技機は、請求項２記載の遊技機において、前記離間規制手段は、前記遊技盤の一側縁部側の上下にそれぞれ設けられる係合部を備え、前記離間手段は、前記前扉の背面側の上下に配設されると共に左右方向に延び前記遊技盤を左右方向にスライド可能に支持する遊技盤スライド支持部を備え、その遊技盤スライド支持部は、前記遊技盤の一側縁部と前記回動軸とが所定の距離だけ離間したときに前記遊技盤に設けられた係合部と係合し前記遊技盤スライド支持部に対して前記遊技盤を回動可能に支持する被係合部を備えている。
【００１１】
請求項４記載の遊技機は、請求項１から３のいずれかに記載の遊技機において、前記遊技盤は、前記背面ユニットに対して前記前扉が開放されたときに、前記前扉の左右他方側に前記遊技盤の一側縁部側が支持され、且つ、前記背面ユニットの左右他方側に前記遊技盤の他側縁部側が支持されることで前記背面ユニット及び前記前扉に固定される。
【発明の効果】
【００１２】
本発明によれば、遊技施設において遊技盤および前扉を交換するときの交換作業性を向上できると共に、遊技盤の盤面のメンテナンス性を確保できる。
【図面の簡単な説明】
【００１３】
【図１】一実施の形態におけるパチンコ機の正面図である。
【図２】パチンコ機の主要な構成を展開して示す斜視図である。
【図３】第１実施の形態における前面ユニットの分解斜視図である。
【図４】遊技盤の斜視図である。
【図５】遊技盤を支持した遊技盤支持部材の斜視図である。
【図６】前面ユニットの斜視図である。
【図７】第１開放規制機構および第１操作部の斜視図である。
【図８】前扉に対して開放が規制された遊技盤支持部材の斜視図である。
【図９】前扉に対して開放が規制された遊技盤支持部材の斜視図である。
【図１０】ヒンジの分解斜視図である。
【図１１】（ａ）は内枠に対して前扉を開放したときの模式図であり、（ｂ）は前扉に対して遊技盤を開放したときの模式図であり、（ｃ）は前扉に対して遊技盤を開放したときの模式図である。
【図１２】（ａ）は施錠機構により外枠に対して内枠の開放が規制された状態を示す模式図であり、（ｂ）は施錠機構により内枠に対して前扉の開放が規制された状態を示す模式図である。
【図１３】第２実施の形態における前面ユニットの遊技盤支持部材の斜視図である。
【図１４】第３実施の形態における前面ユニットの遊技盤支持部材の斜視図である。
【図１５】（ａ）は第４実施の形態における前面ユニットの遊技盤支持部材の斜視図であり、（ｂ）は遊技盤を固定した遊技盤支持部材の部分図である。
【図１６】（ａ）は第５実施の形態における前面ユニットの遊技盤および遊技盤支持部材の斜視図であり、（ｂ）は遊技盤に固定された遊技盤支持部材の断面図である。
【図１７】（ａ）は第６実施の形態における前面ユニットの前扉の斜視図であり、（ｂ）は遊技盤の斜視図である。
【図１８】（ａ）はロック装置の側面図であり、（ｂ）はロック装置の正面図であり、（ｃ）はロック装置の背面図である。
【図１９】前扉に遊技盤が装着された前面ユニットの斜視図である。
【図２０】前扉に遊技盤が装着された前面ユニットの斜視図である。
【図２１】前扉に対して遊技盤を回動する状態を示す前面ユニットの平面図である。
【図２２】前扉と背面ユニットとの間に遊技盤を固定した前面ユニットの斜視図である。
【図２３】第７実施の形態における前面ユニットの斜視図である。
【図２４】前面ユニットの背面図である。
【図２５】前扉に対して遊技盤を回動する状態を示す前面ユニットの平面図である。
【図２６】第８実施の形態における前面ユニットの前扉および遊技盤支持部材の斜視図である。
【図２７】遊技盤の斜視図である。
【図２８】第９実施の形態における前面ユニットの上側ヒンジ装置の部分拡大図である。
【図２９】伸長した上側ヒンジ装置の斜視図である。
【図３０】収縮した上側ヒンジ装置の斜視図である。
【図３１】下側ヒンジ装置の断面図である。
【図３２】上側ヒンジ装置を伸長した前面ユニットの部分拡大図である。
【図３３】第１０実施の形態における前面ユニットの斜視図である。
【図３４】ヒンジ装置の斜視図である。
【図３５】ヒンジ装置を収縮した前面ユニットの断面図である。
【図３６】ヒンジ装置を伸長した前面ユニットの断面図である。
【図３７】第１１実施の形態における前面ユニットの斜視図である。
【発明を実施するための形態】
【００１４】
以下、遊技機の一種であるパチンコ遊技機（以下、「パチンコ機」という）の一実施の形態を、図面に基づいて詳細に説明する。図１は一実施の形態におけるパチンコ機１の正面図であり、図２はパチンコ機１の主要な構成を展開して示す斜視図である。なお、図２では便宜上パチンコ機１の遊技領域ＰＥ内の構成を省略している。
【００１５】
パチンコ機１は、パチンコ機１の外殻を形成する外枠２（枠部材）と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技施設に設置される。
【００１６】
遊技機主部３は、ベース体としての内枠４（背面ユニット）と、その内枠４の前方に配置される前扉５と、内枠４の後方に配置される裏パックユニット６とを備えている。遊技機主部３のうち内枠４が外枠２に対して回動可能に支持されている。詳細には、パチンコ機１の正面視で左側を回動基端側、右側を回動先端側として、内枠４が回動基端側の上下方向を回動軸として外枠２に対して前方へ回動可能とされている。
【００１７】
内枠４には、図２に示すように、前扉５が回動可能に支持されている。詳細には、正面視で左側を回動基端側とし右側を回動先端側として、前扉５が回動基端側の上下方向を回動軸として内枠４に対して前方へ回動可能とされている。また、内枠４には、裏パックユニット６が回動可能に支持されており、正面視で左側を回動基端側とし右側を回動先端側として後方へ回動可能とされている。
【００１８】
次に、前扉５について説明する。図２に示すように、前扉５は内枠４における前面側のほぼ全域を覆うようにして設けられている。前扉５には後述する遊技領域ＰＥのほぼ全域を前方から視認することができるようにした窓部７が形成されている。窓部７は、上方が円弧状に湾曲し、下方が下窄まりの台形形状をなし、透明性を有するガラス８が嵌め込まれている。
【００１９】
より詳しくは、前扉５は、窓部７を囲むようにして設けられたガラスホルダ９を有している。ガラスホルダ９は、前扉５の背面から後方に張り出しており、窓部７の左右の縁部に沿って上下に延びる縦ホルダ部９ａ，９ｂとそれら両縦ホルダ部９ａ，９ｂの下端部を繋いで左右に延びる横ホルダ部９ｃとを有してなる。各ホルダ部９ａ〜９ｃには、前後に並設された２条の溝部が形成されている。縦ホルダ部９ａ，９ｂの溝部は上方及び互いに向き合う側（すなわち窓部７の中央側）に開放されており、横ホルダ部９ｃの溝部は、上方に開放されているとともに、両縦ホルダ部９ａ，９ｂの溝部に対して連なっており、それら各溝部に対してガラス８が嵌まることで、遊技領域ＰＥが内外２重に覆われた状態となっている。
【００２０】
図１に示すように窓部７の周囲には、各種ランプ等の発光手段が設けられている。例えば、窓部７の周縁に沿ってＬＥＤ等の発光手段を内蔵した環状電飾部１０が設けられている。環状電飾部１０では、大当たり時や所定のリーチ時等における遊技状態の変化に応じて点灯や点滅が行われる。また、環状電飾部１０の中央であってパチンコ機１の最上部には所定のエラー時に点灯するエラー表示ランプ部１１が設けられ、窓部７の左右両側には賞球払出中に点灯する賞球ランプ部１２が設けられている。また、中央のエラー表示ランプ部１１に近接した位置には、遊技状態に応じた効果音などが出力されるスピーカ部１３が設けられている。
【００２１】
前扉５における窓部７の下方には、手前側へ膨出した上側膨出部１４と下側膨出部１５とが上下に並設されている。上側膨出部１４内側には上方に開口した上皿１６が設けられており、下側膨出部１５内側には同じく上方に開口した下皿１７が設けられている。上皿１６は、内枠４に取り付けられた払出装置（図示せず）より払い出された遊技球を一旦貯留し、一列に整列させながら遊技球発射機構３２（後述する）側へ導くための機能を有する。また、下皿１７は、上皿１６内にて余剰となった遊技球を貯留する機能を有する。
【００２２】
下側膨出部１５の右方には、手前側へ突出するようにして遊技球発射ハンドル１８が設けられている。遊技球発射ハンドル１８が操作されることにより、後述する遊技球発射機構３２から遊技球が発射される。遊技球発射ハンドル１８の上方には、前扉５の厚さ方向（図１紙面垂直方向）に貫通する円形状の貫通孔１９が形成されている。貫通孔１９から、内枠４の右側部に設けられ前方に向かって突き出すシリンダ錠３９の先端が露呈する。
【００２３】
前扉５の背面には、図２に示すように、通路形成ユニット２０が取り付けられている。通路形成ユニット２０は、合成樹脂により成形されており、上皿１６に通じる前扉側上皿通路２１と、下皿１７に通じる前扉側下皿通路２２とが形成されてなる。通路形成ユニット２０において、その上側隅部には後方に突出し上方に開放された受口部２３が形成されており、当該受口部２３を仕切壁２４によって左右に仕切ることで前扉側上皿通路２１と前扉側下皿通路２２の入口部分とが形成されている。前扉側上皿通路２１及び前扉側下皿通路２２は上流側が遊技球分配部（図示せず）に通じており、前扉側上皿通路２１に入った遊技球は上皿１６に導かれ、前扉側下皿通路２２に入った遊技球は下皿１７に導かれる。
【００２４】
前扉５の背面における回動先端側（図２の左側）には、図２に示すように、後方に延びる鉤受け部材２６（２６ａ〜２６ｃ）が上下方向に複数並設されている。これら鉤受け部材２６は内枠４に対する前扉５の施錠機構を構成する。また、内枠４の回動先端側（図２の右側）と相対する外枠２の右側部には、鉤受け部材２ａ，２ｂが外枠２の上部および下部にそれぞれ配設されている。これら鉤受け部材２ａ，２ｂは外枠２に対する内枠４の施錠機構を構成する。
【００２５】
内枠４は、外形が外枠２とほぼ同一形状をなす樹脂ベース３０を主体に構成されている。樹脂ベース３０前面の略中央部分には、遊技盤４０を収容する遊技盤収容部３１が形成されている。遊技盤収容部３１は、樹脂ベース３０の背面側（後方）に凹み、遊技盤４０を収容する収容空間を区画しており、前扉５に取り付けられた遊技盤４０がその空間に収容された状態となる。遊技盤４０は、木製の合板とその合板における前側の板面を覆うシート材とを有してなり、その前面が樹脂ベース３０の正面側に露出している。この露出している部位、すなわち遊技盤４０の前面には、遊技球が流下する遊技領域ＰＥが形成されている。
【００２６】
遊技盤４０には、ルータ加工が施されることによって自身の厚さ方向（前後方向）に貫通する大小複数の開口が形成されている。各開口には、一般入賞口、可変入賞装置、作動口、スルーゲート及び可変表示ユニット等がそれぞれ設けられている。一般入賞口、可変入賞装置及び作動口に遊技球が入ると、それら遊技球が検知スイッチにより検知され、その検知結果に基づいて所定数の賞球の払い出しが実行される。その他に、遊技盤４０の最下部にはアウト口４１が設けられており、各種入賞口等に入らなかった遊技球はアウト口４１を通って遊技領域ＰＥから排出される。
【００２７】
また、遊技盤４０には、遊技球の流下経路を適宜分散，調整等するために多数の釘が植設されているとともに、風車等の各種部材（役物）が配設されている。これら釘や風車等の各種構成（図示せず）によって、遊技球の流下経路が分化され、上述した一般入賞口等への入賞が適度な確立で発生するように調整されている。
【００２８】
ここで、樹脂ベース３０における遊技盤収容部３１の下方には、遊技球発射ハンドル１８（図１参照）の操作に基づいて遊技領域ＰＥへ遊技球を発射する遊技球発射機構３２が設けられている。より詳しくは、樹脂ベース３０において遊技盤収容部３１の下方には遊技球発射機構３２を設置する発射機構設置部３３が形成されている。なお、遊技球発射ハンドル１８は、前扉５（図２参照）に設けられる。
【００２９】
発射機構設置部３３に設置された遊技球発射機構３２は、内枠４の回動先端寄りに位置している。遊技球発射機構３２は、所定の発射待機位置に配置された遊技球を打ち出すソレノイドと、同ソレノイドによって打ち出された遊技球の発射方向を規定する発射レールと、上記発射待機位置に遊技球を供給する球送り機構と、それら各種構成が装着されているベースプレートとを主要な構成として備えており、同ベースプレートが樹脂ベース３０に対してネジ止めされることで内枠４に対して一体化されている。
【００３０】
遊技球発射機構３２（詳しくはソレノイド）は、電源及び発射制御装置（図示せず）に対して電気的に接続されている。その電源及び発射制御装置からの電気的な信号の出力に基づいてソレノイドの出力軸が伸縮方向、すなわち発射レールのレール方向に移動し、発射待機位置に置かれた遊技球が遊技領域ＰＥ、詳しくは遊技盤４０に装着された誘導レール４２に向けて打ち出される。
【００３１】
誘導レール４２は、遊技球を誘導すると共に遊技領域ＰＥを区画するための部材である。誘導レール４２は、遊技球の直径よりも若干大きな隙間を隔てて対峙するように配置された２つのレールで挟まれた領域によって遊技球の案内通路４２ａが形成されている。案内通路４２ａは、発射レールの先端側（遊技盤４０の下端側）に開放された入口部分４２ｂと、遊技領域ＰＥの上部に位置する出口部分４２ｃとを有している。ソレノイドの動作に基づいて遊技球発射機構３２から発射された遊技球は、発射レール（内枠４）→案内通路４２ａ（入口部分４２ｂ→出口部分４２ｃ）の順に移動することにより、誘導レール４２で区画された遊技盤４０の遊技領域ＰＥに導かれる。
【００３２】
内枠４に配設された発射レール（遊技球発射機構３２）と誘導レール４２は、誘導レール４２の入口部分４２ｂと発射レールの先端部分とが遊技盤４０の下端縁を挟んで斜めに対峙するように配置されている。つまり、それら両レールは、誘導レール４２の入口部分４２ｂ（詳しくは特定部位）と発射レールの先端部分とが遊技盤４０の下端縁近傍にて左右にずれるようにして配置されている。これにより両レールを遊技盤４０の下端縁に近づけつつ、誘導レール４２の入口部分４２ｂと発射レールとの間には所定間隔の隙間が形成されている。
【００３３】
このようにして形成された隙間よりも下側にはファール球通路２５（図２参照）が配設されている。ファール球通路２５は前扉５の通路形成ユニット２０に一体成形されている。仮に、遊技球発射機構３２から発射された遊技球が遊技領域ＰＥまで至らずファール球として案内通路４２ａ内を逆戻りする場合には、ファール球が上記隙間を介してファール球通路２５内に入ることとなる。ファール球通路２５は前扉側下皿通路２２に通じており、ファール球通路２５に入った遊技球は、図１に示した下皿１７に排出される。これにより、ファール球と次に発射される遊技球との干渉が抑制される。
【００３４】
樹脂ベース３０において発射レールの左方には、樹脂ベース３０を前後方向に貫通させて通路形成部３４が設けられている。通路形成部３４には本体側上皿通路と本体側下皿通路とを有してなり、それら本体側上皿通路及び本体側下皿通路の上流側は、遊技球分配部に通じている。また、通路形成部３４の下方には前扉５に取り付けられた通路形成ユニット２０の受口部２３が入り込んでおり、本体側上皿通路の下方には前扉側上皿通路２１が配置され、本体側下皿通路の下方には前扉側下皿通路２２が配置されている。
【００３５】
内枠４及び遊技盤４０の背面には、各種制御基板が上下左右に並べられるようにして又は前後に重ねられるようにして配置されており、さらに遊技球を供給するための遊技球供給装置や合成樹脂製の保護カバー３５等が取着されている。即ち、保護カバー３５の最上部には上方に開口したタンク３６が設けられており、このタンク３６には遊技施設の島設備から供給される遊技球が逐次補給される。そして、払出モータ（図示せず）等の所定の電気的構成により必要個数の遊技球の払出が適宜行われる。払出装置より払い出された遊技球は払出通路等を通じて上皿１６（図１参照）に供給される。
【００３６】
内枠４の前面における回動基端側（図２の左側）には、その上端部および下端部に支持金具３７が取り付けられている。支持金具３７にはピン３７ｄが突設されている。一方、外枠２の前面における回動基端側（図２の左側）には、支持金具３７と相対する位置に受金具３８が取り付けられている。受金具３８には軸孔３８ｃ（後述する）が形成されており、それら軸孔３８ｃに支持金具３７のピン３７ｄが挿入され、そのピン３７ｄの先端は、前扉５の上端部および下端部に形成された軸孔５ｂ（後述する）に挿入される。これによりピン３７ｄを回動軸として、外枠２に対して内枠４及び前扉５が開閉可能に支持されている。
【００３７】
次に図３を参照して、前面ユニット１００について説明する。図３は第１実施の形態における前面ユニット１００の分解斜視図である。前面ユニット１００は、前扉５に対して遊技盤４０を開閉可能に支持するためのユニットであり、前扉５と、遊技盤４０と、その遊技盤４０を前扉５に対して開閉可能に支持する遊技盤支持部材５０とを備えている。まず、遊技盤支持部材５０について説明する。
【００３８】
遊技盤支持部材５０は遊技盤４０を支持するための部材であり、板材によって矩形枠状に形成されている。側板５１は、遊技盤４０の側縁４０ａ（図４参照）が対面する部位であり、上下に長く前後に短い矩形の板状部材により形成されている。側板５１は、前側の側縁の上下方向に沿って左右一方向（図３右側）に第１前板５２ａが突設され、側板５１の後側の側縁の上下方向に沿って左右一方向に第１背板５３が突設されている。側板５１、第１前板５２ａ及び第１背板５３は、それらが連成されることにより断面コ字状に形成されている。
【００３９】
第１前板５２ａは、第１前板５２ａと直交して上端部および下端部からそれぞれ前方に向かって平板状の上部金具５４及び下部金具５５が突設されている。上部金具５４及び下部金具５５は、それぞれ下向きのピン５４ａ，５５ａが突設される部位である。このピン５４ａ，５５ａが前扉５に対して遊技盤支持部材５０が開閉するときの回動軸を構成する。
【００４０】
第２前板５２ｂは、第１前板５２ａに対して直交するように第１前板５２ａの下部から左右一方向（図３右側）に突設される部材であり、第２前板５２ｂの下部から後方に向けて第１底板５６及び第２底板５７が突設されている。第１底板５６及び第２底板５７は、遊技盤４０の下縁を支持するための部位であり、第１底板５６の端縁５６ｂ及び第２底板５７の端縁５７ａが所定の間隔をあけて配置され、第１底板５６の回動軸側の端縁５６ａは、平面視してピン５５ａに対し左右一方向側に位置している。
【００４１】
第１底板５６及び第２底板５７の後側の側縁から上向きに第２背板５８が突設されている。第１底板５６及び第２底板５７は第２背板５８により連結されている。第１底板５６、第２前板５２ｂ及び第２背板５８は、それらが連成されることにより断面コ字状に形成されている。また、第２底板５７、第２前板５２ｂ及び第２背板５８は、それらが連成されることにより断面コ字状に形成されている。第１底板５６の端縁５６ｂ、第２底板５７の端縁５７ａ、第２前板５２ｂ及び第２背板５８で囲まれたところに、開放領域ｈが形成されている。
【００４２】
第３前板５２ｃは、第１前板５２ａに対して直交すると共に第２前板５２ｂに対して平行となるように第１前板５２ａの上部から左右一方向（図３右側）に突設される部材である。第３前板５２ｃ及び第２前板５２ｂは、左右一方向の端部間に第４前板５２ｄが連結されている。なお、第１前板５２ａ，第２前板５２ｂ，第３前板５２ｃ及び第４前板５２ｄは同一平面上に位置し、それらが連設された額縁状の一部材（前板５２）として形成されている。その第４前板５２ｄの上下方向に沿って縦板５９が前方に突設されている。縦板５９は、上部、中央部および下部の３か所から鉤部６０が突設されている。鉤部６０は、前扉５に対する遊技盤支持部材５０の開放規制機構を構成する。
【００４３】
天板６１は、第３前板５２ｃの上部から後方に向けて突設される板状の部材である。天板６１は、第１底板５６及び第２底板５７に対して平行となるように配置され、天板の後側の側縁から下向きに第３背板６２が突設されている。天板６１、第３前板５２ｃ及び第３背板６２は、それらが連成されることにより断面コ字状に形成されている。天板６１の回動軸側の端縁６１ａは、平面視してピン５４ａに対し左右一方向側（図３右側）に位置している。
【００４４】
なお、側板５１の下部側には、コネクタ６３が配置されている。コネクタ６３（第１コネクタ）は、内枠４に取り付けられた球払出制御基板や電源基板等の各種制御基板に設けられた電気回路（図示せず）と電気的に導通する配線が、側板５１の裏側で接続される部品である。その配線が接続されるコネクタ６３の端子は、第１底板５６及び第２底板５７の長手方向（横方向）と平行に、左右他方向（縦板５９側、図３右側）を向いて露出している。
【００４５】
前扉５は、背面の左右一方向側（回動基端側、図３右側）の上下２か所に、上向きの受け部７０，７１が形成されている。受け部７０，７１は、遊技盤支持部材５０の第１前板５２ａの上下に突設された上部金具５４及び下部金具５５と接する部位であり、受け部７０，７１の大きさ及び位置は、上部金具５４及び下部金具５５の大きさ及び位置に合わせて設定されている。受け部７０，７１間の距離（上下方向）は、上部金具５４及び下部金具５５間の距離（上下方向）と同一に設定されている。受け部７０，７１には、それぞれ、ピン５４ａ，５５ａが挿入される孔部（図示せず）が形成されている。
【００４６】
従って、受け部７０，７１のそれぞれに形成された孔部の上方に上部金具５４及び下部金具５５を位置させた後、上部金具５４及び下部金具５５を下降させつつ孔部にピン５４ａ，５５ａを挿入することにより、ピン５４ａ，５５ａを回動軸として前扉５に対し遊技盤支持部材５０を開閉可能にできる。
【００４７】
また、ピン５４ａ，５５ａは、受け部７０，７１に形成された孔部（図示せず）に挿脱可能に構成されているので、前扉５に対し遊技盤支持部材５０を着脱可能にできる。これにより、前扉５及び遊技盤４０を別のものと交換する場合には、別の前扉に形成された受け部の寸法等に変わりがなければ、遊技盤支持部材５０を前扉５から取り外して、交換する別の前扉に装着できる。その結果、前扉５及び遊技盤４０を別のものと交換する場合であっても、遊技盤支持部材５０は交換することなく、別の前扉に取り付けて繰り返し使用できる。
【００４８】
前扉５は、左右他方向側（回動先端側、図３左側）の側縁に、後方に延びる鉤受け部材２６（２６ａ〜２６ｃ）が上下方向に複数並設されている。鉤受け部材２６は、上下方向に延びる縦板２７によって連結されており、鉤受け部材２６ａ，２６ｂ間には縦板２７から後方に向かって爪片２８が突設されている。また、縦板２７と前扉５の側縁との間には、上下方向に延びる摺動杆８０が配設されている。摺動杆８０は、遊技盤支持部材５０に設けられた鉤部６０が進入して前扉５に対する遊技盤支持部材５０の開放を規制するための部材である。摺動杆８０の詳細な構成については後述する。
【００４９】
次に図４を参照して遊技盤４０について説明する。図４は遊技盤４０の斜視図である。遊技盤４０は、誘導レール４２により遊技領域ＰＥが区画されている。遊技盤４０は、内枠４や前扉５等と共にパチンコ機１が構成された状態では、誘導レール４２で区画された遊技領域ＰＥの下部に位置する下部領域４３から、遊技球が盤面に進入する。下部領域４３に進入した遊技球は、誘導レール４２の入口部分４２ｂから出口部分４２ｃを経て遊技領域ＰＥに導入される。遊技盤４０は、盤面の下縁から前方に向かって下部領域４３の左右両側に突設される下部突設部４４，４５と、盤面の上縁から前方に向かって盤面の左右に亘って突設される上部突設部４６とを備えている。
【００５０】
下部突設部４４，４５は、遊技盤支持部材５０に支持される遊技盤４０の安定性（スライド移動の安定性）を向上させるための部位であり、厚さ（前後方向）を遊技盤４０の盤面の厚さよりも大きくするために設けられる。下部突設部４４，４５の厚さ（前後方向）は、遊技盤４０の盤面の厚さと誘導レール４２の高さとを加えた大きさよりわずかに大きく設定され、遊技盤支持部材５０の第２前板５２ｂ及び第２背板５８の間隔よりわずかに小さく設定されている。また、下部突設部４４，４５の長さ（左右方向）は、下部領域４３を通過する遊技球の進行を阻害しないような範囲に設定されている。下部突設部４４は、遊技盤支持部材５０の第１底板５６に載置される部位であり、下部突設部４５は第２底板５７に載置される部位である。
【００５１】
下部突設部４４は、底面から出没可能に構成された突起４７が端縁４４ａ近くに下方に向けて突設されている。突起４７は、弾性部材（図示せず）により下方に向かって突出するように付勢されており、その弾性部材による付勢力に抗する力が付与されることで、下部突設部４４の底面と少なくとも同一面となるまで下部突設部４４内に没入される。
【００５２】
上部突設部４６は、厚さ（前後方向）を遊技盤４０の盤面の厚さよりも大きくするために設けられる部位である。これにより、遊技盤４０を搬送するときや遊技盤支持部材５０に支持させるとき等に、上部突設部４６に手の指を掛けて持ち運んだり持ち上げたりし易くできる。なお、上部突設部４６の厚さ（前後方向）は、遊技盤４０の盤面の厚さと誘導レール４２の高さとを加えた大きさよりわずかに大きく設定され、遊技盤支持部材５０の第３前板５２ｃ及び第３背板６２の間隔よりわずかに小さく設定されている。
【００５３】
下部突設部４４，４５の底面から上部突設部４６の天面までの高さは、遊技盤支持部材５０の第１底板５６、第２底板５７から天板６１までの高さよりわずかに小さめに設定されている。また、下部突設部４４の端縁４４ａから下部突設部４５の端縁４５ｂまでの長さ、及び、上部突設部４６の端縁４６ａ，４６ｂ間の長さは、遊技盤支持部材５０の側板５１から第２底板５７の端縁５７ｂまでの長さ、及び、側板５１から天板６１の端縁６１ｂまでの長さと略同一の長さに設定されている。
【００５４】
上部突設部４６は、天面から出没可能に構成された突起４８が端縁４６ａ近くに上方に向けて突設されている。突起４８は、弾性部材（図示せず）により上方に向かって突出するように付勢されており、その弾性部材による付勢力に抗する力が付与されることで、上部突設部４６の天面と少なくとも同一面となるまで上部突設部４６内に没入される。
【００５５】
突起４８は、端縁４６ａから端縁４６ｂに向かうにつれ上部突設部４６の天面から次第に上昇傾斜する面を有する第１傾斜部４８ａと、第１傾斜部４８ａの傾斜角度より大きな角度で端縁４６ａから端縁４６ｂに向かうにつれ第１傾斜部４８ａから下降傾斜する面を有する第２傾斜部４８ｂとを備えて構成されている。なお、突起４７も、突起４８と同様に第１傾斜部４７ａ及び第２傾斜部４７ｂを備えて構成されているので説明を省略する。
【００５６】
なお、遊技盤４０の側縁４０ａの下部側には、コネクタ４９が配置されている。コネクタ４９（第２コネクタ）は、遊技盤４０に取り付けられた主基板等の各種制御基板に設けられた電気回路（図示せず）と電気的に導通する配線が、遊技盤４０の背面で接続される部品である。その配線が接続されたコネクタ４９の端子は、左右一方向（図４左側）を向いて露出されている。
【００５７】
また、遊技盤４０の側縁４０ｂ寄りの盤面の下部側には、盤面の厚さ方向に凹んだ若しくは貫通する凹部４０ｃが形成されている。凹部４０ｃは、遊技盤支持部材５０に支持された遊技盤４０を遊技盤支持部材５０から取り外すときに、手の指を掛けて遊技盤４０を遊技盤支持部材５０から引き抜き易くするための部位である。凹部４０ｃとコネクタ４９とを結ぶ直線（特に、コネクタ４９の上下方向の中心と凹部４０ｃの上下方向の中心とを結ぶ直線）と、下部突設部４４，４５の底面とが平行となるように、凹部４０ｃの位置が設定されている。
【００５８】
次に図３から図５を参照して、遊技盤４０と遊技盤支持部材５０との関係について説明する。図５は遊技盤４０を支持した遊技盤支持部材５０の斜視図である。上述したように、下部突設部４４，４５の底面から上部突設部４６の天面までの高さは、遊技盤支持部材５０の第１底板５６、第２底板５７から天板６１までの高さよりわずかに小さめに設定されている。また、下部突設部４４の端縁４４ａから下部突設部４５の端縁４５ｂまでの長さ、及び、上部突設部４６の端縁４６ａ，４６ｂ間の長さは、遊技盤支持部材５０の側板５１から第２底板５７の端縁５７ｂまでの長さ、及び、側板５１から天板６１の端縁６１ｂまでの長さと略同一の長さに設定されている。これにより、遊技機支持部材５０によれば、第２底板５７の端縁５７ｂ及び天板６１の端縁６１ｂ側から、第１底板５６、第２底板５７と天板６１との間に遊技盤４０を挿入できる。
【００５９】
上部突設部４６の厚さ（前後方向）は、遊技盤支持部材５０の第３前板５２ｃ及び第３背板６２の間隔よりわずかに小さく設定されており、下部突設部４４，４５の厚さ（前後方向）は、遊技盤支持部材５０の第２前板５２ｂ及び第２背板５８の間隔よりわずかに小さく設定されている。これにより、遊技盤４０の下部突設部４４，４５を、第２底板５７及び第１底板５６の上をガタつくことなく左右方向にスライドさせると共に、上部突設部４６を天板６１の下をガタつくことなく左右方向にスライドさせることができる。また、遊技盤４０をスライド移動させた後は、遊技盤支持部材５０内で遊技盤４０が前後方向にガタつくことを防止できる。
【００６０】
遊技盤４０の下部突設部４４及び上部突設部４６にそれぞれ突設された突起４７，４８は、下部突設部４４及び上部突設部４６にそれぞれ出没可能に構成されているので、遊技盤４０の側縁４０ａを遊技盤支持部材５０の側板５１に近づけるようにスライドさせるときには、第２底板５７及び第１底板５６、天板６１にそれぞれ押されて、下部突設部４４及び上部突設部４６にそれぞれ埋入される。これより、第２底板５７及び第１底板５６、天板６１で突起４７，４８が押されているときには、遊技盤４０のスライド移動が許容される。
【００６１】
なお、突起４７，４８は、遊技盤４０の側縁４０ａから側縁４０ｂに向かうにつれ、下部突設部４４及び上部突設部４６からそれぞれ小さい傾斜角で次第に上昇傾斜する傾斜面である第１傾斜部４７ａ，４８ａを備えている。よって、遊技盤支持部材５０の側板５１に近づけるように遊技盤４０をスライドさせる場合には、遊技盤４０をスライドさせる横方向荷重により、遊技盤支持部材５０の第２底板５７及び第１底板５６、天板６１にそれぞれ押されて、自然に下部突設部４４及び上部突設部４６に埋入する。
【００６２】
また、突起４７，４８は、遊技盤４０の側縁４０ａを遊技盤支持部材５０の側板５１に突き当てるようにしたときに、第１底板５６及び天板６１の回動軸側の端縁５６ａ，６１ａから離脱して、弾性部材（図示せず）の付勢力により第１底板５６及び天板６１より大きく突出するような位置に設けられている。詳細には、遊技盤４０のコネクタ４９と遊技盤支持部材５０のコネクタ６３とが接続されたときに、第１底板５６及び天板６１の回動軸側の端縁５６ａ，６１ａから離脱して、弾性部材（図示せず）の付勢力により第１底板５６及び天板６１から突出するような位置に設けられている。
【００６３】
突起４７，４８が第１底板５６及び天板６１よりも大きく突出した場合は、遊技盤４０を反対方向にスライドさせようとすると、第１底板５６及び天板６１の回動軸側の端縁５６ａ，６１ａに、突起４７，４８の第２傾斜面４７ｂ，４８ｂが当接する。第２傾斜面４７ｂ，４８ｂは、遊技盤４０の側縁４０ａから側縁４０ｂに向かうにつれ、第１傾斜部４７ａ，４８ａより大きい傾斜角で下部突設部４４及び上部突設部４６に向かって下降傾斜する傾斜面である。よって、第１底板５６及び天板６１の回動軸側の端縁５６ａ，６１ａに第２傾斜面４７ｂ，４８ｂが突き当たり、突起４７，４８は没入することなく突出した状態が維持される。従って、遊技盤４０を、突起４７，４８が突出する所定の位置までスライドさせた後は、遊技盤４０の反対方向のスライド（横方向移動）が規制される。
【００６４】
なお、突起４７，４８による遊技盤４０の反対方向のスライドの規制を解除するためには、手の指等を使って突起４７，４８を下部突設部４４及び上部突設部４６にそれぞれ押し込み、その間に遊技盤４０を反対方向にスライドさせれば良い。
【００６５】
コネクタ４９，６３は、遊技盤４０の側縁４０ａを遊技盤支持部材５０の側板５１に近づけるようにスライドさせると接続されるような位置に、それぞれ遊技盤４０の側縁４０ａ及び側板５１に設けられている。これにより、遊技盤支持部材５０に遊技盤４０をスライドさせて遊技盤４０の側縁４０ａを遊技盤支持部材５０の側板５１に突き当てるようにすることで、コネクタ４９，６３を接続させることが可能である。これによりコネクタ４９，６３間を配線で接続する等の付帯作業を省略することができ、配線の作業性を向上できる。
【００６６】
ここで、コネクタ４９，６３同士が接続された状態では、突起４７，４８による遊技盤４０の反対方向のスライドの規制を解除した場合であっても、遊技盤４０を反対方向にスライドさせることは困難である。コネクタ４９，６３同士が嵌合しているからである。そこで、遊技盤４０の下部側に形成された凹部４０ｃに手の指を掛け、遊技盤４０を反対方向にスライドさせる。凹部４０ｃは、コネクタ４９，６３と略同一の高さに形成されているので、コネクタ４９，６３に略水平方向の荷重を与えることができる。その結果、コネクタ４９，６３の端子をこじることなくコネクタ４９，６３の接続を解除できる。これにより、コネクタ４９，６３を損傷させることなく遊技盤４０を反対方向に容易にスライドさせることができる。
【００６７】
図５に示すように、下部突設部４４，４５及び上部突設部４６の高さ（上下方向）は、遊技盤支持部材５０の第２前板５２ｂ及び第３前板５２ｃの高さ（上下方向）と略同一の大きさに設定されている。遊技盤４０の遊技領域ＰＥは下部突設部４４，４５と上部突設部４６との間に形成されているので、上記のように第２前板５２ｂ及び第３前板５２ｃの高さを設定することにより、遊技盤支持部材５０の第２前板５２ｂ及び第３前板５２ｃが、遊技領域ＰＥを注視する遊技者の視野に入ることを防止できる。
【００６８】
また、遊技盤支持部材５０の第２前板５２ｂは、前扉５と内枠４との間に遊技盤４０を支持する遊技盤支持部材５０が配置されたときに、遊技球発射機構３２（図２参照）から発射される遊技球と干渉しない位置に配置されている。これにより、遊技球発射機構３２（図２参照）から発射される遊技球が、第２前板５２ｂに遮られて遊技領域ＰＥに導入されなくなることを防止できる。
【００６９】
なお、第２前板５２ｂを、透明で機械的強度の高いポリカーボネート等の合成樹脂で形成することにより、第２前板５２ｂが視認され難くなるので、遊技者に違和感を与えることを抑制できる。また、第２前板５２ｂを遊技者に視認できないようにするため、下部領域４３に位置する第２前板５２ｂの一部（第２前板５２ｂの中央付近）を省略することは可能である。下部領域４３に位置する第２前板５２ｂの一部を省略することにより、遊技球発射機構３２（図２参照）から発射される遊技球が、第２前板５２ｂに遮られて遊技領域ＰＥに導入されなくなることを防止できると共に、遊技者に違和感を与えることを防止できる。
【００７０】
遊技盤支持部材５０の第１前板５２ａ及び第４前板５２ｄは、誘導レール４２で区画された盤面の範囲外に位置するように幅（左右方向）が設定されている。これにより、遊技盤支持部材５０の第１前板５２ａ及び第４前板５２ｄが、遊技領域ＰＥを注視する遊技者の視野に入ることを防止できる。
【００７１】
遊技盤支持部材５０の第２底板５７の回動軸側の端縁５７ａ、及び、その端縁５７ａと対向する第１底板５６の端縁５６ｂは、遊技盤支持部材５０に装着された遊技盤４０の下部領域４３の左右方向の幅を狭めないようなところに配置される。具体的には、端縁５６ｂ，５７ａの位置は、遊技盤支持部材５０に装着された遊技盤４０の下部突設部４４，４５の下方に位置するように設定される。換言すれば、遊技盤支持部材５０の第２底板５７の端縁５７ａは、平面視して、遊技盤４０の下部突設部４５の端縁４５ａと端縁４５ｂとの間に位置する。これにより、遊技球発射機構３２（図２参照）から発射される遊技球が、第１底板５６及び第２底板５７に遮られて遊技領域ＰＥに導入されなくなることを防止できる。より好ましくは、遊技盤支持部材５０に形成された開放領域ｈの左右方向の幅と、遊技盤４０の下部領域４３の左右方向の幅とは同一の値に設定される。
【００７２】
次に図３、図４及び図６を参照して、前扉５に遊技盤４０を保持させるときの遊技盤支持部材５０の使用方法について説明する。図６は前面ユニット１００の斜視図である。図６に示すように前扉５の背面側に設けられた受け部７０，７１に、遊技盤支持部材５０の上部金具５４及び下部金具５５をそれぞれ取り付け、上部金具５４及び下部金具５５に突設されたピン５４ａ，５５ａを、受け部７０，７１に形成された孔部に挿入する。次いで、図示しないサポート金具を取り付けて、各受け部７０，７１から上部金具５４及び下部金具５５が外れないようにする。これにより前扉５に対し遊技盤支持部材５０を開閉可能に支持させることができる。
【００７３】
次に、島設備（図示せず）に固定された外枠２と、その外枠２に対して開閉可能に支持された内枠４とに、ヒンジ（後述する）を用いて前扉５を取着する。これにより遊技盤支持部材５０は、内枠４と前扉５との間に開閉可能に配置される。
【００７４】
ヒンジの回動軸を中心に外枠２に対して内枠４を回動させて外枠２に内枠４を収装し、ヒンジの回動軸を中心に内枠４に対して前扉５を回動させて、前扉５を内枠４に対して開放する。このときに、内枠４に設けられた電気回路（図示せず）を、コネクタ６３と電気的に導通した後述するコネクタ６４（図９参照）に接続する。
【００７５】
次いで、遊技盤支持部材５０の第２底板５７の高さに遊技盤４０の下部突設部４４が位置するまで遊技盤４０を持ち上げ、遊技盤４０の下部突設部４４を遊技盤支持部材５０の第２底板５７の上に載せる。遊技盤４０の下部突設部４４の端縁４４ａ付近を遊技盤支持部材５０の第２底板５７の端縁５７ｂ近くに載せた状態で、遊技盤４０の上部突設部４６を、第３前板５２ｃと第３背板６２との間に挿入する。遊技盤４０の下部突設部４４及び上部突設部４６を、遊技盤支持部材５０の第２底板５７及び天板６１の間に挿入し、遊技盤４０の側縁４０ａが遊技盤支持部材５０の側板５１に近づくように横方向にスライドさせる。
【００７６】
ここで、下部突設部４４及び上部突設部４６の厚さ（図６左右方向）は、遊技盤４０の誘導レール４２を含む厚さの最大値（盤面に配置された役物等の厚さを含む）より大きな値に設定されている。また、下部突設部４４の厚さ（図６左右方向）は、第２背板５８と縦板５９（背面側）との間隔より小さい値に設定されている。さらに、上部突設部４６の厚さ（図６左右方向）は、第３背板６２と縦板５９（背面側）との間隔より小さな値に設定されている。
【００７７】
これにより、第３背板６２と縦板５９との間に遊技盤４０の上部突設部４６を挿入しつつ、第２背板５８と縦板５９との間に遊技盤４０の下部突設部４４を挿入するときには、遊技盤支持部材５０に対する遊技盤４０の前後方向（図６左右方向）の位置を規制できる。よって、遊技盤４０の誘導レール４２や役物等が縦板５９と干渉して、誘導レール４２や役物等が破損したり設定が変わったりすることを防止できる。
【００７８】
次に、遊技盤４０を横方向にスライドさせて、突起４７，４８が、第２底板５７の端縁５７ｂ及び天板６１の端縁６１ｂにそれぞれ達すると、遊技盤４０をスライドさせる横方向荷重により、第２底板５７及び天板６１に突起４７，４８の第１傾斜部４７ａ，４８ａが押され、突起４７，４８が下部突設部４４及び上部突設部４６に埋入する。突起４７，４８は下部突設部４４及び上部突設部４６の横方向のスライド移動の障害にならないので、遊技盤４０を横方向にスライドさせ続けることができる。
【００７９】
突起４７が第２底板５７の端縁５７ａに達し、突起４７が第２底板５７から離脱すると、弾性部材（図示せず）の付勢力により突起４７が下部突設部４４から突出する。第２底板５７の端縁５７ａから第１底板５６の端縁５６ｂまでの間、遊技盤４０の下部突設部４４は、遊技盤支持部材５０の第１底板５６及び第２底板５７に支持されない状態となる。しかし、遊技盤支持部材５０の端縁５７ａから端縁５６ｂまでの距離（開放領域ｈの左右方向の幅）は、遊技盤４０の端縁４４ａから端縁４５ｂまでの距離より小さくなるように設定されており、また、遊技盤４０が開放領域ｈに倒れ込もうとしたときには、遊技盤支持部材５０の天板６１が遊技盤４０の上部突設部４６を上から支持する。これにより、遊技盤４０が、遊技盤支持部材５０の開放領域ｈへの倒れ込みを防止できる。その結果、遊技盤４０をさらに横方向にスライドさせ続けることができる。
【００８０】
次に、突起４７が第１底板５７の端縁５６ｂに達すると、遊技盤４０をスライドさせる横方向荷重により、第１底板５７に突起４７の第１傾斜部４７ａが押され、突起４７が下部突設部４４に埋入する。これにより、突起４７は遊技盤４０の横方向にスライドさせる障害とならない。
【００８１】
遊技盤４０の側縁４０ａに設けられたコネクタ４９及び遊技盤支持部材５０の側板５１に設けられたコネクタ６３は、上下方向および前後方向の位置を対応させているので、遊技盤４０を横方向にスライドさせてコネクタ４９，６３を突き合わせることで、コネクタ４９とコネクタ６３とを接続させることができる。これにより、コネクタ４９，６３間を配線でそれぞれ接続する配線作業を省略することができる。
【００８２】
突起４７，４８の位置ならびに第１底板５６及び天板６１の縁端５６ａ，６１ａの位置は、コネクタ４９とコネクタ６３とが接続されたときに、突起４７，４８が第１底板５６及び天板６１の端縁５６ａ，６１ａに達して、突起４７，４８が第１底板５６及び天板６１から離脱するように設定されている。突起４７，４８が第１底板５６及び天板６１から離脱すると、弾性部材（図示せず）の付勢力により突起４７，４８が下部突設部４４及び上部突設部４６より高く突出する。
【００８３】
遊技盤４０を反対方向にスライドさせようとすると、第１底板５６及び天板６１の回動軸側の端縁５６ａ，６１ａに、突起４７，４８の第２傾斜面４７ｂ，４８ｂが突き当たる。突起４７，４８を手の指等で押し下げなければ、突起４７，４８は突出した状態が維持されるので、コネクタ４９とコネクタ６３とが接続された後は、遊技盤４０の反対方向のスライド（横方向移動）が規制される。
【００８４】
以上のように構成される前面ユニット１００によれば、前扉５の受け部７０，７１及びピン５４ａ，５５ａを回動軸として、前扉５の背面側に遊技盤４０が開閉可能に支持される。これにより、島設備に固定される外枠２（枠部材）及び内枠４（背面ユニット）に対して前面ユニット１００を交換可能にすることができる。内枠４に取り付けられた前面ユニット１００では、前扉５に支持された遊技盤４０の盤面を、前扉５の前面からガラス８を通して視認できる。
【００８５】
従来より、パチンコ機１では、島設備に固定される矩形枠状の外枠２に、開閉可能に支持される内枠４を設け、その内枠４に遊技盤が着脱可能に支持されるものがある。その遊技盤を支持する内枠４の前面側に、前扉が開閉可能かつ着脱可能に支持されているので、遊技施設では、前扉を開いて内枠４から遊技盤を取り外し、意匠の異なる別の遊技盤に交換する所謂面換えを行うことができる。また、内枠４から前扉を取り外して、意匠の異なる別の遊技盤に対応した別の前扉に交換することも可能である。
【００８６】
しかし、遊技盤および前扉は内枠４に別々に支持されるので、遊技盤および前扉を遊技施設で交換する場合には、内枠４に対して遊技盤および前扉を各々交換しなければならなかった。そのため、遊技盤および前扉の交換作業が煩雑であった。
【００８７】
これに対し、前面ユニット１００によれば、遊技盤４０は前扉５に支持されており、前扉５は内枠４に着脱可能に支持される。よって、前面ユニット１００を交換することで遊技盤４０及び前扉５を交換できる。従って、遊技施設において、遊技盤４０及び前扉５を交換するときの交換作業性を向上できる。
【００８８】
また、遊技盤４０及び前扉５を併せて遊技施設に納品できるので、遊技盤４０及び前扉５の製造工場から遊技施設に搬送するときの搬送作業性を向上できる。
【００８９】
前面ユニット１００は、前扉５の背面側に形成された受け部７０，７１及び遊技盤支持部材５０に突設されたピン５４ａ，５５ａを回動軸として前扉５の背面側に開閉可能に支持される遊技盤支持部材５０を備え、その遊技盤支持部材５０は、遊技盤４０の下縁部（下端突設部４４，４５）の全部（端縁４４ａから端縁４５ｂまで）を支持する下縁支持部（第１底板５６、第２底板５７）を備えている。
【００９０】
これにより、前扉５の左右一方側の上下方向を回動軸として前扉５の背面側に遊技盤支持部材５０を開閉可能に支持し、その遊技盤支持部材５０の下縁支持部（第１底板５６、第２底板５７）に、遊技盤４０を支持させることができる。そのため、遊技盤支持部材５０は遊技盤４０の鉛直荷重を支持しつつ回動軸を中心にして開閉できるだけの機械的強度を確保する一方、遊技盤４０は下縁支持部に支持される程度の機械的強度を確保すれば良い。
【００９１】
ここで、遊技盤４０はベニヤ板等の合板で主に形成されているので、遊技盤４０を前扉５に直接取り付けて回動軸を中心に開閉可能にする場合には、合板（遊技盤４０）を補強する必要がある。そうすると補強が、遊技盤４０の表示器、役物、装飾等の配置に制約を与えることになる。これに対し、遊技盤４０の少なくとも下縁部の一部または全部を支持する下縁支持部（第１底板５６、第２底板５７）を備える遊技盤支持部材５０を介して、前扉５に遊技盤４０を開閉可能に支持する場合には、遊技盤４０の補強を軽減できるので、遊技盤４０の表示器、役物、装飾等の配置の自由度が低下することを抑制できる。
【００９２】
遊技盤４０は、遊技盤４０の盤面の厚さより厚さ（前後方向）の大きな下端支持部４４，４５が下縁部に突設されているので、遊技盤４０の鉛直荷重を支持する下縁支持部（第１底板５６、第２底板５７）と接触する接触面（下端突設部４４，４５の底面）の面積を、遊技盤４０の水平方向における断面積より大きくできる。これにより、下端突設部４４，４５が突設されていない遊技盤と比較して、遊技盤４０の鉛直荷重を下縁支持部（第１底板５６、第２底板５７）に分散させることができる。その結果、鉛直荷重が集中することより遊技盤支持部材５０の下縁支持部（第１底板５６、第２底板５７）が変形したり、摩擦抵抗が増大して遊技盤４０を横方向にスムーズにスライド（摺動）できなくなったりする不具合を抑制できる。
【００９３】
また、下縁支持部（第１底板５６、第２底板５７）は、遊技盤４０の盤面の下端部を通り遊技盤４０の遊技領域ＰＥに向かう遊技球が通過可能な通過領域（下部領域４３）が形成されている。通過領域（下部領域４３）により、遊技盤４０の盤面の下端部を通り遊技盤４０の遊技領域ＰＥに向かう遊技球の運動が妨げられることを防ぎ、遊技球を遊技領域ＰＥに到達させることができる。その結果、遊技球発射機構３２が設けられた既存の内枠４を有するパチンコ機１に、前面ユニット１００を適用することができる。
【００９４】
遊技盤支持部材５０は、回動軸が位置する一端側から他端側に向かう左右方向に設けられると共に他端側から一端側に向かって遊技盤４０をスライド可能に支持する遊技盤スライド支持部（第１底板５６、第２底板５７）を備え、遊技盤４０は、遊技盤スライド支持部に沿って左右方向に他端側から一端側にスライドされ支持される。これにより、前扉５を外枠２及び内枠４に取り付けて前扉５を開いた状態にした後、遊技盤スライド支持部（第１底板５６、第２底板５７）に遊技盤４０を支持させることができる。内枠４に片持ち支持させた遊技盤支持部材５０の横方向（左右方向）から遊技盤４０を遊技盤支持部材５０に収容できるので、遊技盤支持部材の背面や上面等から遊技盤４０を装着する場合と比較して、遊技盤支持部材５０への遊技盤４０の装着作業性を向上できる。
【００９５】
また、遊技盤支持部材５０の左右方向に設けられた遊技盤スライド支持部（第１底板５６、第２底板５７）に遊技盤４０がスライド支持されるので、遊技盤支持部材の上面から遊技盤４０を遊技盤支持部材５０へ装着する場合と比較して、遊技盤４０を持ち上げる高さを小さくできる。遊技盤４０の鉛直荷重は遊技盤スライド支持部（第１底板５６、第２底板５７）が負担するので、遊技盤スライド支持部の左右方向に遊技盤４０をスライドさせるときに必要な力（横方向荷重）を、遊技盤スライド支持部がない場合の遊技盤４０の鉛直荷重より小さくできる。これにより、遊技盤支持部材５０へ遊技盤４０を装着する作業者の負担を小さくできる。
【００９６】
また、図６に示すように、遊技盤支持部材５０を前扉５に取り付けた状態で、遊技盤４０をスライドさせるときに遊技盤スライド支持部（第１底板５６、第２底板５７）に作用する横方向荷重は、前扉５に対する遊技盤支持部材５０の回動軸の方向に向かう。そのため、遊技盤４０をスライドさせるときに、遊技盤支持部材５０が回動軸を中心に揺動することを防止できる。これにより、遊技盤４０をスライドさせる間、回動軸を中心に揺動しないように遊技盤支持部材５０を支える必要がない。よって、遊技盤４０を遊技盤支持部材５０に支持させる作業を、作業者が一人で円滑に行うことができる。
【００９７】
また、前面ユニット１００によれば、遊技盤４０を遊技盤支持部材５０にスライド移動させるときに、下部突設部４４及び上部突設部４６に設けられた突起４７，４８が遊技盤支持部材５０の第１底板５６及び天板６１を離脱するまで、遊技盤４０のスライド移動が許容される。突起４７，４８が遊技盤支持部材５０の第１底板５６及び天板６１を離脱した後は、突起４７，４８が第１底板５６及び天板６１に突き当たるので、遊技盤４０の反対方向のスライド移動が規制される。これにより、遊技盤支持部材５０に遊技盤４０をスムーズに装着できると共に、遊技盤支持部材５０に装着された遊技盤４０が、反対方向にスライド移動して意図せずに外れてしまうことを防止できる。
【００９８】
遊技盤支持部材５０は、回動軸寄り（下部金具５５寄り）にコネクタ６３が配置され、そのコネクタ６３は、内枠４に設けられた電気回路と電気的に導通している。回動軸寄りにコネクタ６３を配置することで、回動軸からコネクタ６３までの距離を小さくできるので、回動軸を中心に遊技盤支持部材５０を回動させた場合、コネクタ６３の移動距離（円弧の長さ）を小さくできる。その結果、内枠４の電気回路とコネクタ６３との配線長を短くすることができる。
【００９９】
次に図６から図８を参照して、前扉５に対する遊技盤支持部材５０の開放を規制する開放規制機構（第１開放規制機構）について説明する。図７は第１開放規制機構（摺動杆８０及び鉤受部８１，８３，８４）及び第１操作部（操作部８２）の斜視図であり、図８は前扉５に対して開放が規制された遊技盤支持部材５０の斜視図である。
【０１００】
図６に示すように、摺動杆８０は、受け部７０，７１が設けられた前扉５の左右方向一方側に対して反対側（左右方向他方側）の背面側に、上下方向に配置される縦長の板状の部材である。摺動杆８０は、遊技盤支持部材５０に配置された縦板５９の複数箇所から前方に向かって延びる鉤部６０（６０ａ〜６０ｃ）と干渉して、前扉５に対する遊技盤支持部材５０の開放を規制する。
【０１０１】
図７に示すように前扉５は、背面側に、前扉５に対して遊技盤支持部材５０が閉じたときに遊技盤支持部材５０の縦板５９を受け入れる縦溝部７２と、鉤部６０（６０ａ，６０ｂ，６０ｃ）をそれぞれ受け入れる横溝部７３ａ，７３ｂ，７３ｃと、摺動杆８０の上下方向の摺動（移動）を許容する窪み部７２ａ，７２ｂ，７２ｃとを備えている。
【０１０２】
摺動杆８０は、摺動杆８０の側面側に略水平に延び、窪み部７２ａ，７２ｂ，７２ｃの上端寄りに位置する鉤受部８１，８３，８４を備え、弾性部材（図示せず）により上向きに付勢されている。上向きに付勢された摺動杆８０は、鉤受部８１，８３，８４と反対方向に延出される操作部８２が、縦板２７（図６参照）から背面側に突設された爪片２８の下面に突き当たることにより、上方へのそれ以上の移動が規制されている。なお、操作部８２及び鉤受部８３は、摺動杆８０を構成する一枚の板材の略中央の上下に切れ目８０ａを入れ、その切れ目８０ａに沿って板材の一部を除去した後、それぞれ反対方向に折曲することで形成されている。これにより摺動杆８０を軽量化できると共に、操作部８２及び鉤受部８３の形成作業を簡素化できる。
【０１０３】
前扉５に対して遊技盤支持部材５０を閉じると、鉤部６０ａ，６０ｂ，６０ｃが横溝部７３ａ，７３ｂ，７３ｃに進入し、弾性部材（図示せず）による上向きの付勢力に抗して、窪み部７２ａ，７２ｂ，７２ｃの範囲内で鉤部６０ａ，６０ｂ，６０ｃが鉤受部８１，８３，８４を押し下げ、次に鉤部６０ａ，６０ｂ，６０ｃと鉤受部８１，８３，８４とが係合状態となる。これにより、図８に示すように、前扉５に対する遊技盤４０の開放が規制される。
【０１０４】
このときは、前扉５の背面に形成された縦溝部７２に縦板５９が進入するので、遊技盤４０の盤面に配置された釘や役物等と前扉５が保持するガラス８との間に隙間ができるのを防止できる。また、縦溝部７２に進入した縦板５９により、前扉５の回動先端側から針金等を挿入しても遊技盤４０の盤面へ到達し難くできるので、不正行為者による針金等を使った不正行為を防止できる。特に、縦板５９が摺動杆８０と縦溝部７２との間に入り込むので、不正行為者による針金等を使った不正行為を極めて困難にできる。
【０１０５】
また、遊技盤４０の回動基端側の側縁４０ａ（図４参照）、上縁４６及び下縁４４，４５には、遊技盤支持部材５０の側板５１、第１底板５６、第２底板５７及び天板６１が対面し、側板５１、第１底板５６、第２底板５７及び天板６１は、前板５２及び背板５３等と共に断面コ字状に形成されている。よって、遊技盤４０の回動基端側、上側および下側から、針金等を挿入しても遊技盤４０の盤面へ到達し難くできるので、不正行為者による針金等を使った不正行為を防止できる。
【０１０６】
操作部８２に下向きの荷重を付与し、弾性部材（図示せず）による上向きの付勢力に抗して操作部８２及び摺動杆８０を下方に押し下げることにより、鉤部６０ａ，６０ｂ，６０ｃと鉤受部８１，８３，８４との係合を解除できる。その結果、前扉５に対して遊技盤４０を開放させることができる。操作部８２から下向きの荷重を取り除けば、弾性部材（図示せず）による上向きの付勢力により、摺動杆８０は上方位置に復帰する。
【０１０７】
次に図９から図１１を参照して、前扉５及び遊技盤４０（遊技盤支持部材５０）の回動軸について説明する。図９は前扉５に対して開放が規制された遊技盤支持部材５０の斜視図であり、図１０は外枠２及び内枠４に対する前扉５の回動軸となるヒンジ（支持金具３７、受金具３８）の分解斜視図である。
【０１０８】
図９に示すように、遊技盤支持部材５０の側板５１の下部側には、コネクタ６４が設けられている。コネクタ６４は、側板５１の内側に設けられたコネクタ６３と電気的に導通されているものであり、内枠４等に設けられる球払出し基板や電源基板等の各種制御基板に形成された電気回路と配線（図示せず）によって接続される。これにより、遊技盤４０に設けられたコネクタ４９とコネクタ６３とが接続された場合には、内枠４等に設けられた電気回路と、遊技盤４０に設けられた主基板等の各種制御基板とを電気的に導通させることができる。
【０１０９】
また、遊技盤支持部材５０は、回動軸寄り（下部金具５５寄り）にコネクタ６４が配置され、そのコネクタ６４は、内枠４に設けられた電気回路と電気的に導通している。回動軸寄りにコネクタ６４を配置することで、回動軸からコネクタ６４までの距離を小さくできるので、回動軸を中心に遊技盤支持部材５０を回動させた場合、コネクタ６４の移動距離（円弧の長さ）を小さくできる。その結果、内枠４の電気回路とコネクタ６４との配線長を短くすることができる。
【０１１０】
図９に示す前扉５の受け部７０，７１には、図１０に示すヒンジ（支持金具３７、受金具３８）が配置される。ヒンジは、受け部７０，７１に互いに天地逆に取り付けられるが、構成する部材は同一であるので、受け部７０に配置されるヒンジ（支持金具３７、受金具３８）について説明する。
【０１１１】
支持金具３７は、内枠４に取着される金具であり、基部が内枠４に取着され垂直方向上向きに立ち上げられた立上部３７ａと、立上部３７ａから前面側に延びる突出部３７ｂと、突出部３７ｂから左右方向に水平に延びるオフセット部３７ｃと、そのオフセット部３７ｃから鉛直下向きに垂下されるピン３７ｄとを備えている。
【０１１２】
受金具３８は、外枠２に取着される金具であり、外枠２の上端から鉛直下向きに立ち下げられた立下部３８ａと、立下部３８ａから前面側に延びる突出部３８ｂと、突出部３８ｂに切欠き状に形成された孔部３８ｃとを備えている。
【０１１３】
前扉５には、受け部７０に配置される上部金具５４の上方に位置し左右方向に水平に延びる延出部５ａが設けられ、延出部５ａには鉛直方向に延びる孔部５ｂが形成されている。
【０１１４】
支持金具３７、受金具３８及び前扉５の孔部５ｂはこの順に重ねられ、支持金具３７に設けられたピン３７ｄが、受金具３８及び延出部５ａに設けられた孔部３８ｃ，５ｂに挿通される。受け部７１についても同様に支持金具および受金具（天地を逆にした）が配置されるので、前扉５は、ピン３７ｄを回動軸として外枠２及び内枠４に対して開閉（揺動）可能にできる。
【０１１５】
なお、外枠２及び内枠４に対して前扉５を開閉する回動軸（ピン３７ｄ）は、前扉５に対して遊技盤４０（遊技盤支持部材５０）を開閉する回動軸（ピン５４ａ，５５ａ）の軸方向外側に位置すると共に、回動軸（ピン５４ａ，５５ａ）と同一軸線上に位置するように設定される。
【０１１６】
このことを、図１１を参照して説明する。図１１（ａ）は内枠４に対して前扉５を開放したときの軸線方向から見た模式図であり、図１１（ｂ）及び図１１（ｃ）は前扉５に対して遊技盤４０を開放したときの軸線方向から見た模式図である。なお、図１１（ｃ）は、外枠２及び内枠４に対して前扉５を開閉する回動軸Ａと、前扉５に対して遊技盤４０（遊技盤支持部材５０）を開閉する回動軸Ａ´とが同一軸線上に位置しない場合の模式図である。
【０１１７】
図１１（ａ）及び図１１（ｂ）に示すように、外枠２及び内枠４に対して前扉５を開閉する回動軸Ａと、前扉５に対して遊技盤４０（遊技盤支持部材５０）を開閉する回動軸Ａとを同一軸線上に位置するように配置した場合には、図１１（ａ）に示すように、外枠２及び内枠４に対して、前扉５及び遊技盤４０を一緒に回動させることができる。また、図１１（ｂ）に示すように、前扉５と遊技盤４０とを別々に回動させることも可能である。
【０１１８】
これに対し、図１１（ｃ）に示すように、外枠２及び内枠４に対して前扉５を開閉する回動軸Ａと、前扉５に対して遊技盤４０（遊技盤支持部材５０）を開閉する回動軸Ａ´とを同一軸線上に位置しないように配置した場合には、前扉５と遊技盤４０とを別々に回動させる場合に問題が生じる。外枠２及び内枠４に対する前扉５の回動角（前扉５の位置）によって、回動軸Ａ´の位置が変わるからである。そのため、前扉５の位置によって、遊技盤４０の軌道（特に回動軸Ａ´から離れた回動先端側の軌道）が変わる。その結果、前扉５を開けた状態で前扉５に対して遊技盤４０を開閉する場合に、遊技盤４０（特に背面に配置された保護カバー３５等）が内枠４に衝突することがある。
【０１１９】
前面ユニット１００は、外枠２及び内枠４に対して前扉５を開閉する回動軸Ａと、前扉５に対して遊技盤４０（遊技盤支持部材５０）を開閉する回動軸Ａとが同一軸線上に位置するように配置されるので、前扉５の位置に関わらず、遊技盤４０の軌道を一定にできる。そのため、前扉５の位置に関わらず、遊技盤４０を自在に回動させることができる。
【０１２０】
また、外枠２及び内枠４に対して前扉５を開閉するヒンジ（回動軸（ピン３７ｄ））は、前扉５に対して遊技盤４０（遊技盤支持部材５０）を開閉する回動軸（ピン５４ａ，５５ａ）の軸方向外側に位置するので、回動軸（ピン５４ａ，５５ａ）はヒンジで隠されることになる。これにより、回動軸（ピン５４ａ，５５ａ）の周囲から針金等を挿入しパチンコ機１の内部にアクセスする不正行為を防止できる。
【０１２１】
次に図１２を参照して、内枠４の施錠機構について説明する。図１２（ａ）は施錠機構により外枠２に対して内枠４の開放が規制された状態を示す模式図であり、図１２（ｂ）は施錠機構により内枠４に対して前扉５の開放が規制された状態を示す模式図である。なお、図１２では、施錠の機能に係る機構を模式的に表し、その他の機構は図示を省略している。本実施形態では、前扉５の施錠機構（前扉施錠機構）は、内枠４の施錠機構（内枠施錠機構）と一体的に構成されている。内枠４の施錠状態および前扉５の施錠状態は、内枠４の右側部に設けられたシリンダ錠３９への所定のキー操作によってそれぞれ解除される。
【０１２２】
基枠９０は、施錠装置の一部を構成する縦長の部材であり内枠４の上下方向に配置されている。基枠９０は、上下方向に延び上下に摺動可能な摺動杆（図示せず）が内部に配設されており、後方（外枠２側）に向かって延びる鉤部材９２ａ，９２ｂが上下の複数箇所に設けられている。鉤部材９２ａ，９２ｂは、外枠２に設けられた鉤受け部材２ａ，２ｂと相対する位置に配置され、鉤部材９２ａ，９２ｂ及びその摺動杆（図示せず）は、弾性部材（図示せず）により、下方位置に位置するよう付勢されている。
【０１２３】
鉤部材９２ａ，９２ｂは、外枠２に設けられた鉤受け部材２ａ，２ｂと係合可能に構成される部材であり、摺動杆（図示せず）が上方へ移動したときに連動して上方に摺動させられるように構成されている。各々の鉤部材９２ａ，９２ｂは、独立して上方に移動可能であり、針金などで上下の鉤部材９２ａ，９２ｂを上方に移動させようとする場合（不正行為が行われる場合）は、両方の鉤部材９２ａ，９２ｂに針金を引っ掛けて上に引かなければならない。つまり、一方の鉤部材９２ａ又は９２ｂを上に引いただけでは、不正解錠をすることができないように構成されている。
【０１２４】
なお、内枠４の施錠状態（内枠施錠状態）にあっては、外枠２の鉤受け部材２ａ，２ｂに対し鉤部材９２ａ，９２ｂが係合状態となる（図１２（ａ）参照）。鉤部材９２ａ，９２ｂが一体に動く構成では、製造誤差や組付け誤差等により、鉤部材９２ａ，９２ｂのうち一方が鉤受け部材２ａ，２ｂに接触した状態となったときに、他方が接触しない場合には、他方の鉤部材９２ａ，９２ｂが鉤受け部材２ａ，２ｂに対し浮き上がった状態となるおそれがある。これに対し、鉤部材９２ａ，９２ｂが独立して可動できるので、このような不具合を解消できる。
【０１２５】
また、基枠９０は、前方（前扉５側）に向かって延びる鉤部材９１ａ，９１ｂ，９１ｃが上下の複数箇所に設けられている。鉤部材９１ａ，９１ｂ，９１ｃは、前扉５に設けられた鉤受け部材２６ａ，２６ｂ，２６ｃと相対する位置に配置され、鉤部材９１ａ，９１ｂ，９１ｃは、弾性部材（図示せず）により、上方位置に位置するよう付勢されている。
【０１２６】
鉤部材９１ａ，９１ｂ，９１ｃは、前扉５に設けられた鉤受け部材２６ａ，２６ｂ，２６ｃと係合可能に構成される部材であり、摺動杆（図示せず）が下方へ移動したときに連動して下方に摺動させられるように構成されている。各々の鉤部材９１ａ，９１ｂ，９１ｃは、独立して下方に移動可能であり、針金などで上下の鉤部材９１ａ，９１ｂ，９１ｃを下方に移動させようとする場合（不正行為が行われる場合）は、全ての鉤部材９１ａ，９１ｂ，９１ｃに針金を引っ掛けて下に引かなければならない。つまり、鉤部材９１ａ，９１ｂ，９１ｃの一部を下に引いただけでは、不正解錠をすることができないように構成されている。
【０１２７】
外枠２に対して内枠４が閉じられるときには、鉤部材９２ａ，９２ｂが相対する鉤受け部材２ａ，２ｂに進入する。このとき鉤部材９２ａ，９２ｂは、鉤受け部材２ａ，２ｂによって押され、弾性部材による付勢力に抗して一旦上方に摺動し、その後、弾性部材の付勢力で元の位置に戻り、鉤受け部材２ａ，２ｂと係合する（内枠施錠状態、図１２（ａ）参照）。
【０１２８】
また、内枠４に対して前扉５が閉じられるときには、鉤部材９１ａ，９１ｂ，９１ｃが相対する鉤受け部材２６ａ，２６ｂ，２６ｃに進入する。このとき鉤部材９１ａ，９１ｂ，９１ｃは、鉤受け部材２６ａ，２６ｂ，２６ｃによって押され、弾性部材による付勢力に抗して一旦下方に摺動し、その後、弾性部材の付勢力で元の位置に戻り、鉤受け部材２６ａ，２６ｂ，２６ｃと係合する（前扉施錠状態、図１２（ｂ）参照）。
【０１２９】
シリンダ錠３９の錠軸には、摺動杆（図示せず）に係合されるカム板（図示せず）が取付けられている。シリンダ錠３９に差し込まれたキー操作によって、キーが一方向（例えば時計方向）に回動された場合には、摺動杆が上方に摺動させられる。これにより鉤部材９２ａ，９２ｂが上方に摺動させられる。その結果、鉤部材９２ａ，９２ｂと、外枠２側の鉤受け部材２ａ，２ｂとの係合が解除され、内枠４が解錠される（内枠解錠状態）。
【０１３０】
一方、シリンダ錠３９に差し込まれたキー操作によって、キーが反対方向（例えば反時計方向）に回動された場合には、摺動杆が下方に摺動させられ、鉤部材９１ａ，９１ｂ，９１ｃが下方に摺動させられる。その結果、鉤部材９１ａ，９１ｂ，９１ｃと、前扉５の鉤受け部材２６ａ，２６ｂ，２６ｃとの係合が解除され、前扉５が解錠される（前扉解錠状態）。
【０１３１】
ここで、前扉５に対する遊技盤４０（遊技盤支持部材５０）の開放を、鉤部６０ａ〜６０ｃと係合することによって規制する鉤受部８１，８３，８４（図６参照）は、前扉５の回動先端側の側縁に設けられた操作部８２を手の指等で操作することにより摺動し、鉤部６０ａ〜６０ｃと鉤受部８１，８３，８４との係合が解除される。これにより前扉５に対して遊技盤４０の盤面が開放される（遊技盤開放状態）。
【０１３２】
一方、操作部８２を押し下げる下方向荷重を取り除くことにより、弾性部材（図示せず）による上方向の付勢力によって摺動杆８０が上方へ移動し、上方向位置に復帰する。このときは、操作部８２の上面が爪片２８の下面に当接して、それ以上の摺動杆８０の移動は規制される。
【０１３３】
摺動杆８０（図６参照）は、平面視において縦板２７に対して回動軸が位置する上部金具５４側に位置し、摺動杆８０と縦板２７とは左右方向に重なり合うと共に、前後方向にずれて位置している。これにより、回動先端側における前扉５と内枠４との間から針金等を挿入した場合に、摺動杆８０及び縦板２７が、針金等が遊技盤４０の盤面に達する障害となる。これにより、針金等を挿入することによる不正行為を抑制できる。
【０１３４】
以上説明したように、前扉５の回動先端側に配置される施錠機構により内枠４に対し前扉５が施錠され、前扉５の回動先端側の上下方向に沿って配設される第１開放規制機構（摺動杆８０、鉤受部８１，８３，８４及び鉤部６０ａ〜６０ｃ）により、前扉５に対し遊技盤４０の開放が規制される。第１開放規制機構は、施錠機構と独立して、前扉５に対する遊技盤４０の開放状態または開放規制状態（係合状態）が切換可能に構成されている。そのため、施錠機構を解錠状態にして、内枠４に対して前扉５を開放状態にして、且つ、前扉５に対して遊技盤４０を開放状態にしたときには、遊技盤４０の盤面にアクセス可能な状態にできる。施錠機構を操作しない限り前扉５を開放できなくなるので、前扉５が不正に開放されることを防止できる。また、遊技盤４０の遊技領域ＰＥに遊技球が留まってしまう等の不具合が生じた場合には、遊技施設の係員が、前扉５を開放した後に遊技盤４０の盤面にアクセスして、遊技領域ＰＥに関する不具合の解消作業を行うことができる。
【０１３５】
一方、施錠機構を解錠状態にして、内枠４に対して前扉５を開放状態にして、且つ、前扉５に対して遊技盤４０を開放規制状態（係合状態）にしたときには、遊技盤４０の盤面へのアクセスはできないが、遊技盤４０の背面や内枠４にアクセス可能な状態にできる。これにより、遊技施設の係員が前扉５を開放して遊技盤４０の背面や内枠４にアクセスするときに、遊技盤４０の盤面が開放されることを防止して、不正行為者により遊技盤４０の盤面に対して不正が行われることを抑制できる。
【０１３６】
また、第１開放規制機構（摺動杆８０、鉤受部８１，８３，８４及び鉤部６０ａ〜６０ｃ）は、施錠機構を施錠して内枠４に対して前扉５の開放を規制したときに操作不能とされる第１操作部（操作部８２）を備え、操作部８２は、施錠機構を解錠して内枠４に対して前扉５を開放したときに操作可能となる。遊技盤４０は、第１操作部（操作部８２）が操作されることにより開放規制状態から開放状態に切り換えられる。施錠機構が施錠された内枠４に対して前扉５の開放が規制されている限り、前扉５に対する遊技盤４０の開放を規制できるので、前扉５に対して遊技盤４０の開放を規制する施錠機構を省略できる。
【０１３７】
次に図１３を参照して、第２実施の形態について説明する。第１実施の形態では、遊技盤４０が、遊技盤支持部材５０に対して左右方向からスライド移動させることで支持される場合について説明した。これに対し第２実施の形態では、遊技盤４０が、遊技盤支持部材１５０に対して上下方向からスライド移動させる（落とし込む）ことで支持される場合について説明する。なお、第１実施の形態と同一の部分については、同一の符号を付して以下の説明を省略する。図１３は、第２実施の形態における前面ユニットの遊技盤支持部材１５０の斜視図である。
【０１３８】
図１３に示す遊技盤支持部材１５０は、遊技盤４０を支持するための部材であり、前扉５に支持され、前扉５に対して開閉可能に支持されるものである。遊技盤支持部材１５０は、板材によって矩形枠状に形成されている。側板１５１は、遊技盤４０の側縁４０ａ（図４参照）が対面する部位であり、上下に長く前後に短い矩形の板状部材により形成されている。側板１５１は、前側の側縁の上下方向に沿って左右一方向（図１３右側）に第１前板５２ａが突設され、側板１５１の後側の側縁の上下方向に沿って左右一方向に第１背板１５３が突設されている。これにより、遊技盤４０の側縁４０ａ（図４参照）側（回動基端側）に側板１５１、第１前板５２ａ及び第１背板１５３が位置し、側板１５１、第１前板５２ａ及び第１背板１５３に遊技盤４０の側縁４０ａ（図４参照）が受け入れられる。その結果、遊技盤４０の側縁４０ａ（図４参照）側から針金等を挿入することによって遊技盤４０の盤面にアクセスされる不正行為を阻止できる。
【０１３９】
なお、第１前板５２ａ，第２前板５２ｂ，第３前板５２ｃ及び第４前板５２ｄは同一平面上に位置し、それらが連設された額縁状の一部材（前板５２）として形成されている。
【０１４０】
側板１５２は、側板１５１と平行に配置され第４前板５２ｄに連設される部位であり、遊技盤４０の側縁４０ｂ（図４参照）が対面するように、上下に長く前後に短い矩形の板状部材により形成されている。側板１５２は、後側の側縁の上下方向に沿って左右他方向に第２背板１５４が突設されている。遊技盤４０の側縁４０ｂ（図４参照）側（回動先端側）に側板１５２、第４前板５２ｄ及び第２背板１５４が位置し、側板１５２、第４前板５２ｄ及び第２背板１５４に遊技盤４０の側縁４０ｂ（図４参照）が受け入れられる。その結果、遊技盤４０の側縁４０ｂ（図４参照）側から針金等を挿入することによって遊技盤４０の盤面にアクセスされる不正行為を阻止できる。
【０１４１】
第２前板５２ｂの下部から後方に向けて第１底板１５５及び第２底板１５６が突設されている。第１底板１５５及び第２底板１５６は、遊技盤４０の下縁を支持するための部位であり、第１底板１５５の端縁１５５ａ及び第２底板１５６の端縁１５６ａが所定の間隔をあけて配置されている。
【０１４２】
第１底板１５５及び第２底板１５６の後側の側縁から上向きに第３背板１５７が突設されている。第１底板１５５及び第２底板１５６は第３背板１５７により連結されている。第１底板１５５、第２前板５２ｂ及び第３背板１５７は、それらが連成されることにより断面コ字状に形成されている。また、第２底板１５６、第２前板５２ｂ及び第３背板１５７は、それらが連成されることにより断面コ字状に形成されている。また、第３背板１５７は、第１背板１５３及び第２背板１５４の下部を連結している。
【０１４３】
第１底板１５５、第２前板５２ｂ及び第３背板１５７、並びに、第２底板１５６、第２前板５２ｂ及び第３背板１５７は、それらが連成されることにより断面コ字状に形成されているので、遊技盤４０と第１底板１５５や第２底板１５６との間から針金等を挿入して遊技盤４０の盤面にアクセスされる不正行為を阻止できる。
【０１４４】
また、互いに対向して配置される側板１５１，１５２の間隔は、遊技盤４０の側縁４０ａ，４０ｂ間の距離（遊技盤４０の左右方向の幅）よりわずかに大きな値に設定されている。互いに対向して配置される第１前板５２ａと第１背板１５３との間隔、並びに、第４前板５２ｄと第２背板１５４との間隔は、遊技盤４０の下部突設部４４，４５及び上部突設部４６の前後方向の厚さより、わずかに大きな値に設定されている。これにより、遊技盤支持部材１５０の上方から、側板１５１，１５２に沿って遊技盤４０を落とし込むことができる。
【０１４５】
なお、第１底板１５５及び第２底板１５６の端縁１５５ａ，１５６ａで区画され、端縁１５５ａ，１５６ａの間に位置する開放領域ｈの位置および大きさ（左右方向の幅）は、側板１５１，１５２に沿って落とし込まれた遊技盤４０の下部領域４３の位置および大きさ（左右方向の幅）に対応するように設定されている。これにより、遊技盤支持部材１５０により支持された遊技盤４０によってパチンコ機１を構成した場合に、遊技球発射機構３２（図２参照）から発射される遊技球を、第１底板１５５及び第２底板１５６によって妨げられることなく、遊技領域ＰＥに導くことができる。
【０１４６】
次に図１４を参照して第３実施の形態について説明する。第１実施の形態および第２実施の形態では、前扉５に配設された摺動杆８０を操作部８２により上下に摺動させることによって、前扉５に対して遊技盤支持部材５０，１５０を開放状態にできる場合について説明した。これに対し第３実施の形態では、遊技盤支持部材１６０に配設された摺動杆１６２を操作部１６３により上下に摺動させることによって、内枠４に対して遊技盤支持部材１６０を開放状態にできる場合について説明する。なお、第１実施の形態および第２実施の形態で説明した部分と同一の部分については、同一の符号を付して以下の説明を省略する。図１４は、第３実施の形態における前面ユニットの遊技盤支持部材１６０の斜視図である。
【０１４７】
図１４に示すように遊技盤支持部材１６０は、回動基端側の側板１５１と対向配置されて回動先端側に位置する側板１５２の外側に、基枠１６１が配設されている。基枠１６１は、内枠４に対する遊技盤支持部材１６０の開放を規制する開放規制機構（第２開放規制機構）の一部を構成するものである。基枠１６１は、側板１５２の上下方向に配置されており、上下方向に延び上下に摺動可能な摺動杆１６２が内部に配設されている。
【０１４８】
基枠１６１は、側板１５２と対向する側面に、縦長の貫通孔１６１ａが貫通形成されている。貫通孔１６１ａは、摺動杆１６２から側方（図１４左側）に向かって突出される操作部１６３（第２操作部）が貫設される部位である。
【０１４９】
また、基枠１６１は、第２背板１５４側に位置する背面の上下複数箇所に、縦長の貫通孔１６４，１６５が貫通形成されている。貫通孔１６４，１６５は、摺動杆１６２の複数箇所から後方に向かって延びる鉤部材１６６，１６７がそれぞれ貫設される部位である。摺動杆１６２は、弾性部材（図示せず）により上向きの付勢力が付与されているので、その付勢力により操作部１６３及び鉤部材１６６，１６７は、それぞれ貫通孔１６１ａ，１６４，１６５の上方位置に位置する。
【０１５０】
内枠４には、鉤部材１６６，１６７と係合可能に構成された鉤受け部材（図示せず）が、鉤部材１６６，１６７と相対する位置に設けられている。内枠４に対して遊技盤４０（遊技盤支持部材１６０）が閉じられるときには、鉤部材１６６，１６７が相対する鉤受け部材（図示せず）に進入する。このとき鉤部材１６６，１６７は、鉤受け部材によって押され、弾性部材による付勢力に抗して一旦下方に摺動し、その後、弾性部材の付勢力で元の位置に戻り、鉤受け部材と係合する（開放規制状態）。
【０１５１】
この開放規制状態では、弾性部材の付勢力に抗して操作部１６３を下方に押し下げ、鉤部材１６６，１６７を下方に摺動させることにより、鉤部材１６６，１６７と鉤受け部材との係合を解除できる（開放状態）。
【０１５２】
ここで、内枠４の施錠機構（図１２参照）により、外枠２に対して内枠４の開放を規制し、内枠４に対して前扉５の開放を規制した場合には、操作部１６３は外部からアクセス不能（操作不能）となる。シリンダ錠３９へ所定のキー操作を行うことにより、内枠４に対して前扉５を規制した場合には、操作部１６３が外部に対して露呈されるので、操作部１６３を操作可能にできる。この場合に、操作部１６３を押し下げる操作をすることで、鉤部材１６６，１６７と鉤受け部材との係合を解除して、遊技盤４０（遊技盤支持部材１６０）を内枠４に対して開放させることができる。
【０１５３】
以上説明した遊技機支持部材１６０を備える前面ユニットによれば、内枠４の施錠機構により内枠４に対し前扉５が施錠され、第２開放規制機構（鉤部材１６６，１６７及び鉤受け部材）により内枠４に対し遊技盤支持部材１６０の開放が規制される。第２開放規制機構は、施錠機構と独立して、内枠４に対する遊技盤支持部材１６０の開放状態または開放規制状態が切換可能に構成されている。そのため、施錠機構を解錠状態にして内枠に対して前扉５を開放状態にして、且つ、遊技盤支持部材１６０を内枠４に対して開放規制状態にしたときには、遊技盤４０の盤面にアクセス可能な状態にできる。施錠機構を操作しない限り前扉５を開放できなくなるので、前扉５が不正に開放されることを防止できる。また、遊技盤４０の遊技領域ＰＥに遊技球が留まってしまう等の不具合が生じた場合には、遊技施設の係員が、前扉５を開放した後に遊技盤４０の盤面にアクセスして、遊技領域ＰＥに関する不具合の解消作業を行うことができる。
【０１５４】
一方、施錠機構を解錠状態にして内枠４に対して前扉５を開放状態にして、且つ、第２開放規制機構（鉤部材１６６，１６７、操作部１６３及び鉤受け部材）を操作して内枠４に対して遊技盤支持部材１６０を開放状態にしたときには、遊技盤４０の背面にアクセス可能な状態にできる。これにより、遊技施設の係員は、前扉５を開放した後に遊技盤４０の背面や内枠４にアクセスして、不具合の解消作業等を行うことができる。
【０１５５】
また、第２開放規制機構は、施錠機構を施錠して内枠４に対して前扉５の開放を規制したときに操作不能とされる第２操作部（操作部１６３）を備え、操作部１６３は、施錠機構を解錠して内枠４に対して前扉５を開放したときに操作可能となる。遊技盤支持部材１６０は、操作部１６３が操作されることにより開放規制状態から開放状態に切り換えられる。施錠機構が施錠され内枠４に対して前扉５の開放が規制されている限り、内枠４に対する遊技盤支持部材１６０の開放を規制できるので、内枠４に対して遊技盤支持部材１６０の開放を規制する施錠機構を省略できる。
【０１５６】
次に図１５を参照して第４実施の形態について説明する。第１実施の形態から第３実施の形態では、遊技盤支持部材５０，１５０，１６０に対して遊技盤４０を左右方向または上下方向からスライド移動させて、遊技盤４０を遊技盤支持部材５０，１５０，１６０に支持する場合について説明した。これに対し第４実施の形態では、遊技盤支持部材１７０に対して遊技盤１４０を背面から装着し、遊技盤１４０を遊技盤支持部材１７０に支持する場合について説明する。なお、第１実施の形態から第３実施の形態で説明した部分と同一の部分については、同一の符号を付して以下の説明を省略する。図１５（ａ）は第４実施の形態における前面ユニットの遊技盤支持部材１７０の斜視図であり、図１５（ｂ）は遊技盤１４０を固定した遊技盤支持部材１７０の部分図である。
【０１５７】
図１５（ａ）に示すように遊技盤支持部材１７０は、遊技盤支持部材１５０（図１３参照）に対して第１背板１５３、第２背板１５４及び第３背板１５７を省略し、代わりに、前板５２の４つの角部に、背面視が三角状（直角二等辺三角形）に形成された角部材１７１，１７２，１７３，１７４が配置されている。額縁状に形成された前板５２の４つの角部に角部材１７１〜１７４が配置されているので、前板５２の剛性を向上させることができる。
【０１５８】
角部材１７１，１７２，１７３，１７４は、それぞれ背面に軸状部材１７５が立設され、その軸状部材１７５を中心にして軸状部材１７５と直交する平面内を回動可能に構成される棒材１７６が軸状部材１７５の先端に固定されている。棒材１７６の各々と角部材１７１〜１７４との距離（隙間）は、遊技盤１４０の厚さ（前後方向）よりわずかに小さな値に設定されている。
【０１５９】
図１５（ｂ）に示すように遊技盤１４０は、遊技盤４０（図４参照）の下部突設部４４，４５及び上部突設部４６を省略し、代わりに、軸状部材１７５と相対する遊技盤１４０の四隅に、遊技盤１４０の厚さ方向（前後方向）に貫設された切り込み状の凹陥部１４１が形成されている。
【０１６０】
遊技盤支持部材１７０に遊技盤１４０を装着する場合には、遊技盤支持部材１７０の背面から、遊技盤１４０の四隅に形成された凹陥部１４１に軸状部材１７５及び棒材１７６を挿通させる。次いで、棒材１７６を回動させることで、角部材１７１及び棒材１７６により遊技盤１４０の凹陥部１４１の周縁を挟持する。これにより、遊技盤支持部材１７０に遊技盤１４０が装着される。
【０１６１】
遊技盤支持部材１７０によれば、遊技盤１４０を遊技盤支持部材１７０の背面から装着できるので、盤面換えを行うために遊技盤１４０を遊技盤支持部材１７０に装着する作業者は、遊技盤支持部材１７０の第１底板１５５及び第２底板１５６の高さまで遊技盤１４０を持ち上げれば良い。これにより、遊技盤１４０を遊技盤支持部材の上方から落とし込むような作業をする場合と比較して、作業負担を軽減できる。
【０１６２】
また、前扉５に対して遊技盤支持部材１７０を閉じる場合には、前扉５の背面に形成された縦溝部７２（図７参照）に縦板５９が進入するので、前扉５の回動先端側から針金等を挿入しても遊技盤４０の盤面へ到達し難くできる。さらに、遊技盤４０の回動先端側の側縁４０ｂに側板１５２が位置するので、前扉５の回動先端側から針金等を挿入する不正行為を防止できる。
【０１６３】
次に図１６を参照して第５実施の形態について説明する。第１実施の形態から第４実施の形態では、枠状に形成された遊技盤支持部材５０，１５０，１６０，１７０に遊技盤４０，１４０を装着する場合について説明した。これに対し第５実施の形態では、遊技盤１８０に遊技盤支持部材１９０を固着する場合について説明する。なお、第１実施の形態で説明した部分と同一の部分については、同一の符号を付して以下の説明を省略する。図１６（ａ）は第５実施の形態における前面ユニットの遊技盤１８０及び遊技盤支持部材１９０の斜視図であり、図１６（ｂ）は遊技盤１８０に固定された遊技盤支持部材１９０の断面図である。
【０１６４】
図１６（ａ）に示すように遊技盤１８０は、遊技盤４０（図４参照）の下部突設部４４，４５及び上部突設部４６を省略し、代わりに、回動基端側（図１６左側）の上部および下部の角部に、遊技盤１８０の厚さ方向（前後方向）に矩形状に切欠された切欠部１８１ａが形成されている。切欠部１８１ａは、遊技盤支持部材１９０を固着するための部位である。なお、回動基端側（図１６左側）の下部に形成された切欠部は、遊技盤支持部材１９０が固着されているので、図示されていない。
【０１６５】
図１６（ａ）に示すように遊技盤支持部材１９０は、遊技盤１８０を厚さ方向（前後方向）に跨ぐように断面略コ字状に形成された一対の部材により構成されている。遊技盤支持部材１９０の一方は、切欠部１８１ａの左右方向（図１６（ａ）左右方向）の長さと同一の長さに形成された平面視して矩形状の基部１９１と、その基部１９１の長手方向両側に垂設される側部１９２，１９３と、側部１９２の左右方向一方側（図１６（ａ）左側）に位置し基部１９１と同一面を構成すると共に前方に向けて突設される突設部１９４と、突設部１９４に垂設されるピン１９４ａとを備えて構成されている。
【０１６６】
基部１９１は、切欠部１８１ａに上方から装着される部位であり、基部１９１の厚さは切欠部１８１ａの深さ（図１６（ａ）上下方向）と同一に設定されている。側部１９２，１９３間の間隔は、遊技盤１８０の厚さと略同一に設定されている。これにより、切欠部１８１ａに基部１９１を装着すると、基部１９１の上面と遊技盤１８０の上面１８１とを同一面に位置させることができる。なお、基部１９１の長さ（図１６（ａ）左右方向）は、切欠部１８１ａの長さ（図１６（ａ）左右方向）と同じ大きさに設定されている。
【０１６７】
側部１９２，１９３及び遊技盤１８０は、相対する位置に、側部１９２，１９３及び遊技盤１８０を貫通する貫通孔１９２ａ，１９３ａ，１８０ａが、それぞれ複数箇所に形成されている（図１６（ａ）及び図１６（ｂ）参照）。これにより図１６（ｂ）に示すように、貫通孔１９２ａ，１９３ａ，１８０ａにボルト１９９（締結部材）を挿通して締結することにより、遊技盤支持部材１９０を遊技盤１８０に固着できる。
【０１６８】
図１６（ａ）に戻って説明する。遊技盤１８０の下部（下面１８２）に固着される遊技盤支持部材１９０の他方は、平面視して矩形状に形成された基部１９５と、その基部１９５の長手方向両側に垂設される側部１９６，１９７と、側部１９６の左右方向一方側（図１６（ａ）左側）に位置し基部１９５と同一面を構成すると共に前方に向けて突設される突設部１９８と、突設部１９８に垂設されるピン１９８ａとを備えて構成されている。基部１９５及び側部１９６，１９７と遊技盤１８０との関係は、遊技盤支持部材１９０の一方の基部１９１及び側部１９３，１９４と遊技盤１８０との関係と同じであるので、説明を省略する。
【０１６９】
なお、遊技盤支持部材１９０の他方についても、側部１９６，１９７及び遊技盤１８０を貫通する貫通孔（図示せず）が貫通形成されており、その貫通孔に締結部材を挿通して締結することにより遊技盤１８０に固着される。図１６（ａ）では貫通孔や締結部材の図示を省略する。
【０１７０】
遊技盤支持部材１９０の一方および他方は、遊技盤１８０の回動基端側（図１６左側）の上下に固着される。これにより、前扉５（図３参照）の受け部７０，７１に形成された孔部（図示せず）にピン１９４ａ，１９８ａを挿入することで、そのピン１９４ａ，１９８ａを回動軸として、前扉５に対して遊技盤１８０を回動（揺動）可能にすることができる。
【０１７１】
なお、遊技盤１８０の回動先端側（図１６（ａ）右側）の側縁４０ｂに、縦板５９及び鉤部６０（図３参照）を設けたり、基枠１６１及び鉤部材１６６，１６７（図１４参照）を設けたりすることができる。縦板５９や基枠１６１は、遊技盤１８０の側縁４０ｂにネジ等を用いて固着することができる。鉤部６０や鉤部材１６６，１６７に相対する前扉５や内枠４の所定箇所に、これらと係合する鉤受け部材等の係合部材を設けることにより、前扉５や内枠４に対して遊技盤１８０の開放または開放規制をすることが可能である。
【０１７２】
以上説明した遊技盤支持部材１９０によれば、遊技盤支持部材１９０を小型にして簡素化できるので、低コスト化を図ることができる。また、遊技領域ＰＥに向かう遊技球が通過する下部領域４３を横切る部材を省略できるので、その部材に遊技球が遮られたり、遊技者に違和感を与えたりすることを抑制できる。
【０１７３】
また、遊技盤支持部材１９０は、ボルト１９９等の締結部材を用いて遊技盤１８０に着脱可能に構成されているので、異なる遊技盤１８０に対して同じ遊技盤支持部材１９０を使用できる。遊技盤支持部材１９０を使い捨てにすることなく、繰り返し使用できる。
【０１７４】
また、遊技盤１８０の上面１８１及び下面１８２の一部を切欠した切欠部１８１ａを形成し、その切欠部１８１ａに遊技盤支持部材１９０を装着するので、遊技盤支持部材１９０の基部１９１，１９５を、遊技盤１８０の上面１８１及び下面１８２と同一面にできる。これにより、正面視における遊技盤１８０の上面１８１及び下面１８２の外縁から、遊技盤支持部材１９０が外側に突出しないようにできる。遊技盤１８０の正面視において遊技盤支持部材１９０が外側に突出している場合には、遊技盤１８０と対面する内枠４に遊技盤支持部材１９０の突出した部分を受け入れる部位を設ける必要があるが、遊技盤１８０に切欠部１８１ａを設けることで遊技盤支持部材１９０が外側に突出することを防ぎ、遊技盤支持部材１９０を受け入れる部位を内枠４に設けることを省略できる。
【０１７５】
また、遊技盤支持部材１９０の左右方向端面は、遊技盤１８０の正面視において、遊技盤１８０の側縁４０ａと同一面となるように設定されている。遊技盤１８０の正面視において遊技盤支持部材１９０が回動基端側に突出している場合には、遊技盤１８０と対面する内枠４に遊技盤支持部材１９０の突出した部分を受け入れる部位を設ける必要があるが、遊技盤支持部材１９０が回動基端側に突出しないように設定されているので、遊技盤支持部材１９０を受け入れる部位を内枠４に設けることを省略できる。また、遊技盤１８０の回動基端側における内枠４の構造を簡素化できる。
【０１７６】
また、遊技盤１８０に切欠部１８１ａを設け、その切欠部１８１ａの長さ（図１６（ａ）左右方向）は、基部１９１の長さ（図１６（ａ）左右方向）と同じ大きさに設定されているので、切欠部１８１ａに遊技盤支持部材１９０を取り付けると、基部１９１の左右方向端面が切欠部１８１ａの左右方向端面と相対する。この状態で、前扉５に形成された受け部７０，７１（孔部）に遊技盤支持部材１９０（ピン１９４ａ，１９８ａ）を取り付けると、遊技盤１８０は遊技盤支持部材１９０で片持ち支持される。そうすると遊技盤１８０には、遊技盤支持部材１９０（ピン１９８ａ）を支点にして落下（回転）しようとする力（モーメント）が作用する（回転方向は図１６（ａ）時計回り）。そのときには、遊技盤支持部材１９０の基部１９５の左右方向端面が、遊技盤１８０の切欠部（図示せず）の左右方向端面と押し合うので、遊技盤１８０の回動基端側への移動を規制する。
【０１７７】
これに対し、遊技盤１８０に切欠部（図示せず）が形成されていないと、遊技盤１８０がピン１９８ａを支点にして落下（回転）しようとしたときは、遊技盤１８０の下部が、回動基端側に位置ずれし易くなる。遊技盤１８０に形成された切欠部１８１ａに遊技盤支持部材１９０を固着することにより、前扉５に遊技盤１８０を安定に支持させることができる。
【０１７８】
また、遊技盤支持部材１９０は、遊技盤１８０の背面および前面に位置する側板１９３１９４，１９６，１９７を備えている。これにより、前扉５に片持ち支持された遊技盤１８０が、背面側に落下（回転）しようとするときに作用する前後方向荷重を受けることができる。遊技盤１８０は背面に保護カバー３５等が取り付けられているので、前扉５の背面に片持ち支持された遊技盤１８０の重心は、前扉５の背面側に位置する。従って、遊技盤１８０は背面側に落下（回転）しようとする力が作用し、遊技盤支持部材１９０の側板１９３，１９４，１９６，１９７は、それによる前後方向荷重を受けることができる。その結果、遊技盤１８０が前後方向にガタついたり移動したりすることを防止できる。
【０１７９】
次に図１７から図２１を参照して第６実施の形態について説明する。第１実施の形態から第５実施の形態では、前扉５の左右一方側の上下方向を回動軸として前扉５に対して遊技盤４０，１４０，１８０が回動可能に構成される場合について説明した。これに対し第６実施の形態では、前扉２０５の左右他方側の上下方向を中心に前扉２０５に対して遊技盤２３０が回動可能に構成される場合について説明する。なお、第１実施の形態と同一の部分については、同一の符号を付して以下の説明を省略する。
【０１８０】
図１７（ａ）は第６実施の形態における前面ユニット２００の前扉２０５の斜視図であり、図１７（ｂ）は遊技盤２３０の斜視図である。なお、前扉２０５は、受け部７０，７１が形成されていない以外は第１実施の形態で説明した前扉５と同様に構成されているので、詳細な説明は省略する。また、図１７（ａ）及び図１７（ｂ）では、前扉２０５に対して遊技盤２３０をスライド可能に支持する機構のみを図示し、その他の前扉２０５の背面側に配設されるガラス８や施錠機構等の図示、及び、遊技盤２３０の盤面に配置される各種役物等の図示を省略している。
【０１８１】
図１７（ａ）に示すように、前扉２０５の背面には遊技盤支持部材２１０が固設されている。遊技盤支持部材２１０は、前扉２０５の背面に遊技盤２３０を左右方向にスライド可能に支持するための部材であり、前扉２０５の背面の下部側に横設され前扉２０５に固定された下部材２１１と、前扉２０５の背面の上部側に横設され前扉２０５に固定された上部材２２１とを備えている。遊技盤２３０は、下部材２２１により下縁部２３１がスライド可能に支持される一方、上部材２２１により上縁部２３２の前後方向の移動が規制される。
【０１８２】
下部材２１１は、前扉２０５の背面に横設され固定される横長の基部２１２と、その基部２１２から背面側に水平に突設される下縁支持部２１３と、その下縁支持部２１３の長手方向に沿い下縁支持部２１３の左右に亘って前扉２０５寄りの下縁支持部２１３に立設される間隔保持部２１４と、その間隔保持部２１４より後方の下縁支持部２１３に立設され間隔保持部材２１４と所定の間隔をあけて位置する立設部２１５とを備えている。
【０１８３】
基部２１２は、前扉２０５の下側の背面に固定される部位であり、ボルトやピン等の金具や溶接等によって前扉２０５に固着される。下縁支持部２１３は、遊技盤２３０の下縁部２３１をスライド可能に支持するための部位であり、基部２１２から背面側に突設され上面が略水平となるように配設されている。
【０１８４】
下縁支持部２１３は、内枠４に対して前扉２０５を開閉するための支持金具３７（ヒンジ、図１０参照）が設けられる前扉２０５の左右一方側（図１７（ａ）右側）の反対側（左右他方側）に、被係合部２１６が設けられている。被係合部２１６は、遊技盤２３０に突設された後述する係合部（軸部２４４）と係合されることで、被係合部２１６を中心として前扉２０５に対する遊技盤２３０の角度を変更可能にするための部位である。本実施の形態では、被係合部２１６は、前扉２０５の左右一方側（図１７（ａ）右側）に向かってスライドする遊技盤２３０の移動を規制するための機能も有している。この機能の詳細は後述する。
【０１８５】
間隔保持部２１４は、前扉２０５の背面と遊技盤２３０の盤面との間に所定の間隔を保持するための部位であり、遊技盤２３０の盤面に立設する誘導レール４２や各種役物（図示せず）等と前扉２０５の背面との干渉を防ぐために設けられる。間隔保持部２１４は、断面矩形状の四角筒状に形成され下縁支持部２１３の左右方向に亘って設けられている。間隔保持部２１４の前後方向の幅は、遊技盤２３０の盤面に立設する誘導レール４２や釘、各種役物（図示せず）等と前扉２０５の背面とが干渉することを防ぐと共に、前扉２０５に設けられたガラス８と誘導レール４２や釘、各種役物（図示せず）等との間隔が開き過ぎるのを防ぐ大きさに設定されている。前扉２０５に設けられたガラス８（図３参照）と誘導レール４２や釘、各種役物（図示せず）等との間隔が開き過ぎると、遊技領域ＰＥに打ち込まれた遊技球がガラス８と釘等との間に挟まる等の不具合が生じるからである。
【０１８６】
立設部２１５は、下縁支持部２１３に支持された遊技盤２３０の背面側への移動を規制するための部位であり、断面矩形状の四角筒状に形成され下縁支持部２１３の左右方向に亘って設けられている。間隔保持部２１４と立設部２１５との間隔（前後方向）は、遊技盤２３０の下縁部２３１の厚さよりわずかに大きめに設定されている。
【０１８７】
間隔保持部２１４及び立設部２１５は断面矩形状の四角筒状に形成されているので、間隔保持部２１４及び立設部２１５が中実状（四角柱状）に形成される場合と比較して、軽量化できる。また、間隔保持部２１４及び立設部２１５を断面矩形状の四角筒状に形成することにより、間隔保持部２１４及び立設部２１５の剛性を確保することができ、ひいては下部材２２１の機械的強度を向上させることができる。
【０１８８】
上部材２２１は、前扉２０５の背面に横設され固定される横長の基部２２２と、その基部２２２から背面側に水平に突設される上縁対面部２２３と、その上縁対面部２２３の長手方向に沿い上縁対面部２２３の左右に亘って前扉２０５寄りの上縁対面部２２３に垂設される間隔保持部２２４と、その間隔保持部２２４より後方の上縁対面部２２３に垂設され間隔保持部材２２４と所定の間隔をあけて位置する垂設部２２５とを備えている。
【０１８９】
基部２２２は、前扉２０５の上側の背面に固定される部位であり、ボルトやピン等の金具や溶接等によって前扉２０５に固着される。上縁対面部２２３は、遊技盤２３０の上縁部２３２をスライド可能にするための部位であり、基部２２２から背面側に突設され下面が略水平となると共に、遊技盤２３０の下縁部２３１及び上縁部２３２の距離より少し大きな間隔を設けて下縁支持部２１３と略平行となるように配設されている。
【０１９０】
上縁対面部２２３は、下縁支持部２１３の被係合部２１６と相対する位置に被係合部２２６が設けられている。被係合部２２６は、遊技盤２３０に突設された後述する係合部（軸部２４４）と係合されることで、被係合部２２６を中心として前扉２０５に対する遊技盤２３０の角度を変更可能にするための部位である。本実施の形態では、被係合部２２６は、被係合部２１６と同様に、前扉２０５の左右一方側（図１７（ａ）右側）に向かってスライドする遊技盤２３０の移動を規制するための機能も有している。この機能の詳細は後述する。
【０１９１】
間隔保持部２２４は、前扉２０５の背面と遊技盤２３０の盤面との間に所定の間隔を保持するための部位であり、遊技盤２３０の盤面に立設する誘導レール４２や各種役物（図示せず）等と前扉２０５の背面との干渉を防ぐために設けられる。間隔保持部２２４は、断面矩形状の四角筒状に形成され上縁対面部２２３の左右方向に亘って設けられている。間隔保持部２２４の前後方向の幅は、遊技盤２３０の盤面に立設する誘導レール４２や釘、各種役物（図示せず）等と前扉２０５の背面とが干渉することを防ぐと共に、前扉２０５に設けられたガラス８と誘導レール４２や釘、各種役物（図示せず）等との間隔が開き過ぎるのを防ぐ大きさに設定されている。
【０１９２】
垂設部２２５は、下縁支持部２１３及び上縁対面部２２３の間に配設された遊技盤２３０の背面側への移動を規制するための部位であり、断面矩形状の四角筒状に形成され上縁対面部２２３の左右方向に亘って設けられている。間隔保持部２２４と垂設部２２５との間隔（前後方向）は、遊技盤２３０の上縁部２３２の厚さよりわずかに大きめに設定されている。これにより、下縁支持部２１３及び上縁対面部２２３の間に配設された遊技盤２３０を、下縁支持部２１３及び上縁対面部２２３に沿って左右方向にスライド可能にできる。
【０１９３】
次に図１７（ｂ）を参照して遊技盤２３０について説明する。遊技盤２３０は、正面視して略方形状の板状の部材であり、誘導レール４２により遊技領域ＰＥが区画されている。遊技盤２３０は、４つの角部のそれぞれに、正面視して矩形状に切欠された凹欠部２３０ａ〜２３０ｄが形成されている。凹欠部２３０ａ〜２３０ｄは、後述するロック装置２４０，２５０が装着される部位である。正面視して略矩形状のロック装置２４０，２５０が凹欠部２３０ａ〜２３０ｄに装着されるので、遊技盤２３０の下縁部２３１及び上縁部２３２からロック装置２４０，２５０の本体部２４１，２５１が張り出さないようにできる。
【０１９４】
ロック装置２４０，２５０は、前扉２０５（遊技盤支持部材２１０）に対してスライド移動する遊技盤２３０の移動を規制するための装置である。ロック装置２４０は、遊技盤２０５の左右一方側（図１７（ｂ）左側）に切欠形成された凹欠部２３０ａ，２３０ｃに装着され、ロック装置２５０は、遊技盤２０５の左右他方側（図１７（ｂ）右側）に切欠形成された凹欠部２３０ｂ，２３０ｄに装着されている。
【０１９５】
ロック装置２４０は、遊技盤２３０の凹欠部２３０ａに装着されると共に上面が上縁部２３２と同一平面上に位置する本体部２４１と、その本体部２４１の左右一方側（図１７（ｂ）左側）を構成し本体部２４１の上面に対して一段低い位置に設定された段差部２４２と、その段差部２４２と本体部２４１の上面との間を繋ぐ本体部２４１の壁部２４３と、その壁部２４３と反対側の段差部２４２の端部寄りに段差部２４２に対して上下方向に出入可能に設けられると共に、段差部２４２から離間する方向に付勢される軸部２４４と、その軸部２４４の周囲に位置すると共に段差部２４２に設けられたスペーサ２４５と、軸部２４４に連係して出没可能に構成されると共に本体部２４１の上面に配置される軸操作部２４６とを備えて構成されている。
【０１９６】
段差部２４２は、本体部２４１の上面と平行となるように設けられ、本体部２４１の上面と段差部２４２との距離（高低差）が、上部材２２１の上縁対面部２２３の下面と間隔保持部２２４及び垂設部２２５の下面との距離（高低差）より大きな値に設定されている。本体部２４１の上面と段差部２４２との距離（高低差）は、同様に、下部材２１１の下縁支持部２１３の上面と間隔保持部２１４及び立設部２１５の上面との距離（高低差）より大きな値に設定されている。これは、遊技盤支持部材２１０に支持された遊技盤２３０の上縁部２３２が間隔保持部２２４及び垂設部２２５で拘束されるのを防ぐためである。詳細は後述する。
【０１９７】
軸部２４４は、段差部２４２から突出する長さが、壁部２４３の高さより大きな値に設定されており、上部材２２１の上縁対面部２２３に形成された被係合部２２６に挿入し係合可能に構成されている。軸部２４４は段差部２４２から離間する方向に弾性部材（図示せず）により付勢されているが、その付勢力に抗する上下方向の力を軸操作部２４６に付与して軸操作部２４６を本体部２４１に沈みこませると、軸操作部２４６に連係して軸部２４４は段差部２４２側へ縮退する。このときに段差部２４２から突出する軸部２４４の長さは、壁部２４３の高さより小さい値となるように設定されている。
【０１９８】
スペーサ２６１は、外径が本体部２４１及び遊技盤２３０の厚さと同一に設定されると共に、高さが壁部２４３の高さと同一に設定された円筒状の部材である。スペーサ２６１は段差部２４２に配置され、円筒状の中心に軸部２４４が貫設されている。
【０１９９】
ロック装置２５０は、遊技盤２３０の凹欠部２３０ｂに装着されると共に上面が上縁部２３２と同一平面上に位置する本体部２５１と、その本体部２５１の上面に上下方向に出入可能に設けられると共に、本体部２５１から離間する方向に弾性部材（図示せず）により付勢される軸部２５２と、本体部２５１の側面に形成される孔部２５３と、その孔部２５３に配設されると共に、軸部２５２に連係して孔部２５３に対して上下方向に移動可能に構成される軸操作部２５４とを備えて構成されている。軸部２５２は、軸部２５２の付勢力に抗して軸操作部２５４を上下方向に操作することにより、軸操作部２５４に連係して本体部２５１側へ縮退する。
【０２００】
次に、図１８を参照してロック装置２４０について説明する。図１８（ａ）はロック装置２４０の側面図であり、図１８（ｂ）はロック装置２４０の正面図であり、図１８（ｃ）はロック装置２４０の背面図である。なお、遊技盤２３０の凹欠部２３０ａ，２３０ｃには、同一のロック装置２４０が天地を逆にして取り付けられている。よって、図１８では、遊技盤２３０の下部に形成された凹欠部２３０ａに取り付けられたロック装置２４０について説明する。
【０２０１】
図１８（ａ）及び図１８（ｃ）に示すように、スペーサ２４５は、厚さ（図１８（ａ）左右方向）が本体部２４１及び遊技盤２３０の厚さと同一に設定された円筒状の部材である。スペーサ２４５は、上下方向に貫通する孔部２４５ａが形成され、その孔部２４５ａに軸部２４４が挿通されて段差部２４２に軸部２４４と同軸状に固定されている。孔部２４５ａの内径は軸部２４４の外径より大きめに設定されている。
【０２０２】
図１８（ｂ）に示すように、段差部２４２とスペーサ２４５の端面２４５ｂとの距離は、壁部２４３の高さと同一に設定されている。また、軸部２４４は、スペーサ２４５の端面２４５ｂから上下方向（軸方向）に突出するように長さが設定されており、下部材２１１の下縁支持部２１３に形成された被係合部２１６に挿入可能（係合可能）に構成されている。軸部２４４は段差部２４２から離間する方向に付勢されているが、その付勢力に抗する上下方向の力を軸操作部２４６に付与して軸操作部２４６を本体部２４１へ埋没させると、軸操作部２４６に連係して軸部２４４は段差部２４２側へ縮退する。その結果、軸部２４４は、先端が、スペーサ２４５の端面２４５ｂと同一平面ないしは同一平面より段差部２４２側に位置するように縮退する。
【０２０３】
なお、図１８（ｂ）に示すように軸操作部２４６は、正面視における外縁が円弧状に形成されており、遊技盤２３０の左右一方側（図１８（ｂ）左側）から左右他方側（図１８（ｂ）右側）に向かうにつれて本体部２４１からの突出量が次第に増加し、最大となる部位を超えると、本体２４１からの突出量が次第に減少するように設定されている。また、図１８（ｃ）に示すように壁部２４３は、背面視して円弧状となる形状に設定されている。
【０２０４】
図１７（ａ）及び図１７（ｂ）に戻って遊技盤支持部材２１０及び遊技盤２３０について説明する。遊技盤支持部材２１０の下縁支持部２１３の上面と上縁対面部２２３の下面との距離は、遊技盤２３０の下縁部２３１と上縁部２３２との距離より少し大きめに設定されている。また、遊技盤支持部材２１０の間隔保持部２１４の上面と間隔保持部２２４の下面との距離、及び、立設部２１５の上面と垂設部２２５の下面との距離は、遊技盤２３０の下縁部２３１と上縁部２３２との距離より小さめに設定されている。これにより、下部材２１１と上部材２２１との間に遊技盤２３０を支持することが可能となる。
【０２０５】
ここで、ロック装置２４０のスペーサ２４５の高さは、下部材２１１の間隔保持部２１４及び立設部２１５の高さより大きな値に設定されている。また、立設部２１５の上面と垂設部２２５の下面との距離Ｈ１は、遊技盤２３０の上下のロック装置２４０の段差部２４２間の距離Ｈ２より大きめに設定されている。下部材２１１及び上部材２２１に形成された被係合部２１６，２２６に軸部２４４をそれぞれ係合させると、遊技盤２３０は下縁支持部２１３等に拘束されることなく、スペーサ２４５及び軸部２４４により軸部２４４（上下方向）を中心に揺動可能となる。
【０２０６】
なお、遊技盤２３０の左右他方側（図１７（ｂ）右側）には、取手部２６０が設けられている。取手部２６０は、遊技盤２３０の盤面の上下方向の略中央に並んで前方に向かって立設される脚部２６１と、その脚部２６１の各頂部間に架設されると共に、正面視して遊技盤２３０の左右他方側（図１７（ｂ）右側）にわずかに張り出すように設けられる張出部２６２とを備えている。取手部２６０、特に張出部２６２は、遊技施設の係員等が手の指を掛けて、遊技盤支持部材２１０に支持された遊技盤２３０を遊技盤支持部材２１０から引き出すための部位である。なお、取手部２６０の盤面からの高さは、誘導レール４２の高さと同一ないしは少し低めに設定されている。遊技盤支持部材２１０に遊技盤２３０を収容するときに取手部２６０が前扉２０５と干渉するのを防ぐためである。
【０２０７】
次に図１９を参照して、遊技盤支持部材２１０に遊技盤２３０を支持する方法について説明する。図１９は前扉２０５に遊技盤２３０が装着された前面ユニット２００の斜視図である。
【０２０８】
遊技盤支持部材２１０に遊技盤２３０を収容するときには、まず、前扉２０５の左右他方側（図１９左側）の下部材２１１の間隔保持部２１４と立設部２１５との間の下縁支持部２１３に、軸部２４４を押し付けつつスペーサ２４５を載せる。そうすると、遊技盤２３０の重量で軸部２４４がスペーサ２４５内に埋没する。次いで、スペーサ２４５を下部材２１１に沿って摺動させると共に、上部材２２１側のロック装置２４０の軸操作部２４６を押して軸部２４４をスペーサ２４５内に収縮させつつ、下部材２１１と上部材２２１との間に遊技領域ＰＥを前扉２０５側に向けて遊技盤２３０を挿入する。
【０２０９】
下部材２１１と上部材２２１との間にロック装置２４０のスペーサ２４５が挿入されて、下部材２１１に形成された被係合部２１６の位置に軸部２４４が達すると、軸部２４４は外向き（下向き）に付勢されているので、軸部２４４は被係合部２１６に係合する。そうすると遊技盤２３０をスライド移動できなくなるので、ロック装置２４０の軸操作部２４６を押し、軸部２４４を収縮させて軸部２４４を被係合部２１６から抜脱する。一方、上部材２２１側のロック装置２４０の軸操作部２４６は押されて軸部２４４が収縮しているので、軸部２４４は被係合部２２６に係合できない。これにより遊技盤２３０を前扉２０５の左右一方側（図１９右側）にスライド移動させることができる。
【０２１０】
さらに下部材２１１と上部材２２１との間に遊技盤２３０をスライド移動させると、遊技盤２３０の上下に配置されたロック装置２５０の軸部２５２が下縁支持部２１３及び上縁対面部２２３の端面に到達する。軸部２５２は下縁支持部２１３及び上縁対面部２２３より外側に突出しているので、このままでは遊技盤２３０をスライド移動させることはできない。そこでロック装置２５０の軸操作部２５４を操作し、軸部２５２を収縮させ、軸部２５２を本体部２５１に埋没させる。これにより遊技盤２３０を続けてスライド移動させることができる。
【０２１１】
遊技盤２３０の上下に配置されたロック装置２５０の軸部２５２が被係合部２１６，２２６の位置に達すると、軸部２５２は外向き（上下方向）に付勢されているので、軸部２５２は被係合部２１６，２２６にそれぞれ係合する。これにより遊技盤２３０のスライド移動が規制され、遊技盤２３０が遊技盤支持部材２１０（前扉２０５）に保持される。
【０２１２】
なお、外枠２及び内枠４に対する前扉５の回動軸となるヒンジ（支持金具３７、受金具３８、図１０参照）を前扉２０５の左右一方側（図１９右側）に取り付けて、外枠２及び内枠４に前扉２０５を取り付けた後、前扉２０５（遊技盤支持部材２１０）に遊技盤２３０を保持させることができる。これにより外枠２、内枠４及び前扉２０５を変えずに遊技盤２３０を交換することができる。
【０２１３】
また、前扉２０５（遊技盤支持部材２１０）に遊技盤２３０を保持させた後、ヒンジ（支持金具３７、受金具３８、図１０参照）を取り付けて、遊技盤２３０を保持した前扉２３０を外枠２及び内枠４に取り付けることは可能である。これにより外枠２及び内枠４を変えずに前扉２０５及び遊技盤２３０を交換することができる。
【０２１４】
次に、遊技盤支持部材２１０から遊技盤２３０を引き出す方法について説明する。取手部２６０は、背面視して遊技盤２３０の左右他方側（図１９左側）にわずかに張り出すように張出部２６２が設けられている。よって、遊技施設の係員等は張出部２６２に手の指を掛けることができる。張出部２６２に手の指を掛けて遊技盤支持部材２１０から遊技盤２３０を引き出しつつ、ロック装置２５０の軸操作部２５４を操作して軸部２５２を被係合部２１６，２２６から抜脱することにより、遊技盤２３０を左右他方側（図１９左側）にスライド移動させることができる。
【０２１５】
なお、下縁支持部２１３及び上縁対面部２２３の左右方向の長さは、遊技盤２３０の左右方向の長さより少し短めに設定されている。従って、軸部２５２が被係合部２１６，２２６にそれぞれ係合し、遊技盤２３０が遊技盤支持部材２１０（前扉２０５）に保持された状態では、下縁支持部２１３及び上縁対面部２２３の左右一方側（図１９右側）からロック装置２４０の軸部２４４は露呈する。しかし、下縁支持部２１３及び上縁対面部２２３は、遊技盤２３０が遊技盤支持部材２１０（前扉２０５）に保持された状態で、ロック装置２４０の軸操作部２４６は押縮できるように左右方向の長さが設定されている。これにより、遊技盤２３０を左右他方側（図１９左側）にスライド移動させるときに、遊技施設の係員等は、ロック装置２４０の軸操作部２４６を操作しなくても、軸部２４４が下縁支持部２１３及び上縁対面部２２３と干渉することを防止でき、遊技盤２３０をスムーズにスライド移動させることができる。
【０２１６】
また、下縁支持部２１３及び上縁対面部２２３は、遊技盤２３０が遊技盤支持部材２１０（前扉２０５）に保持された状態で、ロック装置２４０の軸部２４４は押縮できないが軸操作部２４６は押縮できるように左右方向の長さが設定されている。よって、下縁支持部２１３及び上縁対面部２２３の左右方向の長さを、ロック装置２４０の軸部２４４も押縮できるように設定する場合と比較して、短くできる。その結果、下縁支持部２１３及び上縁対面部２２３の長さを短縮できる分だけ、遊技盤支持部材２１０を軽量化できる。
【０２１７】
また、前扉２０５の左右一方側（図１９右側）に取り付けられるヒンジ（回動軸）を中心に前扉２０５は開閉する。回動軸を中心とする前扉２０５の軌跡（円弧）の長さは、中心角が一定の場合は回動軸からの距離（半径）に比例して大きくなる。一方、中心角の大きさは、軌跡（円弧）の長さが一定の場合は回動軸からの距離（半径）に反比例して小さくなる。そのため、回動軸に近い側（図１９右側）は前扉２０５と内枠４とが干渉し易くなる。これに対し、下縁支持部２１３及び上縁対面部２２３の左右方向の長さを短くして、回動軸に近い側（図１９右側）の下縁支持部２１３及び上縁対面部２２３を省略することで、前扉２０５（遊技盤支持部材２１０）と内枠４とを干渉し難くできる。その結果、内枠４に対して前扉２０５をスムーズに開閉できる。
【０２１８】
次に図２０及び図２１を参照して、遊技盤支持部材２１０から引き出されて左右他方側（図２０左側）にスライド移動した遊技盤２３０について説明する。図２０は前扉２０５に遊技盤２３０が装着された前面ユニット２００の斜視図であり、図２１は前扉２０５に対して遊技盤２３０を回動する状態を示す前面ユニット２００の平面図である。なお、図２１では、下部材２１１と遊技盤２３０との関係を図示しているが、上部材２２１と遊技盤２３０との関係も同様であるので、上部材２２１と遊技盤２３０との関係を図示することは省略する。
【０２１９】
図２０に示すように、遊技盤２３０が遊技盤支持部材２１０の左右他方側（図２０左側）にスライド移動されると、ロック装置２４０の軸部２４４がそれぞれ被係合部２１６，２２６の位置に到達する。軸部２４４はそれぞれ上下方向外向きに付勢されているので、軸部２４４はそれぞれ被係合部２１６，２２６に挿入し係合する。
【０２２０】
このときは、遊技盤支持部材２１０の被係合部２１６，２２６の位置に遊技盤２３０（ロック装置２４０）の段差部２４２が位置する。上下のロック装置２４０の段差部２４２間の距離Ｈ２（図１７参照）は、立設部２１５の上面と垂設部２２５の下面との距離Ｈ１より小さめに設定されているので、立設部２１５及び垂設部２２５は上下のロック装置２４０の段差部２４２を拘束できない。しかし、段差部２４２にスペーサ２４５（図１８参照）が設けられている。スペーサ２４５の高さはロック装置２４０の壁部２４３と同一の高さに設定されているので、遊技盤２３０はスペーサ２４５により立設部２１５及び垂設部２２５に拘束される。これにより遊技盤２３０が遊技盤支持部材２１０から離脱することを防止できる。
【０２２１】
なお、ロック装置２４０の軸操作部２４６を本体部２４１に押し込めば、被係合部２１６，２２６より軸部２４４を抜脱できるので、遊技盤支持部材２１０から遊技盤２３０を取り外すことができる。
【０２２２】
ここで、図２１に示すように、円筒状のスペーサ２４５は間隔保持部２１４及び立設部２１５の間に位置し、スペーサ２４５の外径は間隔保持部２１４及び立設部２１５の間隔より少し小さめに設定されている。これにより、軸部２４４及びスペーサ２４５を上下方向の軸中心として、遊技盤支持部材２１０（前扉１０５）に対して遊技盤２３０を揺動可能にできる。
【０２２３】
また、遊技盤２３０が揺動するときには、遊技盤２３０（ロック装置２４０）の左右方向の端部は、軸部２４４を揺動中心とする軌跡Ｔ１を描く。その軌跡Ｔ１が前扉２０５の背面と干渉しないように、軸部２４４の位置が設定されている。これにより、遊技盤２３０（ロック装置２４０）の左右方向の端部が遊技盤２３０の自由な揺動を規制することを防止できる。
【０２２４】
また、遊技盤２３０が揺動するときには、ロック装置２４０の壁部２４３は、軸部２４４を揺動中心とする軌跡Ｔ２を描く。その軌跡Ｔ２が遊技盤支持部材２１０（立設部２１５）の左右方向の端部と干渉しないように、壁部２４３の位置が設定されている。これにより、ロック装置２４０の壁部２４３が遊技盤２３０の自由な揺動を規制することを防止できる。
【０２２５】
なお、ロック装置２４０の壁部２４３は、形状が、平面視して軸部２４４に向かって凸の円弧状に形成されている。これにより、遊技盤２３０が大きく揺動して立設部２１５の背面にロック装置２４０の壁部２４３が当たった場合の衝撃を緩和できる（力を分散できる）。その結果、その衝撃による立設部２１５や壁部２４３の破損を防止できる。
【０２２６】
これに対し、壁部２４３が平面視して平面状に形成されている場合には、ロック装置２４０の本体部２４１の側面との稜に角が形成される。その場合に遊技盤２３０が大きく揺動して立設部２１５の背面にロック装置２４０の壁部２４３が当たった場合は、壁部２４３の角が立設部２１５の背面にぶつかるので、衝撃が大きくなる（力が集中する）。そうすると、その衝撃により立設部２１５や壁部２４３が破損するおそれがある。壁部２４３の形状を平面視して軸部２４４に向かって凸の円弧状に形成することにより、立設部２１５や壁部２４３を破損し難くできる。
【０２２７】
次に図２２を参照して、前扉１０５に対して揺動させた遊技盤２３０の固定方法について説明する。図２２は前扉２０５と背面ユニット（内枠４）との間に遊技盤２３０を固定した前面ユニット２００の斜視図である。なお、図２２では、内枠４に対して前扉２０５を揺動自在に支持するヒンジ（支持金具３７、受金具３８、図１０参照）の図示は省略する。
【０２２８】
図２２に示すように、内枠４の前面側の左右他方側（図２２右側）には、取手係止部２７０が取手部１６０と同じ高さに配置されている。取手係止部２７０は、遊技盤２３０に突設された取手部２６０を係止するための部位であり、内枠４の前面側に固定される縦長の板状のベース部２７１と、そのベース部２７１の上下方向に並設される複数の係止部２７２とを備えている。係止部２７２は、取手部２６０の張出部２６２を係止するための部位であり、左右に対向する一対の爪部がベース部２７１に突設されている。爪部間に張出部２６２を嵌め込むことにより張出部２６２が係止部２７２に係止される。
【０２２９】
前扉２０５の左右他方側（図２２右側）に遊技盤２３０の一側縁部側（軸部２４４側）が支持され、且つ、内枠４（背面ユニット）の左右他方側（図２２右側）に遊技盤２３０の他側縁部側（取手部２６０側）が支持されることで、遊技盤２３０は内枠４（背面ユニット）及び前扉２３０に固定される。これにより、内枠４、前扉２０５及び遊技盤２３０を平面視して三角形のトラス状の構造にできる。トラス状の構造とすることで外力に対する抵抗力を大きくできるので、遊技盤２３０（遊技領域ＰＥ）のメンテナンスを行うときに遊技盤２３０が変位することを防止でき、メンテナンス作業の安定性を向上できる。
【０２３０】
また、遊技盤２３０はヒンジ（図示せず）を中心に内枠４に対して前扉２０５が開放されたときに、前扉２０５に対する角度が変位可能に構成されているので、前扉２０５に対して遊技盤２３０の盤面（遊技領域ＰＥ）を開放して盤面の掃除等のメンテナンスを行うことができる。さらに、ヒンジを中心に内枠４に対して前扉２０５が開放されたときに、遊技盤２３０の一側縁部（軸部２４４）と被係合部２１６，２２６とを係合させ、遊技盤２３０の一側縁部（軸部２４４側）とヒンジとの距離を定められた値に変位可能にできる。よって、前扉２０５に対して遊技盤２３０の角度を変位させ、且つ、遊技盤２３０の一側縁部（軸部２４４側）と回動軸（ヒンジ）との距離をあけることで、遊技盤２３０の盤面のうち、前扉２０５に邪魔されてメンテナンスを行い難い一側縁部側（軸部２４４側）のメンテナンス性を向上できる。
【０２３１】
また、遊技盤２３０は、回動軸（ヒンジ）を中心に内枠４に対して前扉１０５が開放されたときに、遊技盤２３０の一側縁部（軸部２４４側）と回動軸（ヒンジ）とが離間するように前扉２０５の背面に沿って左右方向にスライド可能に構成されている。よって、回動軸（ヒンジ）の上下方向に亘って遊技盤２３０の一側縁部（軸部２４４側）と回動軸（ヒンジ）との間隔をあけることができる。さらに、前扉２０５に対して遊技盤２３０の一側縁部側（軸部２４４側）の上下方向の軸部２４４を中心に遊技盤２３０を回動することにより、前扉２０５に対して遊技盤２３０の盤面を開放できる。従って、回動軸（ヒンジ）の上下方向に亘って遊技盤２３０の一側縁部側（軸部２４４側）のメンテナンス性を向上できる。
【０２３２】
また、前扉１０５の背面側の上下に配設されると共に左右方向に延びる遊技盤スライド支持部（下部材２１１及び上部材２２１）により遊技盤２３０が左右方向にスライド可能に支持される。遊技盤スライド支持部（下部材２１１及び上部材２２１）に支持された遊技盤２３０の一側縁部（軸部２４４側）と回動軸（ヒンジ）とが所定の距離だけ離間したときに、遊技盤２３０の一側縁部側の上下にそれぞれ設けられる係合部（軸部２４４）は、遊技盤スライド支持部の被係合部２１６，２２６と係合する。これにより、遊技盤２３０の一側縁部（軸部２４４側）と回動軸（ヒンジ）とが所定の距離だけ離間した状態で、遊技盤スライド支持部（下部材２１１及び上部材２２１）に対して遊技盤２３０が回動可能に支持される。遊技盤２３０に係合部（軸部２４４）を設けると共に、その係合部が係合可能な被係合部２１６，２２６を遊技盤スライド支持部（下部材２１１及び上部材２２１）に設ける構造なので、前面ユニット２００の構造を簡素化できる。
【０２３３】
次に図２３から図２５を参照して第７実施の形態について説明する。第６実施の形態では、前扉２０５の背面に固定された遊技盤支持部材２１０に保持された遊技盤２３０の軸部２４４と、遊技盤支持部材２１０に設けられた被係合部２１６，２２６とを係合させて、軸部２４４を中心に遊技盤２３０を揺動させる場合について説明した。これに対し第７実施の形態では、前扉２０５の背面に固定された遊技盤支持部材３１０に保持された遊技盤３３０のピニオン３３２と、遊技盤支持部材３１０に設けられたラック３１５とを係合させて、ピニオン３３２に固定された軸状部材３３１を中心に遊技盤３３０を揺動させる場合について説明する。なお、第６実施の形態で説明したものと同一の部分については、同一の符号を付して以下の説明を省略する。図２３は第７実施の形態における前面ユニット３００の斜視図である。
【０２３４】
図２３に示すように、前扉２０５の背面には遊技盤支持部材３１０が固設されている。遊技盤支持部材３１０は、前扉２０５の背面に遊技盤３３０を左右方向にスライド可能に支持するための部材であり、前扉２０５の背面の下部側に横設され前扉２０５に固定された下部材３１１と、前扉２０５の背面の上部側に横設され前扉２０５に固定された上部材３２１とを備えている。遊技盤３３０は、遊技盤３３０の上下方向に貫設される軸状部材３３１と、その軸状部材３３１の両端に固定された２個のピニオン３３２とを備え、それらピニオン３３２は下部材３１１及び上部材３２１によりそれぞれ支持される。
【０２３５】
下部材３１１は、前扉２０５の背面に横設され固定される横長の基部３１２と、その基部３１２から背面側に水平に突設される下縁支持部３１３と、その下縁支持部３１３の長手方向に沿い下縁支持部３１３の左右に亘って前扉２０５寄りの下縁支持部３１３に立設される間隔保持部３１４と、その間隔保持部３１４の背面側に形設または配置されるラック３１５と、そのラック３１５より後方の下縁支持部３１３に立設されラック３１５と所定の間隔をあけて位置する立設部３１６とを備えている。
【０２３６】
基部３１２は、前扉２０５の下側の背面に固定される部位であり、ボルトやピン等の金具や溶接等によって前扉２０５に固着される。下縁支持部３１３（離間支持部）は、遊技盤３３０の下方に突設されるピニオン３３２（軸支持部）をスライド可能に支持するための部位であり、基部３１２から背面側に突設され上面が略水平となるように配設されている。
【０２３７】
間隔保持部３１４は、前扉２０５の背面と遊技盤３３０の盤面との間に所定の間隔を保持するための部位であり、遊技盤３３０の盤面に立設する誘導レールや各種役物（いずれも図示せず）等と前扉２０５の背面との干渉を防ぐために設けられる。間隔保持部３１４は、断面矩形状の四角柱状に形成され下縁支持部３１３の左右方向に亘って設けられている。間隔保持部３１４の前後方向の幅は、遊技盤３３０の盤面に立設する誘導レールや釘、各種役物（図示せず）等と前扉２０５の背面とが干渉することを防ぐと共に、前扉２０５に設けられたガラス８と誘導レールや釘、各種役物（図示せず）等との間隔が開き過ぎるのを防ぐ大きさに設定されている。前扉２０５に設けられたガラス８（図３参照）と誘導レールや釘、各種役物（図示せず）等との間隔が開き過ぎると、遊技領域ＰＥに打ち込まれた遊技球がガラス８と釘等との間に挟まる等の不具合が生じるからである。
【０２３８】
ラック３１５は、間隔保持部３１４の背面側に形設される部位または配置される部材であり、間隔保持部３１４の左右方向に亘って設けられている。ラック３１５は、遊技盤３３０の下方に突設されるピニオン３３２を係合するためのものである。
【０２３９】
立設部３１６は、ラック３１５と係合したピニオン３３２の背面側への移動を規制するための部位であり、断面矩形状の四角筒状に形成され下縁支持部３１３の左右方向に亘って設けられている。立設部３１６のラック３１５との対向面は、平坦状に形成されているので、ピニオン３３２はラック３１５と係合して回動しながら立設部３１６に沿って移動する。
【０２４０】
下縁支持部３１３の左右一方側（図２３右側）の端部には、ラック３１５と立設部３１６との間にストッパ３１７が配設固定される。ストッパ３１７は、ラック３１５と係合して回動しながら立設部３１６に沿って移動するピニオン３３２が、下縁支持部３１３の左右一方側（図２３右側）の端部から脱落することを防止するための部材である。なお、下部材３１１及び上部材３２１にそれぞれピニオン３３２を挿入して、下部材３１１と上部材３２１との間に遊技盤３３０を挿入した後、下縁支持部３１３の左右他方側（図２３左側）の端部に、同様のストッパ（図示せず）が配設固定される。下部材３１１及び上部材３２１に挿入されたピニオン３３２が、下縁支持部３１３の左右他方側（図２３左側）の端部から脱落することを防止するためである。
【０２４１】
上部材３２１は、前扉２０５の背面に横設され固定される横長の基部３２２と、その基部３２２から背面側に水平に突設される上縁対面部３２３と、その上縁対面部３２３の長手方向に沿い上縁対面部３２３の左右に亘って前扉２０５寄りの上縁対面部３２３に垂設される間隔保持部３２４と、その間隔保持部３２４の背面側に形設または配置されるラック（図示せず）と、そのラックより後方の上縁対面部３２３に垂設されラックと所定の間隔をあけて位置する垂設部３２６とを備えている。
【０２４２】
基部３２２は、前扉２０５の上側の背面に固定される部位であり、ボルトやピン等の金具や溶接等によって前扉２０５に固着される。上縁対面部３２３は、遊技盤３３０の上方に突設されるピニオン３３２（図２４参照）をスライド可能に支持するための部位であり、基部３２２から背面側に突設され上面が略水平となるように配設されている。
【０２４３】
間隔保持部３２４は、前扉２０５の背面と遊技盤３３０の盤面との間に所定の間隔を保持するための部位であり、遊技盤３３０の盤面に立設する誘導レールや各種役物（図示せず）等と前扉２０５の背面との干渉を防ぐために設けられる。間隔保持部３２４は、断面矩形状の四角柱状に形成され上縁対面部３２３の左右方向に亘って設けられている。間隔保持部３２４の前後方向の幅は、遊技盤３３０の盤面に立設する誘導レールや釘、各種役物（図示せず）等と前扉２０５の背面とが干渉することを防ぐと共に、前扉２０５に設けられたガラス８と誘導レールや釘、各種役物（図示せず）等との間隔が開き過ぎるのを防ぐ大きさに設定されている。
【０２４４】
ラック（図示せず）は、間隔保持部３２４の背面側に形設される部位または配置される部材であり、間隔保持部３２４の左右方向に亘って設けられている。ラックは、遊技盤３３０の上方に突設されるピニオン３３２（図２４参照）を係合するためのものである。
【０２４５】
垂設部３２６は、ラック（図示せず）と係合したピニオン３３２の背面側への移動を規制するための部位であり、断面矩形状の四角筒状に形成され下縁支持部３２３の左右方向に亘って設けられている。垂設部３２６のラック（図示せず）との対向面は、平坦状に形成されているので、ピニオン３３２はラックと係合して回動しながら垂設部３２６に沿って移動する。
【０２４６】
上縁対面部３２３の左右一方側（図２３右側）の端部には、ラック（図示せず）と垂設部３２６との間にストッパ３２７が配設固定される。ストッパ３２７は、垂設部３２６に沿って移動するピニオン３３２が、上縁対面部３２３の左右一方側（図２３右側）の端部から脱落することを防止するための部材である。なお、下部材３１１及び上部材３２１にそれぞれピニオン３３２を挿入して、下部材３１１と上部材３２１との間に遊技盤３３０を挿入した後、上縁対面部３２３の左右他方側（図２３左側）の端部に、同様のストッパ（図示せず）が配設固定される。下部材３１１及び上部材３２１に挿入されたピニオン３３２が、上縁対面部３２３の左右他方側（図２３左側）の端部から脱落することを防止するためである。
【０２４７】
次に、図２４を参照して遊技盤３３０について説明する。図２４は前面ユニット３００の背面図である。図２４に示すように遊技盤３３０は、左右一方側（図２４右側）の上下方向に亘って軸状部材３３１が貫設され、その軸状部材３３１は遊技盤３３０に対して回動可能に構成されている。軸状部材３３１は、両端にピニオン３３２が回転不能に固定されているので、二つのピニオン３３２の移動量を同期させることができる。
【０２４８】
また、遊技盤３３０の上下（図２４上下方向）の長さ（高さ）は、下部材３１１と上部材３２１との間隔よりわずかに小さな値に設定されており、遊技盤３３０の前後（図２４紙面垂直方向）の厚さは、間隔保持部３１４と立設部３１６との間隔および間隔保持部３２４と垂設部３２６との間隔より大きな値に設定されている。これにより遊技盤３３０が、遊技盤支持部材３１０に対して軸状部材３３１及びピニオン３３２で片持ち支持されることを抑制できる。下部材３１１及び上部材３２１により、軸状部材３３１及びピニオン３３２だけでなく遊技盤３３０も支持されるからである。遊技盤３３０の鉛直荷重を間隔保持部３１４及び立設部３１６（遊技盤スライド支持部）が受けることで軸状部材３３１及びピニオン３３２等の負担を軽減できるので、軸状部材３３１及びピニオン３３２等の耐久性を向上できる。
【０２４９】
次に図２５を参照して、下部材３１１及び上部材３２１に対して揺動するときの遊技盤３３０について説明する。図２５は前扉２０５に対して遊技盤３３０を回動する状態を示す前面ユニット３００の平面図である。図２５に示すようにピニオン３３２はラック３１５に係合しているので、立設部３１６に沿ってピニオン３３２を容易にスライド移動させることができる。
【０２５０】
また、遊技盤３３０が揺動するときには、遊技盤３３０の左右方向の端部は、軸状部材３３１を揺動中心とする軌跡Ｔ１を描く。その軌跡Ｔ１が前扉２０５の背面と干渉しないように、軸状部材３３１の位置が設定されている。これにより、遊技盤３３０の左右方向の端部が遊技盤３３０の自由な揺動を規制することを防止できる。その結果、ピニオン３３２が係合するラック３１５の任意の位置で軸状部材３３１を中心に遊技盤３３０を揺動させ、遊技盤３３０の盤面を開放できる。これにより、遊技盤３３０の遊技領域ＰＥに関する不具合の解消作業を容易に行うことができる。
【０２５１】
即ち、遊技盤３３０の遊技領域ＰＥに遊技球が留まってしまう等の不具合が生じた場合には、遊技施設の係員が、内枠４に対して前扉２０５を開放した後、ラック３１５の任意の位置で遊技盤スライド支持部（遊技盤支持部材２１０）に対して遊技盤３３０を回動する。これにより遊技盤３３０の遊技領域ＰＥを開放できる。ラック３１５の任意の位置で遊技領域ＰＥにアクセス可能にできるので、遊技領域ＰＥに関する不具合の解消作業性を向上できる。
【０２５２】
また、遊技盤３３０の一側縁部（左右一方側（図２４右側））の上下方向に軸状部材３３１が貫設され、その軸状部材３３１の両端に、軸状部材３３１と相対回転不能にピニオン３３２が固定されているので、上下のピニオン３３２の移動量を同期させることができる。その結果、遊技盤３３０のどの部分を操作しても遊技盤３３０のスライド移動を円滑かつ確実に行うことができる。
【０２５３】
なお、下部材３１１及び上部材３２１の左右他方側（図２３左側）に配設固定されたストッパ（図示せず）によりピニオン３３２の左右他方側への移動を規制すると共に、遊技盤３３０に設けられた取手部２６０（図２２参照）を、内枠４に設けられた取手係止部２７０に係止する。これにより、内枠４、前扉５及び遊技盤３３０を、平面視して三角形のトラス状に固定できる。トラス状の構造とすることで外力に対する抵抗力を大きくできるので、遊技盤３３０のメンテナンスを行うときに遊技盤３３０が変位することを防止でき、メンテナンス作業の安定性を向上できる。
【０２５４】
次に図２６及び図２７を参照して、第８実施の形態について説明する。第６及び第７実施の形態では、前扉２０５の背面に遊技盤支持部材２１０，３１０が揺動不能に固定される場合について説明した。これに対し第８実施の形態では、第１実施の形態から第５実施の形態のように、前扉５の背面の左右一方側（図２６右側）に遊技盤支持部材４１０が軸支される場合について説明する。なお、第１実施の形態および第６実施の形態と同一の部分については、同一の符号を付して以下の説明を省略する。図２６は第８実施の形態における前面ユニット４００の前扉５及び遊技盤支持部材４１０の斜視図であり、図２７は遊技盤４３０の背面斜め上側から見た斜視図である。
【０２５５】
図２６に示すように遊技盤支持部材４１０は、前扉５の左右一方側（図２６右側）の背面側に揺動可能に取着されると共に、遊技盤４３０を左右方向にスライド可能に支持するための部材であり、遊技盤４３０の左右方向の幅と略同一の長さに設定された下部材４１１と、その下部材４１１と略平行となるように遊技盤４３０の上下方向の長さと略同一の間隔をあけて配設される上部材４２１と、それら上部材４２１及び下部材４１１を連結する上下連結部４２９（４２９ａ，４２９ｂ）とを備えている。遊技盤４３０は、下部材４２１により下縁部４３１がスライド可能に支持される一方、上部材４２１により上縁部４３２の前後方向の移動が規制される。
【０２５６】
下部材４１１は、遊技盤４３０の下縁部４３１が載置される下縁支持部４１２と、その下縁支持部４１２の長手方向の一方の側縁に沿い下縁支持部４１２の左右に亘って立設される間隔保持部４１３と、その間隔保持部４１３と所定の間隔をあけて下縁支持部４１２の他方の側縁に沿って立設される立設部４１４とを備えている。
【０２５７】
下縁支持部４１２は、遊技盤４３０の下縁部４３１をスライド可能に支持するための部位であり、上面が略水平となるように配設されている。下縁支持部４１２は、内枠４に対して前扉５を開閉するための支持金具３７（ヒンジ、図１０参照）が設けられる前扉５の左右一方側（図２６右側）の反対側（左右他方側）に、被係合部４１５が設けられている。
【０２５８】
被係合部４１５は、遊技盤４３０に突設された後述する係合部（軸部２４４）と係合されることで、遊技盤４３０を支持する遊技盤支持部材４１０の角度を、被係合部４１５を中心として変更可能にするための部位である。本実施の形態では、被係合部４１５は、遊技盤支持部材４１０の左右一方側（図２６右側）に向かってスライドする遊技盤４３０の移動を規制するための機能も有している。この機能の詳細は後述する。
【０２５９】
また、下縁支持部４１２は、支持金具３７（ヒンジ、図１０参照）が設けられる前扉５の左右一方側（図２６右側）に、被係合部４１６が設けられている。被係合部４１６は、遊技盤４３０に突設された係合部（軸部２４４）と係合されることで、遊技盤４３０を、支持金具３７（ヒンジ、図１０参照）から離隔するための部位である。
【０２６０】
間隔保持部４１３は、前扉５の背面と遊技盤４３０の盤面との間に所定の間隔を保持するための部位であり、遊技盤４３０の盤面に立設する誘導レールや各種役物（図示せず）等と前扉５の背面との干渉を防ぐために設けられる。間隔保持部４１３は、断面矩形状の四角筒状に形成され下縁支持部４１２の左右方向に亘って設けられている。
【０２６１】
間隔保持部４１３の前後方向の幅は、遊技盤４３０の盤面に立設する誘導レールや釘、各種役物（図示せず）等と前扉５の背面とが干渉することを防ぐと共に、前扉５に設けられたガラス８（図３参照）と誘導レールや釘、各種役物（図示せず）等との間隔が開き過ぎるのを防ぐ大きさに設定されている。前扉５に設けられたガラス８と誘導レールや釘、各種役物（図示せず）等との間隔が開き過ぎると、遊技領域ＰＥに打ち込まれた遊技球がガラス８と釘等との間に挟まる等の不具合が生じるからである。
【０２６２】
立設部４１４は、下縁支持部４１２に支持された遊技盤４３０の背面側への移動を規制するための部位であり、断面矩形状の四角筒状に形成され下縁支持部４１２の左右方向に亘って設けられている。間隔保持部４１３と立設部４１４との間隔（前後方向）は、遊技盤２３０の下縁部２３１の厚さよりわずかに大きめに設定されている。
【０２６３】
間隔保持部４１３及び立設部４１４は断面矩形状の四角筒状に形成されているので、間隔保持部４１３及び立設部４１４が中実状（四角柱状）に形成される場合と比較して、軽量化できる。また、間隔保持部４１３及び立設部４１４を断面矩形状の四角筒状に形成することにより、間隔保持部４１３及び立設部４１４の剛性を確保することができ、ひいては下部材４１１の機械的強度を向上させることができる。
【０２６４】
なお、下部材４１１（間隔保持部４１３）の左右一方側（図２６右側）の端部には、立設部４１４と反対方向に延びるように下部金具５５が設けられている。下部金具５５は、下方に延びるピン５５ａが突設されており、そのピン５５ａが、前扉５に設けられた受け部７１の孔部（図示せず）に係合される。
【０２６５】
上部材２２１は、遊技盤４３０の上縁部４３２が対面する上縁支持部４２２と、その上縁対面部４２２の長手方向の一方の側縁に沿い上縁対面部４２２の左右に亘って立設される間隔保持部４２３と、その間隔保持部４２３と所定の間隔をあけて上縁対面部４２２の他方の側縁に沿って垂設される垂設部４２４とを備えている。
【０２６６】
上縁対面部４２２は、遊技盤４３０の上方への移動を規制するための部位であり、下面が下縁支持部４１２の上面と平行となるように配設されている。上縁対面部４２２は、内枠４に対して前扉５を開閉するための支持金具３７（ヒンジ、図１０参照）が設けられる前扉５の左右一方側（図２６右側）の反対側（左右他方側）に、被係合部４２５が設けられている。
【０２６７】
被係合部４２５は、遊技盤４３０に突設された係合部（軸部２４４）と係合されることで、遊技盤４３０を支持する遊技盤支持部材４１０の角度を、被係合部４２５を中心として変更可能にするための部位である。本実施の形態では、被係合部４２５は、遊技盤支持部材４１０の左右一方側（図２６右側）に向かってスライドする遊技盤４３０の移動を規制するための機能も有している。この機能の詳細は後述する。
【０２６８】
また、上縁対面部４２２は、支持金具３７（ヒンジ、図１０参照）が設けられる前扉５の左右一方側（図２６右側）に、被係合部４２６が設けられている。被係合部４２６は、遊技盤４３０に突設された係合部（軸部２４４）と係合されることで、遊技盤４３０を、支持金具３７（ヒンジ、図１０参照）から所定の距離だけ離隔するための部位である。
【０２６９】
間隔保持部４２３は、前扉５の背面と遊技盤４３０の盤面との間に所定の間隔を保持するための部位であり、遊技盤４３０の盤面に立設する誘導レールや各種役物（図示せず）等と前扉５の背面との干渉を防ぐために設けられる。間隔保持部４２３は、断面矩形状の四角筒状に形成され上縁対面部４２２の左右方向に亘って設けられている。
【０２７０】
間隔保持部４２３の前後方向の幅は、遊技盤４３０の盤面に立設する誘導レールや釘、各種役物（図示せず）等と前扉５の背面とが干渉することを防ぐと共に、前扉５に設けられたガラス８（図３参照）と誘導レールや釘、各種役物（図示せず）等との間隔が開き過ぎるのを防ぐ大きさに設定されている。
【０２７１】
垂設部４１４は、遊技盤４３０の背面側への移動を規制するための部位であり、断面矩形状の四角筒状に形成され上縁対面部４１２の左右方向に亘って設けられている。間隔保持部４２３と垂設部４２４との間隔（前後方向）は、遊技盤２３０の下縁部２３１の厚さよりわずかに大きめに設定されている。
【０２７２】
間隔保持部４２３及び垂設部４２４は断面矩形状の四角筒状に形成されているので、間隔保持部４２３及び垂設部４２４が中実状（四角柱状）に形成される場合と比較して、軽量化できる。また、間隔保持部４２３及び垂設部４２４を断面矩形状の四角筒状に形成することにより、間隔保持部４１３及び垂設部４２４の剛性を確保することができ、ひいては上部材４２１の機械的強度を向上させることができる。
【０２７３】
なお、上部材４２１（間隔保持部４２３）の左右一方側（図２６右側）の端部には、垂設部４２４と反対方向に延びるように上部金具５４が設けられている。上部金具５４は、下方に延びるピン５４ａが突設されており、そのピン５４ａが、前扉５の背面側の左右一方側に設けられた受け部７０の孔部（図示せず）に係合される（図２６部分拡大図参照）。
【０２７４】
上下連結部４２９は、上下に分離した下部材４１１及び上部材４２１を連結するための部材である。上下連結部４２９ａにより、下部材４１１及び上部材４２１の左右他方側（図２６左側）の間隔保持部４１３，４２３との間が連結され、上下連結部４２９ｂにより、下部材４１１及び上部材４２１の左右一方側（図２６右側）の端面間が連結される。上下連結部４２９ａにより下部材４１１及び上部材４２１の間隔保持部４１３，４２３間が連結されるので、遊技盤４３０を下部材４１１及び上部材４２１間に挿入するときに、遊技盤４３０の背面に配置される保護カバー（図示せず）等が邪魔にならないようにできる。また、上下連結部４２９ｂにより下部材４１１及び上部材４２１の端面間が連結されるので、遊技盤支持部材４１０の機械的強度を向上させることができる。さらに、上下連結部４２９ｂにより遊技盤４３０の一側面が覆われるので、前扉５と内枠４との隙間から針金等を挿入することにより行われる不正行為を抑制できる。
【０２７５】
次に図２７を参照して遊技盤４３０について説明する。遊技盤４３０は、正面視して略方形状の板状の部材であり、遊技盤４３０は、４つの角部のそれぞれに、正面視して矩形状に切欠された凹欠部４３０ａ〜４３０ｄが形成されている。凹欠部４３０ａ〜４３０ｄは、ロック装置４４０，２５０が装着される部位である。
【０２７６】
ロック装置４４０，２５０は、遊技盤支持部材４１０に対してスライド移動する遊技盤４３０の移動を規制するための装置である。ロック装置４４０は、遊技盤５の左右一方側（図２７右側）に切欠形成された凹欠部４３０ａ，４３０ｃに装着され、ロック装置２５０は、遊技盤５の左右他方側（図２７左側）に切欠形成された凹欠部４３０ｂ，４３０ｄに装着されている。
【０２７７】
ロック装置４４０は、遊技盤４３０の凹欠部４３０ａに装着されると共に上面が上縁部４３２と同一平面上に位置する本体部４４１と、その本体部４４１の左右一方側（図２７右側）を構成し本体部４４１の上面に対して一段低い位置に設定された段差部２４２と、その段差部２４２と本体部２４１の上面との間を繋ぐ本体部４４１の壁部２４３とを備えている。
【０２７８】
また、ロック装置４４０は、壁部２４３と反対側の段差部２４２の端部寄りに段差部２４２に対して上下方向に出入可能に設けられると共に、段差部２４２から離間する方向に付勢される軸部２４４と、その軸部２４４の周囲に位置すると共に段差部２４２に設けられたスペーサ２４５と、軸部２４４に連係して出没可能に構成されると共に本体部４４１の背面に形成される孔部４４２と、その孔部４４２に配設されると共に、軸部２４４に連係して孔部４４２に対して上下方向に移動可能に構成される軸操作部４４３とを備えて構成されている。軸部２４４は、軸部２４４の付勢力に抗して軸操作部４４３を上下方向に操作することにより、軸操作部４４３に連係して本体部４４１側へ縮退する。
【０２７９】
次に、遊技盤支持部材４１０に遊技盤４３０を支持する方法について説明する。内枠４に前扉５を支持させ、その前扉５に遊技盤支持部材４１０を支持させた状態において、遊技盤支持部材４１０に遊技盤４３０を収容するときには、まず、下部材４１１の間隔保持部４１３と立設部４１４との間の下縁支持部４１２に、軸部２４４を押し付けつつスペーサ２４５を載せる。そうすると、遊技盤４３０の重量で軸部２４４がスペーサ２４５内に埋没する。次いで、スペーサ２４５を下部材４１１に沿って摺動させると共に、上部材４２１側のロック装置４４０の軸操作部４４３を押し下げて、軸部２４４をスペーサ２４５内に収縮させつつ、下部材４１１と上部材４２１との間に遊技領域ＰＥを前扉５側に向けて遊技盤４３０を挿入する。
【０２８０】
下部材４１１と上部材４２１との間にロック装置２４０のスペーサ２４５が挿入されて、下部材４１１に形成された被係合部４１５の位置に軸部２４４が達すると、軸部２４４は外向き（下向き）に付勢されているので、軸部２４４は被係合部４１５に係合する。そうすると遊技盤４３０をスライド移動できなくなるので、ロック装置４４０の軸操作部４４３を操作して上方に押し上げ、軸部２４４を収縮させて軸部２４４を被係合部４１５から抜脱する。一方、上部材４２１側のロック装置４４０の軸操作部４４３は押し下げられて軸部２４４が収縮しているので、軸部２４４は被係合部４２５に係合できない。これにより遊技盤４３０を遊技盤支持部材４１０の左右一方側（図２６右側）にスライド移動させることができる。
【０２８１】
遊技盤４３０の上下に配置されたロック装置４４０の軸部２４４が被係合部４１６，４２６の位置に達すると、軸部２４４は外向きに付勢されているので、軸部２４４は被係合部４１６，４２６にそれぞれ係合する。遊技盤４３０のスライド移動が規制されるので、ロック装置４４０の軸操作部４４３を操作し、軸部２４４を収縮させ、軸部２４４を本体部４４１に埋没させる。これにより遊技盤４３０を続けてスライド移動させることができる。
【０２８２】
さらに下部材４１１と上部材４２１との間に遊技盤４３０をスライド移動させると、遊技盤４３０の上下に配置されたロック装置２５０の軸部２５２（図１７（ｂ）参照）が下縁支持部４１２及び上縁対面部４２２の端面に到達する。軸部２５２は下縁支持部４１２及び上縁対面部４２２より外側（上下）に突出しているので、このままでは遊技盤４３０をスライド移動させることはできない。そこでロック装置２５０の軸操作部２５４を操作し、軸部２５２を収縮させ、軸部２５２を本体部２５１に埋没させる。これにより遊技盤４３０を続けてスライド移動させることができる。
【０２８３】
遊技盤４３０の上下に配置されたロック装置２５０の軸部２５２が被係合部４１５，４２５の位置に達すると、軸部２５２は外向き（上下方向）に付勢されているので、軸部２５２は被係合部４１５，４２５にそれぞれ係合する。これにより遊技盤４３０のスライド移動が規制され、遊技盤４３０が遊技盤支持部材４１０に保持される。
【０２８４】
なお、内枠４に前扉５を支持させ、その前扉５に遊技盤支持部材４１０を支持させた状態において、遊技盤支持部材４１０に遊技盤４３０を保持させる場合について説明したが、この方法と手順を変えて、遊技盤支持部材４１０に遊技盤４３０を保持させた後、その遊技盤支持部材４１０を前扉５に支持させるようにすることは可能である。
【０２８５】
次に、遊技盤４３０を保持する遊技盤支持部材４１０を前扉５に支持させ、その前扉５を内枠４及び外枠２に支持させた状態において、遊技盤４３０の盤面（遊技領域ＰＥ）に対して掃除等のメンテナンスを行う場合の方法を説明する。この場合、内枠４に対して前扉５及び遊技盤支持部材４３０を開放した後、ピン５４ａ，５５ａを回動軸として、遊技盤支持部材４３０を前扉５に対して開放する。次いで、上下のロック装置２５０の軸操作部２５４（図１７（ｂ）参照）を操作して、軸部２５２を本体部２５１側に縮退させる。これにより、軸部２５２が被係合部４１５，４２５から抜脱されるので、遊技盤４３０を左右他方側（図２６左側）にスライド移動させることができる。
【０２８６】
遊技盤４３０の上下に配置されたロック装置４４０の軸部２４４が被係合部４１６，４２６の位置に達すると、軸部２４４は外向き（上下方向）に付勢されているので、軸部２４４は被係合部４１６，４２６にそれぞれ係合する。被係合部４１６，４２６の位置に軸部２４４が達し、遊技盤４３０の一側縁部と回動軸（ピン５４ａ，５５ａ）とが所定の距離だけ離間したときに、遊技盤４３０の所定部（軸部２４４）と移動規制部（被係合部４１６，４２６）とが係合して遊技盤スライド支持部（下部材４１１及び上部材４２１）に対する遊技盤４３０のスライド移動が規制される。その結果、回動軸（ピン５４ａ，５５ａ）の上下方向に亘って遊技盤４３０の一側縁部との間隔をあけることができるので、遊技盤４３０の一側縁部側のメンテナンス性を向上できる。
【０２８７】
なお、下部材４１１及び上部材４２１にそれぞれ被係合部４１６，４２６が係合されているので、遊技盤４３０の上下に配置されたロック装置４４０の軸操作部４４３を操作して軸部２４４を被係合部４１６，４２６から離脱させた後、遊技盤４３０を遊技盤支持部材４１０から抜き出す方向にスライドさせた場合には、軸部２４４が被係合部４１６，４２６の位置に達すると、軸部２４４は被係合部４１６，４２６にそれぞれ係合する。これにより、被係合部４１６，４２６に係合した軸部２４４の上下方向を回動軸として、遊技盤支持部材４１０に対して遊技盤４３０を回動（揺動）させ、遊技盤４３０の遊技領域ＰＥを外側に向けることができる（図２２参照）。これにより、遊技盤４３０の盤面のメンテナンス性を向上させることができる。
【０２８８】
さらに、遊技盤４３０に設けられた取手部２６０を、内枠４に設けられた取手係止部２７０（図２２参照）に係止することにより、内枠４、前扉５及び遊技盤４３０を、平面視して三角形のトラス状に固定できる。トラス状の構造とすることで外力に対する抵抗力を大きくできるので、遊技盤のメンテナンスを行うときに遊技盤が変位することを防止でき、メンテナンス作業の安定性を向上できる。
【０２８９】
次に、図２８から図３２を参照して第９実施の形態について説明する。第６実施の形態から第８実施の形態では、遊技盤２３０，３３０，４３０が左右方向にスライド可能に支持されることで、内枠４に対して開閉可能に支持される前扉５，２０５の回動軸に対して遊技盤２３０，３３０，４３０が離間される場合について説明した。これに対し第９実施の形態では、前扉５１０と遊技盤５２０とを連結するヒンジ装置（上側ヒンジ装置５３０及び下側ヒンジ装置５９０）により、回動軸に対して遊技盤５２０が離間される場合について説明する。図２８は第９実施の形態における前面ユニット５００の上側ヒンジ装置５３０の部分拡大図であり、図２９は伸長した上側ヒンジ装置５３０の斜視図であり、図３０は収縮した上側ヒンジ装置５３０の斜視図である。図３１は下側ヒンジ装置５９０の断面図であり、図３２は上側ヒンジ装置５３０を伸長した前面ユニット５００の部分拡大図である。
【０２９０】
上側ヒンジ装置５３０は伸縮可能なヒンジ装置として構成されており、図２８に示すように、遊技盤５２０の左側縁部の前面上端部および前扉５１０の左側縁部の背面上端部間に連結されている。図２９に示すように上側ヒンジ装置５３０は、基体５４０、リンク部材５５０，５７０及び結合部材５８０を備えている。
【０２９１】
基体５４０は、前扉５１０に支持される部位であり、図２９に示すように断面Ｕ字状に形成されたＵ字体５４２及びＵ字体５４２の両側縁に設けられるフランジ５４１により一体的に構成されている。フランジ５４１は、厚さ方向に貫通する貫通孔５４１ａが形成されており、その貫通孔５４１ａにネジ等の締結部材が挿通されることで前扉５１０に固定される。Ｕ字体５４２は、フランジ５４１の一方から他方（前扉５１０を正面視して背面右側）に向けて傾斜するように設けられている。換言すれば、前扉５１０を正面視して前扉５１０の背面右側に位置するフランジ５４１はＵ字体５４２に対して側縁から鋭角状に延設され、前扉５１０を正面視して前扉５１０の背面左側に位置するフランジ５４１はＵ字体５４２に対して側縁から鈍角状に延設されている。
【０２９２】
リンク部材５５０は、基体５４０に連結される部材であり、断面コ字状に形成された第１連結部５５３と、第１連結部５５３の幅方向両端部からＬ字状に延出する延出片５５１とを備えている。リンク部材５５０は、延出片５５１がＵ字体５４２の両側に位置し、各延出片５５１の端部が軸５５２によりＵ字体５４２に回動自在に連結されている。リンク部材５５０の伸長時においては、第１連結部５５３は基体５４０に対し下方に向けて傾斜状に位置するように構成されている。
【０２９３】
リンク部材５７０は、リンク部材５５０と結合部材５８０との間に相対回動自在に連結される部材であり、幅方向両端部から延出する延出片を備え断面コ字状に形成される第２連結部５７１を備えている。リンク部材５７０は、延出片により第１連結部５５３と連結軸５７２を介し上下方向に回動自在に連結されている。
【０２９４】
本実施の形態では、リンク部材５５０は、軸５５２を中心とする時計回りの回動により、基体５４０のＵ字体５４２を外方から覆うことができるように、第１連結部５５３の幅が設定されている。また、リンク部材５７０は、連結軸５７２を中心とする反時計回りの回動により、リンク部材５５０の第１連結部５５３を外方から覆うことができるように、第２連結部５７１の幅が設定されている。
【０２９５】
結合部材５８０は、遊技盤５２０の上端面に支持される部材であり、断面コ字状に形成された第３連結部５８１と、その第３連結部５８１の上端縁から延設される結合片５８３を備え、それらが一体的に構成されている。第３連結部５８１は軸５８２により第２連結部５７１に回動自在に連結されている。軸５８２は、第３連結部５８１の２箇所に架設され横設されている。なお、結合片５８３は、第３連結部５８１の上端縁からＬ字状に屈曲して延出されており、結合片５８３の先端側には、厚さ方向に貫通する貫通孔５８４が形成されている。
【０２９６】
ここで、図２８に戻って、結合部材５８０により支持される遊技盤５２０について説明する。遊技盤５２０の左側上端部には、遊技盤支持部材５２１が、遊技盤５２０の上端面を跨いで遊技盤５２０にネジ等により固着されている。遊技盤支持部材５２１は、上面に上方へ向けて軸状部５２２が突設されている。軸状部５２２は、結合片５８３（図２９参照）の先端側に形成された貫通孔５８４に回動可能に嵌装される部材である。これにより、前扉５１０に対しリンク装置５３０を介して遊技盤５２０が回動可能に支持される。
【０２９７】
図２９に戻って説明する。連結軸５７２には圧縮コイルバネ５７３が巻装されている。圧縮コイルバネ５７３は、その両端部が、第２連結部５７１（リンク部材５７０）及び第１連結部５５３（リンク部材５５０）に係止されている。これにより圧縮コイルバネ５７３は、連結軸４４３を軸としてリンク部材５５０に近づく方向にリンク部材５７０を回動させるように付勢する。
【０２９８】
上側ヒンジ装置５３０はロック機構５６０を備えている。ロック機構５６０は、結合部材５８０を基体５４０にロックするための機構であり、基体５４０のＵ字体５４２の上端に支持されている。ロック機構５６０は、Ｕ字体５４１の左右両側に互いに対向して配置される側壁部５６１と、その側壁部５６１を連結する側壁連結部５６２と、側壁部５６１を基体５４０に対し回動自在に支持する軸５６３と、側壁部５６１からリンク部材５５０が延出される方向に向かって突出する係止爪部５６４と、その係止爪部５６４の反対側に設けられ操作することにより軸５６３に対して側壁部５６１を一方向に回動する爪操作部５６５と、軸５６３に対して側壁部５６１を他方向に回動するように付勢する図示しない弾性部材（図示せず）とを備えている。弾性部材は圧縮コイルバネにより構成され、軸５６３に巻装されている。
【０２９９】
なお、弾性部材（図示せず）により付勢される係止爪部５６４は、連結部材５８０の軸５８２を係止可能に構成されている。爪操作部５６５を操作することにより係止爪部５６４が上方（図２９反時計回り）に移動し、係止爪部５６４から軸５８２が離脱する。
【０３００】
次に図３１を参照して下側ヒンジ装置５９０について説明する。下側ヒンジ装置５９０は、前扉５１０及び遊技盤５２０の各左側縁部に連結されている。下側ヒンジ装置５９０は、前扉５１０に設けられる台部５９１と、その台部５９１の上面に凹設される凹部５９２と、遊技盤５２０の下部に設けられるロッド部５９３を備えて構成されている。凹部５９２は、前扉５１０の左側縁部から背面側に突設される台部５９１の上面に略円錐状に形成されている。ロッド部５９３は、遊技盤５２０の左側縁部の下端面から下方へ延出されており、凹部５９２内に回動自在に且つ前後左右方向に傾動自在に受承されている。
【０３０１】
以上のように構成される前面ユニット５００は、図２８に示すように、上側ヒンジ装置５３０及び下側ヒンジ装置５９０（図３１参照）により、軸状部５２２及びロッド部５９３の上下方向を回動軸として前扉５１０に対して遊技盤５２０が回動自在に構成される。このとき上側ヒンジ装置５３０は、ロック機構５６０により軸５８２が係止され、リンク部材５５０，５７０は基体５４０に対し折り重なった状態に保持される（図３０参照）。
【０３０２】
ここで、上側ヒンジ装置５３０のロック機構５６０の爪操作部５６５を、弾性部材の付勢力に抗して下方に押し下げると、係止爪部５６４が軸５８２から上方へ解離する。それに伴い上側ヒンジ装置５３０では、結合部材５８０が、遊技盤５２０の自重により背面側へ引っ張られる。そうすると、リンク部材５５０が軸５５２を基準に反時計方向（図２９）に回動すると共に、圧縮コイルバネ５７３の弾力に抗してリンク部材５７０が連結軸５７２を中心に時計方向（図２９）へ回動する。その結果、リンク部材５７０はリンク部材５５０から離れるように円滑に変位する。このとき、下側ヒンジ装置５９０（図３１参照）においては、ロッド部５９３が凹部５９２内において前扉５１０の背面側へ傾動する。
【０３０３】
上述したように基体５４０は、左右のフランジ５４１に対しＵ字体５４２が背面右側に傾斜するように前扉５１０の背面側に支持されている。また、上側ヒンジ装置５３０は、伸長した状態で、結合部材５８０及びリンク部材５５０，５７０が、直線状に連結される（図３２参照）。その結果、前扉５１０は、下側ヒンジ装置５９０を支点にして、前扉５１０の左側縁部から後方かつ右側へ傾斜するように、上側ヒンジ装置５３０を介して遊技盤５２０を支持する。
【０３０４】
上側ヒンジ装置５３０が回動軸（内枠４と前扉５１０とを連結するヒンジ）を中心に回動する半径方向に伸長されるので、遊技盤５２０の左側の部位を、Ｖ字状の間隔をあけて前扉５１０の左側縁部から大きく離れて位置させることができる。その結果、遊技盤５２０の盤面の左側の部位の清掃作業やメンテナンスを、前扉５１０の左側縁部により邪魔されることなく容易にできる。特に、遊技盤５２０と前扉５１０との間隔は、遊技盤５２０の上部側を下部側に比べて大きくできるので、遊技盤５２０の盤面の上部側のメンテナンスを行う場合に、盤面の下部側のメンテナンスを行う場合と比較して、作業性を向上できる。
【０３０５】
また、前扉５１０は、前扉５１０の後方かつ右側へ傾斜するように、上側ヒンジ装置５３０を介して遊技盤５２０を支持するので、上側ヒンジ装置５３０を伸長したときに、遊技盤５２０と内枠４（図２参照）とが干渉することを防止できる。基体５４０のＵ字体５４２が、フランジ５４１に対してフランジ５４１の一方から他方（前扉５１０を正面視して背面右側）に向けて傾斜するように設けられているからである。即ち、上側ヒンジ装置５３０を伸長したときに、内枠４に対して前扉５１０が回動する回動域内に、遊技盤５２０を位置させることができる。その結果、遊技盤５２０と内枠４との干渉を防止できる。
【０３０６】
なお、上側ヒンジ装置５３０を伸長状態から屈曲状態にして、前扉５１０と遊技盤５２０とのＶ字状の間隔を詰める場合には、下側ヒンジ装置５９０を支点にして、遊技盤５２０の左側側縁を前扉５１０の左側側縁に近づけるように力を加える。リンク部材５５０，５７０の間に配置される圧縮コイルバネ５７３は、連結軸４４３を軸としてリンク部材５５０に近づく方向にリンク部材５７０を回動させるように付勢しているので、比較的軽微な力で、リンク部材５７０をリンク部材５５０に近づけて基体５４０に対し折り重なった状態にすることができる。そして、軸５８２を係止爪部５６４に係合させることにより、上側ヒンジ装置５３０を屈曲状態（収縮状態）にロックすることができる。
【０３０７】
次に図３３から図３６を参照して第１０実施の形態について説明する。第９実施の形態では、前扉５１０に対して遊技盤５２０を開放した状態で、上側ヒンジ装置５３０のロックを解除することにより、下側ヒンジ装置５９０を支点として上側ヒンジ装置５３０を伸長させ、前扉５１０と遊技盤５２０との間隔を設ける場合について説明した。
【０３０８】
これに対し第１０実施の形態では、前扉６１０に遊技盤６２０を支持するヒンジ装置６３０が、前扉６１０に対して遊技盤６２０を開放するときに伸長し、前扉６１０に対して遊技盤６２０を閉じるときに収縮する場合について説明する。図３３は第１０実施の形態における前面ユニット６００の斜視図であり、図３４はヒンジ装置６３０の斜視図であり、図３５はヒンジ装置６３０を収縮した前面ユニット６００の断面図であり、図３６はヒンジ装置６３０を伸長した前面ユニット６００の断面図である。図３３に示すように、前扉６１０及び遊技盤６２０は上下に並設されたヒンジ装置６３０により連結されている。ヒンジ装置６３０は、前扉６１０の背面側および遊技盤６２０の盤面にそれぞれ固着されている。
【０３０９】
図３４に示すようにヒンジ装置６３０は、前扉６２０に止着される止着金具６３１と、第１アーム６３４、第２アーム６３３、第３アーム６３４及び第４アーム６３５と、遊技盤６１０を係止する係止金具６３６とを備えて構成されている。止着金具６３１は、Ｌ字状に形成される部材であり、前扉６１０に締結されるビス等が挿通される挿通孔６４０が所定の面に貫通形成されている。止着金具６３１のＬ字型短辺の先端に、支軸６４２によって上下一対の第１アーム６３２が軸支されている。
【０３１０】
第１アーム６３２の中程よりやや先端寄りには、支軸６４４により上下一対の第２アーム６３３が軸支されている。第２アーム６３３は、一端が支軸６４６により係止金具６３６に軸支される一方、他端が支軸６４３により第３アーム６３４に軸支されている。その第３アーム６３４は、一端が止着金具６３１のＬ字型短辺の基部に支軸６４１によって軸支されている。
【０３１１】
第４アーム６３５は、一端が支軸６４５により第１アーム６３２の端部に軸支され、他端が支軸６４７により係止金具６３６に軸支されている。係止金具６３６には、遊技盤６２０と係合する係止片６３７が突設されている。係止片６３７は、係止金具６３６の背面から鉤状平板が上方に向けて突設する構造とされている。その係止片６３７は、遊技盤６２０の盤面側に固設される係合金具６２１（遊技盤支持部材、図３５参照）と遊技盤６２０との隙間に、下方から挿入される。これにより、遊技盤６２０をヒンジ装置６３０に対して着脱可能にできる。
【０３１２】
ヒンジ装置６３０においては、支軸６４４，６４５，６４６，６４７を結ぶ四角形が常に平行四辺形となるように設計されており、第１アーム６３４、第２アーム６３３、第３アーム６３４及び第４アーム６３５を閉じた状態で、支軸６４４，６４５を結ぶ直線が前扉６１０に対して平行となるように設定されている。そのため、支軸６４６，６４７に連結される係止金具６３６も前扉６１０に対して平行となる。また、支軸６４４，６４６を通る直線と支軸６４１を通る水平線との交点がほぼ支軸６４３の位置となるように設定されている。
【０３１３】
第１アーム６３４、第２アーム６３３、第３アーム６３４及び第４アーム６３５を閉じた状態から開放状態に移動する際には、第１アーム６３２及び第４アーム６３４が平面視して反時計回りに回動する。その第１アーム６３２の反時計回りの回動につれて、初期の段階では、支軸６４３が図３５の左方向に移動する。そのため初期の段階では、支軸６４６が僅かに左方向に移動しながら後方に移動する。その後、支軸６４６は右方向に移動しながら後方へ移動する。支軸６４４，６４５を結ぶ直線と支軸６４６，６４７を結ぶ直線とは平行であるため、前扉６１０に対する係止金具６３６の傾斜角度は、第１アーム６３２の回転角度に比例して徐々に大きくなる。本実施の形態では、最終的に第１アーム６３２が前扉６１０に対して略直角となるまで回動されるように設定されているので、係止金具６３６も前扉６１０に対して略直角となるまで回動する。
【０３１４】
これにより、遊技盤６２０の左側の部位を、前扉６１０の左側縁部から大きく離して位置させることができる。その結果、遊技盤６２０の盤面の左側の部位の清掃作業やメンテナンスを、前扉６１０の左側縁部により邪魔されることなく容易にできる。また、ヒンジ装置６３０によれば、前扉６１０に対して遊技盤６２０を開放（回動）させるだけで、回動軸（内枠４と前扉６１０とを連結するヒンジ）を中心に回動する半径方向にヒンジ装置６３０が伸長されるので、操作性に優れている。
【０３１５】
なお、本実施の形態では、最終的に第１アーム６３２が前扉６１０に対して略直角となるまで回動されるようにヒンジ装置６３０が設定されている場合について説明した。その結果、前扉６１０に対して遊技盤６２０が略直角となるまで遊技盤６２０が回動される。しかし、必ずしもこれに限るものではなく、前扉６１０に対して遊技盤６２０が何度になるまで回動できるようにするかは、適宜設定することが可能である。
【０３１６】
但し、前扉６１０に対する遊技盤６２０の最終的な角度を、９０°未満の鋭角に設定することが望ましい。前扉６１０に対する遊技盤６２０の最終的な角度が、９０°を超える角度に設定されていると、遊技盤６２０と内枠４とが干渉しないようにするためには、前扉６１０を内枠４に対して９０°を超える角度まで大きく開かなければならなくなる。その場合は、複数のパチンコ機１が列設された遊技施設においては、前扉６１０が隣合うパチンコ機１に干渉することになり、遊技盤６２０の盤面のメンテナンスを行い難くなるからである。
【０３１７】
次に図３７を参照して第１１実施の形態について説明する。第７実施の形態では、軸状部材３３１に相対回転不能に固定されたピニオン３３２と、遊技盤支持部材３１０に設けられたラック３１５とを係合させ、軸状部材３３１を中心にピニオン３３２を自転させつつ下縁支持部３１３の上をスライドさせる場合について説明した。これに対し第１１実施の形態では、軸状部材７３１に対して部支持部７３２を相対回動可能に固定し、その軸支持部７３２を遊技盤支持部材７１０がスライド可能に支持する場合について説明する。なお、第１実施の形態および第７実施の形態で説明したものと同一の部分については、同一の符号を付して以下の説明を省略する。図３７は第１１実施の形態における前面ユニット７００の斜視図である。
【０３１８】
図３７に示すように、前扉２０５の背面には遊技盤支持部材７１０が固設されている。遊技盤支持部材７１０は、前扉２０５の背面に遊技盤３３０を左右方向にスライド可能に支持するための部材であり、前扉２０５の背面の下部側に横設され前扉２０５に固定された下部材７１１と、前扉２０５の背面の上部側に横設され前扉２０５に固定された上部材７２１とを備えている。
【０３１９】
遊技盤３３０は、遊技盤３３０の上下方向に貫設される軸状部材７３１と、その軸状部材７３１の両端に固定された２個の軸支持部７３２とを備えている。軸状部材７３１は、遊技盤３３０の左右一方側（図３７右側）の上下方向に亘って貫設される部材であり、遊技盤３３０に対して回動可能に構成されている。軸状部材７３１は、両端に軸支持部７３２が軸支持部７３２回りに回転不能に固定されている。軸支持部７３２は直方体状に形成される部材であり、それら軸支持部７３２は下部材７１１及び上部材７２１によりそれぞれ支持される。軸支持部７３２は、下部材７１１の間隔保持部７１４及び立設部７１５の対向面と対面する側面が平行となるように設定されている。
【０３２０】
下部材７１１は、前扉２０５の背面に横設され固定される横長の基部７１２と、その基部７１２から背面側に水平に突設される下縁支持部７１３と、その下縁支持部７１３の長手方向に沿い下縁支持部７１３の左右に亘って前扉２０５寄りの下縁支持部７１３に立設される間隔保持部７１４と、その間隔保持部７１４の背面側に間隔保持部７１４と所定の間隔をあけて配置される立設部７１５とを備えている。
【０３２１】
基部７１２は、前扉２０５の下側の背面に固定される部位であり、ボルトやピン等の金具や溶接等によって前扉２０５に固着される。下縁支持部７１３（離間支持部）は、遊技盤３３０の下方に配置される軸支持部７３２をスライド可能に支持するための部位であり、基部７１２から背面側に突設され上面が略水平となるように配設されている。
【０３２２】
間隔保持部７１４は、前扉２０５の背面と遊技盤３３０の盤面との間に所定の間隔を保持するための部位であり、遊技盤３３０の盤面に立設する誘導レールや各種役物（いずれも図示せず）等と前扉２０５の背面との干渉を防ぐために設けられる。間隔保持部７１４は、断面矩形状の四角筒状に形成され下縁支持部７１３の左右方向に亘って設けられている。間隔保持部７１４の前後方向の幅は、遊技盤３３０の盤面に立設する誘導レールや釘、各種役物（図示せず）等と前扉２０５の背面とが干渉することを防ぐと共に、前扉２０５に設けられたガラス８（図３参照）と誘導レールや釘、各種役物（図示せず）等との間隔が開き過ぎるのを防ぐ大きさに設定されている。前扉２０５に設けられたガラス８と誘導レールや釘、各種役物（図示せず）等との間隔が開き過ぎると、遊技領域ＰＥに打ち込まれた遊技球がガラス８と釘等との間に挟まる等の不具合が生じるからである。
【０３２３】
立設部７１５は、下縁支持部７１３に支持される軸支持部７３２の背面側への移動を規制するための部位であり、断面矩形状の四角筒状に形成され下縁支持部７１３の左右方向に亘って設けられている。立設部７１５と間隔保持部７１４との対向面は、平坦状に形成されているので、軸支持部７３２は、立設部７１５と間隔保持部７１４とに拘束されつつ下縁支持部７１３の上を摺動する。
【０３２４】
下縁支持部７１３の左右一方側（図３７右側）の端部には、間隔保持部７１４と立設部７１５との間にストッパ７１６が配設固定される。ストッパ７１６は、軸支持部７３２が下縁支持部７１３の左右一方側（図３７右側）の端部から脱落することを防止するための部材である。なお、下部材７１１及び上部材７２１にそれぞれ軸支持部７３２を挿入して、下部材７１１と上部材７２１との間に遊技盤３３０を挿入した後、下縁支持部７１３の左右他方側（図３７左側）の端部に、同様のストッパ（図示せず）が配設固定される。下部材７１１及び上部材７２１に挿入された軸支持部７３２が、下縁支持部７１３の左右他方側（図３７左側）の端部から脱落することを防止するためである。
【０３２５】
上部材７２１は、前扉２０５の背面に横設され固定される横長の基部７２２と、その基部７２２から背面側に水平に突設される上縁対面部７２３と、その上縁対面部７２３の長手方向に沿い上縁対面部７２３の左右に亘って前扉２０５寄りの上縁対面部７２３に垂設される間隔保持部７２４と、その間隔保持部７２４の背面側に配置され上縁対面部７２３に垂設され間隔保持部７２４と所定の間隔をあけて位置する垂設部７２５とを備えている。
【０３２６】
基部７２２は、前扉２０５の上側の背面に固定される部位であり、ボルトやピン等の金具や溶接等によって前扉２０５に固着される。上縁対面部７２３は、遊技盤３３０の上方に突設される軸支持部（図示せず）をスライド可能に支持するための部位であり、基部７２２から背面側に突設され上面が略水平となるように配設されている。
【０３２７】
間隔保持部７２４は、前扉２０５の背面と遊技盤３３０の盤面との間に所定の間隔を保持するための部位であり、遊技盤３３０の盤面に立設する誘導レールや各種役物（図示せず）等と前扉２０５の背面との干渉を防ぐために設けられる。間隔保持部７２４は、断面矩形状の四角筒状に形成され上縁対面部７２３の左右方向に亘って設けられている。間隔保持部７２４の前後方向の幅は、遊技盤３３０の盤面に立設する誘導レールや釘、各種役物（図示せず）等と前扉２０５の背面とが干渉することを防ぐと共に、前扉２０５に設けられたガラス８と誘導レールや釘、各種役物（図示せず）等との間隔が開き過ぎるのを防ぐ大きさに設定されている。
【０３２８】
垂設部７２５は、軸支持部（図示せず）の背面側への移動を規制するための部位であり、断面矩形状の四角筒状に形成され下縁支持部７２３の左右方向に亘って設けられている。間隔保持部７２４及び垂設部７２５は、対向面が互いに平行となるように形成されており、軸支持部（図示せず）の前後方向の移動を規制し、左右方向にスライド可能にする。
【０３２９】
上縁対面部７２３の左右一方側（図３７右側）の端部には、間隔保持部７２４と垂設部７２５との間にストッパ７１６が配設固定される。ストッパ７１６は、垂設部７２５に沿って移動する軸支持部（図示せず）が、上縁対面部７２３の左右一方側（図３７右側）の端部から脱落することを防止するための部材である。なお、下部材７１１及び上部材７２１にそれぞれ軸支持部７３２を挿入して、下部材７１１と上部材７２１との間に遊技盤３３０を挿入した後、上縁対面部７２３の左右他方側（図３７左側）の端部に、同様のストッパ（図示せず）が配設固定される。下部材７１１及び上部材７２１に挿入された軸支持部７３２が、上縁対面部７２３の左右他方側（図３７左側）の端部から脱落することを防止するためである。
【０３３０】
ここで、遊技盤３３０の上下（図３７上下方向）の長さ（高さ）は、下部材７１１と上部材７２１との間隔よりわずかに小さな値に設定されており、遊技盤３３０の前後の厚さは、間隔保持部７１４と立設部７１５との間隔および間隔保持部７２４と垂設部７２５との間隔より大きな値に設定されている。これにより遊技盤３３０が、遊技盤支持部材７１０に対して軸状部材７３１及び軸支持部７３２で片持ち支持されることを抑制できる。下部材７１１及び上部材７２１により、軸状部材７３１及び軸支持部７３２だけでなく遊技盤３３０も支持されるからである。遊技盤３３０の鉛直荷重を間隔保持部７１４及び立設部７１５（遊技盤スライド支持部）が受けることで軸状部材７３１及び軸支持部７３２等の負担を軽減できるので、軸状部材７３１及び軸支持部７３２等の耐久性を向上できる。
【０３３１】
また、軸状部材７３１及び軸支持部７３２で遊技盤３３０が片持ち支持される場合には、下部材７１１に対して軸支持部７３２にこじり方向の力が作用するので、遊技盤支持部材７１０に対して軸支持部７３２がスムーズに移動できなくなることがある。これに対して遊技盤３３０の鉛直荷重を間隔保持部７１４及び立設部７１５（遊技盤スライド支持部）が受けることで、軸支持部７３２による下部材７１１に対するこじり方向の力を抑制できる。その結果、遊技盤支持部材７１０に対する軸支持部７３２のスムーズな移動を確保できる。
【０３３２】
なお、下部材７１１及び上部材７２１の左右他方側（図３７左側）に配設固定されたストッパ（図示せず）により軸支持部７３２の左右他方側への移動を規制すると共に、遊技盤３３０に設けられた取手部２６０（図２２参照）を、内枠４に設けられた取手係止部２７０に係止する。これにより、内枠４、前扉５及び遊技盤３３０を、平面視して三角形のトラス状に固定できる。トラス状の構造とすることで外力に対する抵抗力を大きくできるので、遊技盤３３０のメンテナンスを行うときに遊技盤３３０が変位することを防止でき、メンテナンス作業の安定性を向上できる。
【０３３３】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、遊技盤支持部材５０，１５０，１６０，１７０，１９０，２１０，３１０，４１０，５１１，６２１，７１０の形状等は適宜設定することが可能である。
【０３３４】
上記実施の形態では、遊技機の代表例としてパチンコ機１について説明したが、必ずしもこれに限られるものではなく、雀球遊技機、アレンジボール機等の弾球遊技機に適用することは可能である。
【０３３５】
上記実施の形態では、遊技盤４０，１４０，１８０，２３０，３３０，４３０，４４０，５２０，６２０を収容する機能を有する内枠４を用いて背面ユニットを説明したが、必ずしもこれに限られるものではない。背面ユニットは遊技盤４０，１４０，１８０，２３０，３３０，４３０，４４０，５２０，６２０を収容する機能を有している必要はなく、少なくとも遊技球の払出装置が取り付けられていれば良い。
【０３３６】
上記第１実施の形態では、遊技盤支持部材５０が下部突設部４４，４５を下から支えて遊技盤４０を左右方向にスライドさせる場合について説明したが、必ずしもこれに限られるものではなく、上部突設部４６を下から支えるように遊技盤支持部材を構成して、遊技盤４０を左右方向にスライドさせるようにすることは可能である。
【０３３７】
上記第１実施の形態では、下部突設部４４，４５、上部突設部４６が左右方向に連続する一連の部材により構成される場合について説明したが、必ずしもこれに限られるものではない。例えば、遊技盤支持部材５０と摺動する下部突設部４４，４５の底面に、摩擦抵抗を軽減するため、左右方向（横方向）のスリット状の切れ込みを設けることは可能である。また、これとは異なり、下部突設部４４，４５の底面に前後方向のスリット状の切れ込みを設けることは可能である。遊技盤支持部材５０との摩擦抵抗を調整することができる。
【０３３８】
また、互いに摺動する下部突設部４４，４５、上部突設部４６と遊技盤支持部材５０との間に、コロやローラ等の転動部材を設けることは当然可能である。これにより、遊技盤支持部材５０に対して遊技盤４０をスライド移動させるときの横方向荷重を小さくでき、遊技施設の作業者の負担を軽減できる。
【０３３９】
上記第１実施の形態では、前扉５の背面に、遊技盤支持部材５０の回動先端側の上下方向に突設された縦板５９を受け入れる縦溝部７２を設ける場合について説明したが、必ずしもこれに限られるものではなく、縦溝部７２に代えて、上下方向に沿う突条を設けることは当然可能である。前扉５の背面に突条を設けた場合も、縦板５９と重なり合うように突条を配置することで、縦溝部７２を設ける場合と同様に、不正行為の防止効果を実現できる。
【０３４０】
上記第３実施の形態では説明を省略したが、遊技盤支持部材１６０（図１４参照）において、回動先端側に位置する側板１５２の前方に、鉤部６０（６０ａ〜６０ｃ）を省略した縦板５９（図１３参照）を配置することは当然可能である。遊技盤支持部材１６０の回動先端側に縦板５９を設け、前扉５の背面に、縦板５９を受け入れる縦溝部７２や縦板５９と相対する突条を設けることにより、第１実施の形態と同様に、不正行為の防止効果を実現できる。
【０３４１】
上記第５実施の形態では、上下に分かれた一対の部材により遊技盤支持部材１９０（図１６参照）が構成される場合について説明したが、必ずしもこれに限られるものではなく、上下に分かれた一対の部材を連結するようにして遊技盤支持部材１９０を一体化することは当然可能である。例えば、遊技盤１８０の側縁４０ａに沿って上下方向に延びる連結部を設け、その連結部によって、遊技盤支持部材１９０の基部１９１、側板１９３，１９４の回動基端側の端面と、基部１９５、側板１９７，１９８の回動基端側の端面とを連結するもの（正面視してコ字状に形成されるもの）を挙げることができる。連結部により上下を連結することによって、遊技盤１８０の支持を強固にできる。
【０３４２】
また、遊技盤１８０の側縁４０ａに沿って上下方向に延びる縦部材を設け、その縦部材と、遊技盤支持部材１９０の基部１９５、側板１９７，１９８の回動基端側の端面とを連結するもの（正面視してＬ字状に形成されるもの）を挙げることができる。この場合は、遊技盤１８０の側縁４０ａに縦部材をネジ等で固定して、遊技盤支持部材１９０の一方（基部１９１、側板１９３，１９４）を省略することができる。この場合も、縦部材に遊技盤１８０の側縁４０ａを固定することにより、遊技盤１８０の支持を強固にできる。
【０３４３】
また、遊技盤１８０の側縁４０ａに沿って上下方向に延びる縦部材を設け、その縦部材と、遊技盤支持部材１９０の基部１９１、側板１９３，１９４の回動基端側の端面とを連結するもの（正面視して逆Ｌ字状に形成されるもの）を挙げることができる。この場合は、遊技盤１８０の側縁４０ａに縦部材をネジ等で固定して、遊技盤支持部材１９０の一方（基部１９５、側板１９６，１９７）を省略することができる。この場合も、縦部材に遊技盤１８０の側縁４０ａを固定することにより、遊技盤１８０の支持を強固にできる。
【０３４４】
上記第６実施の形態では、遊技盤支持部材２１０に設けられた被係合部２１６，２２６が孔部であり、その孔部に軸部２４４が挿入されて被係合部２１６，２２６に係合する場合について説明したが、必ずしもこれに限られるものではない。これと反対に、遊技盤支持部材２１０に突起状の被係合部を設け、その被係合部と係合可能な凹部や孔部（係合部）を遊技盤２３０に設けることは当然可能である。これは第８実施の形態でも同様である。
【０３４５】
また、上記第６実施の形態において、被係合部２１６，２２６及び軸部２４４を設けないようにすることは当然可能である。被係合部２１６，２２６及び軸部２４４を設けない場合も、スペーサ２４５を中心に遊技盤１８０を回動させることが可能だからである。これは第８実施の形態でも同様である。
【０３４６】
上記第６実施の形態および第８実施の形態では、取手部２６０が遊技盤２３０，４３０の盤面（前面）に突設される場合について説明したが、必ずしもこれに限られるものではなく、遊技盤２３０，４３０の背面や端面に設けることは当然可能である。
【０３４７】
また、上記実施の形態では説明を省略したが、第７実施の形態において、遊技盤３３０の左右他方側に取手部２６０を設けることは当然可能である。この場合も、取手部２６０に手の指を掛けて遊技盤３３０をスライド移動させることができ、内枠４に設けられた取手係止部２７０に取手部２６０を係止させることで、遊技盤３３０を内枠４及び前扉２０５に安定して支持させることが可能となる。
【０３４８】
上記第６実施の形態および第８実施の形態では、ロック装置２４０，４４０に段差部２４２及び壁部２４３を設ける場合について説明したが、必ずしもこれに限られるものではなく、段差部２４２及び壁部２４３は必須ではない。スペーサ２４５を高さ（上下方向）は変えずに壁部２４３側（左右他方側）に延ばし、スペーサ２４５を平面視して長円状や矩形状とすることは可能である。これにより、被係合部２１６，２２６，４１５，４２５及び軸部２４４を中心にして、遊技盤支持部材２１０，４１０に対して遊技盤２３０,４３０を揺動（回動）することはできなくなる。平面視して長円状や矩形状に形成されたスペーサ２４５により、軸部２４４回りの回動が阻止されるからである。
【０３４９】
しかし、被係合部２１６，２２６，４１５，４２５と軸部２４４とが係合することにより、遊技盤２３０，４３０のそれ以上の移動が規制されるので、遊技盤２３０，４３０のそれ以上の回動軸（ピン３７ｄ）からの離間は規制される。遊技盤２３０，４３０の盤面は露呈され、さらに軸部２４４回りの遊技盤２３０，４３０の回動は規制されるので、遊技盤２３０，４３０の盤面のメンテナンス性を確保できる。
【０３５０】
なお、本実施の形態の場合には、被係合部２１６，２２６，４１５，４２５は前扉５，２０５の左右他方側（図１７（ｂ）及び図２６左側）近くに設けられているので、被係合部２１６，２２６，４１５，４２５と軸部２４４とを係合させることにより、遊技盤２３０，４３０の遊技領域ＰＥの全てを前扉５，２０５に対して露呈させることができる。これにより、前扉５，２０５に邪魔されることなく遊技盤２３０，４３０の遊技領域ＰＥのメンテナンス性を向上できる。
【０３５１】
上記第７実施の形態では、軸状部材３３１の両端にピニオン３３２（軸支持部）が固定される場合について説明したが、これ限られるものではない。必ずしもピニオン３３２を軸状部材３３１の両端に設ける必要はなく、いずれか片方に設けるようにすることは当然可能である。この場合も、遊技盤支持部材３１０の左右方向の任意の位置で遊技盤３３０を遊技盤支持部材３１０に対して回動可能にできる。
【０３５２】
上記第８実施の形態では、遊技盤支持部材４１０の左右方向の２箇所の上下に被係合部４１５（４２５），４１６（４２６）が設けられる場合について説明したが、必ずしもこれに限られるものではなく、被係合部はいずれか一方の上下に設けられていれば良い。被係合部４１５，４２５が設けられている場合には、被係合部の上下方向を回動中心にして遊技盤３３０を回動させることができ、被係合部４１６，４２６が設けられている場合には、遊技盤３３０をスライド移動させて上部金具５４及び下部金具５５から離間させることができる。いずれも遊技盤３３０の盤面のメンテナンス性を向上できるからである。
【０３５３】
上記第９実施の形態では、上側ヒンジ装置５３０が遊技盤支持部材５２１に連結され、その遊技盤支持部材５２１が遊技盤５２０に固着される場合について説明した。また、第１０実施の形態では、遊技盤６２０に係合金具６２１（遊技盤支持部材）が固着され、その係合金具６２１にヒンジ装置６３０の係止片６３７（係止金具６３６）が係合する場合について説明した。しかし、これらに限られるものではなく、上側ヒンジ装置５３０やヒンジ装置６３０により遊技盤支持部材５０，１５０，１６０，１７０，１９０を支持し、その遊技盤支持部材５０，１５０，１６０，１７０，１９０を介して遊技盤を支持するようにすることは当然可能である。
【０３５４】
上記第１１実施の形態では、遊技盤３３０に軸状部材７３１が回転可能に貫設され、その軸状部材７３１に対して回動不能に軸支持部７３２が軸状部材７３１の両端に固定される場合について説明したが、必ずしもこれに限られるものではない。遊技盤３３０に貫設される軸状部材７３１を遊技盤３３０に対して回転不能にし、軸支持部７３２を軸状部材７３１に対して回転可能に固定することは当然可能である。この場合も、第１１実施の形態と同様の作用・効果を実現できる。
【０３５５】
また、上記第１１実施の形態では、遊技盤３３０の上下方向に軸状部材７３１が貫設される場合について説明したが、必ずしもこれに限られるものではない。軸状部材７３１を二つに分けて、一方の軸状部材を遊技盤３３０の上側に設け、他方の軸状部材を遊技盤３３０の下側に設け、それら一方および他方の軸状部材のそれぞれに軸支持部を固定することは当然可能である。この場合も、第１１実施の形態と同様の作用・効果を実現できる。
【０３５６】
上記実施の形態では、遊技盤に設けられた取手部２６０を内枠４に設けられた取手係止部２７０に係止することで、内枠４、前扉５及び遊技盤を、平面視して三角形のトラス状に固定する場合について説明した。しかし、遊技盤を内枠に係止する手段は取手部２６０に限られるものではなく、遊技盤の左右他方側（図１７（ｂ）右側）の所定箇所を、内枠４の左右他方側の所定箇所に係止するようにすることは当然可能である。
【０３５７】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０３５８】
例えば、第６実施の形態で説明した遊技盤支持部材２１０の四角筒状に形成された間隔保持部２１４，２２４や立設部２１５、垂設部２２５を、第１実施の形態から第５実施の形態で説明した遊技盤支持部材５０，１５０，１６０，１７０，１９０の前板（第１前板５２ａ等）や背板（第１背板５３等）と交換することは可能である。これにより遊技盤支持部材５０，１５０，１６０，１７０，１９０の剛性を向上できる。
【０３５９】
また、第６実施の形態から第８実施の形態で説明した遊技盤支持部材２１０，３１０，４１０の下部材２１１，３１１，４１１に、遊技盤の設計にもよるが、第１実施の形態等で説明した開放領域ｈを設けることは可能である。
【０３６０】
以下に、本発明の遊技機に加えて、上記実施形態に含まれる各種発明の概念を示す。
【０３６１】
島設備に固定される矩形枠状の枠部材と、払出装置が取り付けられ前記枠部材に支持される背面ユニットと、その背面ユニットの前面側に配設される前面ユニットとを備える遊技機であって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の左右一方側の上下方向を回動軸として前記前扉の背面側に前記前扉に対して開閉可能に支持されると共に、前記前扉の前方から前記透視窓部を通して盤面が視認される遊技盤とを備えていることを特徴とする遊技機１。
【０３６２】
遊技機１によれば、島設備に矩形枠状の枠部材が固定され、その枠部材に、払出装置が取り付けられた背面ユニットが支持される。その背面ユニットの前面側に、前扉に遊技盤が支持される前面ユニットを備えている。前面ユニットは、背面ユニットの左右一方側の上下方向を回動軸として背面ユニットに対して開閉可能かつ着脱可能に前扉が支持され、その前扉に、前方から後方を視認可能とする透視窓部が設けられる。前扉の左右一方側の上下方向を回動軸として、遊技盤が、前扉の背面側に前扉に対して開閉可能に支持され、遊技盤は、前扉の前面から透視窓部を通して盤面が視認される。これにより背面ユニットに対して、前扉に遊技盤が支持される前面ユニットを交換することができる。
【０３６３】
ここで、従来より、島設備に固定される矩形枠状の外枠（枠部材）に、払出装置が取り付けられた内枠（背面ユニット）を開閉可能に支持させ、その内枠に遊技盤を着脱可能に取り付ける遊技機がある。遊技盤を取り付けた内枠の前面側に、前扉が開閉可能かつ着脱可能に支持されている。従って、遊技施設で所謂盤面換えを行う場合には、前扉を開けて内枠から遊技盤を取り外し、意匠の異なる別の遊技盤に交換することができる。また、内枠から前扉を取り外して、交換した遊技盤に対応した別の前扉に交換することも可能である。
【０３６４】
しかし、遊技盤および前扉は内枠に別々に取り付けられるので、遊技盤および前扉を遊技施設で交換する場合には、内枠に対して遊技盤および前扉を各々交換しなければならなかった。そのため、遊技盤および前扉の交換作業が煩雑であった。
【０３６５】
また、内枠に遊技盤を取り付けるためには、遊技盤を固定するための取付部品を内枠に設ける必要がある。取付部品の取り付け位置が遊技盤ごとに異なる場合には、遊技盤を交換するときに、内枠も、その遊技盤に適した取付部品が設けられたものに交換しなければならなかった。
【０３６６】
特に、遊技盤と前扉とは同じデザインコンセプトで作られることが多いので、遊技盤を交換するときには、前扉もデザインコンセプトの同じものに交換したいという要望が強い。遊技盤と前扉とを交換するときに、内枠も遊技盤に適したものに交換しなければならないのは作業が煩雑であった。また、遊技施設から取り外された内枠が無駄になってしまうという問題があった。
【０３６７】
これに対し遊技機１によれば、前扉に遊技盤が支持される前面ユニットを交換することにより、遊技盤および前扉を交換することができる。よって、遊技盤および前扉の交換作業性を向上できる効果がある。
【０３６８】
また、前扉に遊技盤が支持されるので、遊技盤を内枠に取り付けることを省略できる。そのため、遊技盤を固定するための取付部品を内枠に設ける必要がない。これにより、遊技盤を交換するときに内枠を遊技盤に適したものに交換しなくて良いので、内枠の交換作業を省略できる効果がある。また、遊技施設から内枠を取り外さなくて良いので、遊技施設に設置した内枠を繰り返し使用することができ、内枠が無駄になることを防止できる効果がある。
【０３６９】
また、遊技盤および前扉を併せて遊技施設に納品できるので、遊技盤および前扉の製造工場から遊技施設に搬送するときの搬送作業性を向上できる効果がある。
【０３７０】
遊技機１において、前記前扉の左右一方側の上下方向を回動軸として前記前扉の背面側に開閉可能に支持される遊技盤支持部材を備え、その遊技盤支持部材は、前記遊技盤の少なくとも下縁部の一部を支持する下縁支持部を備えていることを特徴とする遊技機２。
【０３７１】
遊技機２によれば、前面ユニットは、前扉の左右一方側の上下方向を回動軸として前扉の背面側に遊技盤支持部材が開閉可能に支持され、その遊技盤支持部材の下縁支持部に、遊技盤の少なくとも下縁部の一部または全部が支持されている。そのため、遊技盤支持部材は遊技盤の鉛直荷重を支持しつつ回動軸を中心にして開閉できるだけの機械的強度を確保する一方、遊技盤は下縁支持部に支持される程度の機械的強度を確保することで、遊技盤を前扉に対して開閉可能にできる。
【０３７２】
ここで、遊技盤はベニヤ板等の合板で主に形成されているので、遊技盤を前扉に直接取り付けて回動軸を中心に開閉可能にする場合には、合板（遊技盤）を補強する必要がある。そうすると補強が、遊技盤の表示器、役物、装飾等の配置に制約を与えることになる。これに対し、遊技盤の少なくとも下縁部の一部または全部を支持する下縁支持部を備える遊技盤支持部材を介して、前扉に遊技盤を開閉可能に支持する場合には、遊技盤の補強を軽減できるので、遊技機１の奏する効果に加え、遊技盤の表示器、役物、装飾等の配置の自由度が低下することを抑制できる効果がある。
【０３７３】
遊技機２において、前記下縁支持部は、前記遊技盤の盤面の下端部を通り前記遊技盤の遊技領域に向かう遊技球が通過可能な通過領域が形成されていることを特徴とする遊技機３。
【０３７４】
遊技機３によれば、通過領域により、遊技盤の盤面の下端部を通り遊技盤の遊技領域に向かう遊技球の運動が妨げられることを防ぎ、遊技球を遊技領域に到達させることができる。これにより遊技機１の奏する効果に加え、遊技の進行が妨げられることを防止できる効果がある。
【０３７５】
遊技機２又は３において、前記遊技盤支持部材は、前記回動軸が位置する一端側から他端側に向かう左右方向に設けられると共に、他端側から一端側に向かって前記遊技盤をスライド可能に支持する遊技盤スライド支持部を備えていることを特徴とする遊技機４。
【０３７６】
遊技機４によれば、回動軸が位置する一端側から他端側に向かって遊技盤スライド支持部が設けられ、遊技盤は、遊技盤スライド支持部に沿って左右方向に他端側から一端側にスライドされ支持される。これにより、前扉を背面ユニットに取り付け、回動軸を中心に背面ユニットに対して前扉を開いた状態にして、遊技盤スライド支持部に横から遊技盤を支持させることができる。その結果、遊技機２又は３の奏する効果に加え、遊技盤支持部材の上から遊技盤を遊技盤支持部材へ装着する場合と比較して、遊技盤を持ち上げる高さを小さくできるので、遊技盤の交換する作業者の負担を小さくできる効果がある。
【０３７７】
また、遊技盤スライド支持部に沿って遊技盤を横方向にスライド移動させる場合は、遊技盤の鉛直荷重は遊技盤スライド支持部が負担する。よって、遊技盤スライド支持部の左右方向に遊技盤をスライドさせるときに必要な力（横方向荷重）を、遊技盤スライド支持部がない場合の遊技盤の鉛直荷重より小さくできる。これにより、遊技盤支持部材へ遊技盤を装着する作業者の負担を小さくできる効果がある。
【０３７８】
また、遊技盤スライド支持部に沿って遊技盤を回動軸に向かって横方向にスライド移動させる場合、遊技盤をスライドさせるときに必要な力（横方向荷重）は、ほぼ回動軸に向かうので、遊技盤支持部材は回動軸を中心に揺動し難い。そのため、遊技盤支持部材を安定させた状態で遊技盤を遊技盤支持部材に装着できる。よって、遊技盤支持部材に対する遊技盤の装着作業性を向上できる。
【０３７９】
これに対し、遊技盤支持部材の背面から遊技盤を遊技盤支持部材に載せる場合には、遊技盤が遊技盤支持部材に背面側から当たると、背面側から前面側への力（前方向荷重）が遊技盤支持部材に作用する。その結果、遊技盤支持部材は回動軸を中心に前方に向かって揺動してしまうので、遊技盤は遊技盤支持部材に装着し難くなる。
【０３８０】
以上のように遊技機４によれば、遊技機２又は３の奏する効果に加え、遊技盤支持部材へ遊技盤を装着する作業者の負担を小さくできると共に、遊技盤支持部材に対する遊技盤の装着作業性を向上できる効果がある。
【０３８１】
遊技機４において、前記遊技盤および前記遊技盤支持部材は、前記遊技盤の左右一方向のスライドを所定位置に達するまで許容し、前記遊技盤が所定位置に達した後は前記遊技盤の左右他方向のスライドを規制するスライド規制部を備えていることを特徴とする遊技機５。
【０３８２】
遊技機５によれば、遊技盤は、所定位置に達するまでスライド規制部により左右一方向のスライドが許容され、所定位置に達した後はスライド規制部により左右他方向のスライドが規制される。これにより遊技機４の奏する効果に加え、遊技盤支持部材に遊技盤をスムーズに装着できると共に、遊技盤支持部材に装着された遊技盤が左右他方向に移動して意図せずに外れてしまうことを防止できる効果がある。
【０３８３】
遊技機２から５のいずれかにおいて、前記遊技盤支持部材は、前記回動軸寄りに位置し前記背面ユニットに設けられた電気回路と電気的に導通する第１コネクタを備え、前記遊技盤は、その遊技盤に設けられた電気回路と電気的に導通すると共に、前記遊技盤を前記遊技盤支持部材に装着することで前記第１コネクタと接続される第２コネクタを備えていることを特徴とする遊技機６。
【０３８４】
遊技機６によれば、遊技盤支持部材は、遊技盤に設けられた電気回路と電気的に導通する第２コネクタを備え、その第２コネクタは、遊技盤支持部材に遊技盤が装着されることで第１コネクタと接続される。その第１コネクタは回動軸寄りに位置し、背面ユニットに設けられた電気回路と電気的に導通するので、遊技盤支持部材に遊技盤を装着することにより、遊技盤に設けられた電気回路と背面ユニットに設けられた電気回路とを導通させることができる。その結果、遊技機２から５のいずれかの奏する効果に加え、遊技盤に設けられた電気回路と背面ユニットに設けられた電気回路とを導通させるための配線を別途用意することを省略できると共に、配線を接続する作業も省略できる効果がある。
【０３８５】
遊技機１から６のいずれかにおいて、前記背面ユニットは、前記枠部材の左右一方側の上下方向を回動軸として前記枠部材に対して開閉可能に支持されるものであり、前記枠部材に対する前記背面ユニット及び前記前扉の回動軸と、前記前扉に対する前記遊技盤の回動軸とが同一軸線上に位置するように設定されていることを特徴とする遊技機７。
【０３８６】
遊技機７によれば、枠部材に対する背面ユニットの回動軸と、前扉に対する遊技盤の回動軸とが同一軸線上に位置するように設定されているので、遊技機１から６の奏する効果に加え、枠部材に対する背面ユニット及び前扉の開閉と、前扉に対する遊技盤の開閉とを自在に行うことができる効果がある。
【０３８７】
即ち、枠部材に対する背面ユニット及び前扉の回動軸と、前扉に対する遊技盤の回動軸とが同一軸線上に位置しない場合には、前扉に対して遊技盤を開けた状態で、背面ユニットに対して前扉を回動しようとすると、前扉の開度によって遊技盤の回動先端側の軌道が変わるので、遊技盤が背面ユニットにぶつかってしまうことがあるからである。従って、背面ユニットに対して遊技盤を閉じた状態にする場合には、前扉に対して遊技盤を閉じた状態にした後、背面ユニットに対して前扉を閉じなければならず、遊技盤の開閉を自由に行うことができないという問題がある。遊技盤７によれば、これを解決することができ、前扉および遊技盤の開閉を自由に行うことができる。
【０３８８】
遊技機１から７のいずれかにおいて、前記前扉の左右他方側の上下方向に沿って配設され前記背面ユニットに対し前記前扉を施錠する施錠機構と、前記前扉の左右他方側の上下方向に沿って配設され前記前扉に対する前記遊技盤または前記遊技盤支持部材の開放を規制する第１開放規制機構とを備え、その第１開放規制機構は、前記施錠機構と独立して、前記前扉に対する前記遊技盤または前記遊技盤支持部材の開放状態または開放規制状態を切換可能に構成されていることを特徴とする遊技機８。
【０３８９】
遊技機８によれば、前扉の左右他方側の上下方向に沿って配設される施錠機構により背面ユニットに対し前扉が施錠され、前扉の左右他方側の上下方向に沿って配設される第１開放規制機構により前扉に対し遊技盤または遊技盤支持部材の開放が規制される。第１開放規制機構は、施錠機構と独立して、前扉に対する遊技盤または遊技盤支持部材の開放状態または開放規制状態が切換可能に構成されている。そのため、施錠機構を解錠状態にして枠部材に対して前扉を開放状態にして、且つ、前扉に対して遊技盤または遊技盤支持部材を開放状態にしたときには、遊技盤の盤面にアクセス可能な状態にできる。
【０３９０】
これにより、施錠機構を操作しない限り前扉を開放できなくなるので、前扉が不正に開放されることを防止できる。また、遊技盤の遊技領域に遊技球が留まってしまう等の不具合が生じた場合には、遊技施設の係員が、前扉を開放した後に遊技盤の盤面にアクセスして、遊技領域に関する不具合の解消作業を行うことができる。
【０３９１】
一方、施錠機構を解錠状態にして枠部材に対して前扉を開放状態にして、且つ、前扉に対して遊技盤または遊技盤支持部材を開放規制状態にしたときには、遊技盤の盤面へのアクセスはできないが、遊技盤の背面にアクセス可能な状態にできる。これにより、遊技施設の係員が前扉を開放して遊技盤の背面にアクセスするときに、遊技盤の盤面が開放されることを防止して、不正行為者により遊技盤の盤面に対して不正が行われることを抑制できる。以上のように遊技機８によれば、遊技機１から７の奏する効果に加え、第１開放規制機構により、遊技盤の盤面または背面のいずれにアクセス可能な状態とするかを切り換えることができる効果がある。
【０３９２】
遊技機８において、前記第１開放規制機構は、前記施錠機構を施錠して前記背面ユニットに対して前記前扉の開放を規制したときに操作不能とする一方、前記施錠機構を解錠して前記背面ユニットに対して前記前扉を開放したときに操作可能となる第１操作部を備え、その第１操作部が操作されることにより前記遊技盤または前記遊技盤支持部材が前記開放規制状態から前記開放状態に切り換えられることを特徴とする遊技機９。
【０３９３】
遊技機９によれば、第１開放規制機構は、施錠機構を施錠して背面ユニットに対して前扉の開放を規制したときに操作不能とされる第１操作部を備え、その第１操作部は、施錠機構を解錠して背面ユニットに対して前扉を開放したときに操作可能となる。遊技盤または遊技盤支持部材は、第１操作部が操作されることにより開放規制状態から開放状態に切り換えられる。施錠機構が施錠され背面ユニットに対して前扉の開放が規制されている限り、前扉に対する遊技盤または遊技盤支持部材の開放を規制できるので、遊技機８の奏する効果に加え、前扉に対して遊技盤または遊技盤支持部材の開放を規制する施錠機構を省略できる効果がある。
【０３９４】
遊技機１から７のいずれかにおいて、前記前扉の左右他方側の上下方向に沿って配設され前記背面ユニットに対し前記前扉を施錠する施錠機構と、前記背面ユニットに対する前記遊技盤または前記遊技盤支持部材の開放を規制する第２開放規制機構とを備え、その第２開放規制機構は、前記施錠機構と独立して、前記背面ユニットに対する前記遊技盤または前記遊技盤支持部材の開放状態または開放規制状態を切換可能に構成されていることを特徴とする遊技機１０。
【０３９５】
遊技機１０によれば、前扉の左右他方側の上下方向に沿って配設される施錠機構により背面ユニットに対し前扉が施錠され、第２開放規制機構により背面ユニットに対し遊技盤または遊技盤支持部材の開放が規制される。第２開放規制機構は、施錠機構と独立して、背面ユニットに対する遊技盤または遊技盤支持部材の開放状態または開放規制状態が切換可能に構成されている。そのため、施錠機構を解錠状態にして背面ユニットに対して前扉を開放状態にして、且つ、遊技盤または遊技盤支持部材を背面ユニットに対して開放規制状態にしたときには、遊技盤の盤面にアクセス可能な状態にできる。
【０３９６】
これにより施錠機構を操作しない限り前扉を開放できなくなるので、前扉が不正に開放されることを防止できる。また、遊技盤の遊技領域に遊技球が留まってしまう等の不具合が生じた場合には、遊技施設の係員が、前扉を開放した後に遊技盤の盤面にアクセスして、遊技領域に関する不具合の解消作業を行うことができる。
【０３９７】
一方、施錠機構を解錠状態にして背面ユニットに対して前扉を開放状態にして、且つ、背面ユニットに対して遊技盤または遊技盤支持部材を開放状態にしたときには、遊技盤の背面にアクセス可能な状態にできる。これにより、遊技施設の係員は、前扉を開放した後に遊技盤の背面や背面ユニットにアクセスして、不具合の解消作業等を行うことができる。以上のように遊技機１０によれば、遊技機１から７の奏する効果に加え、第２開放規制機構により、遊技盤の盤面または背面のいずれにアクセス可能な状態とするかを切り換えることができる効果がある。
【０３９８】
遊技機１０において、前記第２開放規制機構は、前記施錠機構を施錠して前記背面ユニットに対して前記前扉の開放を規制したときに操作不能とする一方、前記施錠機構を解錠して前記背面ユニットに対して前記前扉を開放したときに操作可能となる第２操作部を備え、その第２操作部が操作されることにより前記遊技盤または前記遊技盤支持部材が前記開放規制状態から前記開放状態に切り換えられることを特徴とする遊技機１１。
【０３９９】
遊技機１１によれば、第２開放規制機構は、施錠機構を施錠して背面ユニットに対して前扉の開放を規制したときに操作不能とされる第２操作部を備え、その第２操作部は、施錠機構を解錠して背面ユニットに対して前扉を開放したときに操作可能となる。遊技盤または遊技盤支持部材は、第２操作部が操作されることにより開放規制状態から開放状態に切り換えられる。施錠機構が施錠され背面ユニットに対して前扉の開放が規制されている限り、背面ユニットに対する遊技盤または遊技盤支持部材の開放を規制できるので、遊技機１０の奏する効果に加え、背面ユニットに対して遊技盤または遊技盤支持部材の開放を規制する施錠機構を省略できる効果がある。
【０４００】
島設備に固定される矩形枠状の枠部材と、払出装置が取り付けられ前記枠部材に支持される背面ユニットと、その背面ユニットの前面側に配設される前面ユニットとを備える遊技機であって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の背面側に前記前扉に対して支持されると共に前記前扉の前方から前記透視窓部を通して盤面が視認されるように前記回動軸側に一側縁部が配設される遊技盤と、前記回動軸を中心に前記背面ユニットに対して前記前扉が開放されたときに前記遊技盤の一側縁部を前記回動軸から離間可能に構成される離間手段と、その離間手段により一側縁部が所定の距離だけ離間された位置で前記遊技盤の前記回動軸からの離間を規制する離間規制手段とを備えていることを特徴とする遊技機１２。
【０４０１】
遊技機１２によれば、島設備に矩形枠状の枠部材が固定され、その枠部材に、払出装置が取り付けられた背面ユニットが支持される。その背面ユニットの前面側に、前扉に遊技盤が支持される前面ユニットを備えている。前面ユニットは、背面ユニットの左右一方側の上下方向を回動軸として背面ユニットに対して開閉可能かつ着脱可能に前扉が支持され、その前扉に、前方から後方を視認可能とする透視窓部が設けられる。これにより、前扉に遊技盤が支持される前面ユニットを背面ユニットに対して交換可能にできる。よって、遊技施設において遊技盤および前扉を交換するときの交換作業性を向上できる。
【０４０２】
また、回動軸を中心に背面ユニットに対して前扉が開放されたときに、離間手段により遊技盤の一側縁部が回動軸から離間され、一側縁部が所定の距離だけ離間された位置で遊技盤の回動軸からの離間が離間規制手段により規制される。
【０４０３】
その結果、離間手段により前扉の背面に沿って遊技盤の一側縁部を回動軸から離間する場合には、回動軸から離間された分だけ遊技盤の盤面の少なくとも一部を前扉から露呈できる。よって、遊技盤の盤面のメンテナンスを行い易くすることができ、盤面のメンテナンス性を確保できる。
【０４０４】
さらに、遊技盤の一側縁部側を中心に遊技盤に対して前扉を相対的に開放する場合には、遊技盤の一側縁部側の盤面をメンテナンスし易くできる。これにより、遊技盤の盤面のうち、前扉に邪魔されてメンテナンスを行い難い一側縁部側のメンテナンス性を向上できる。
【０４０５】
遊技機１２において、前記遊技盤は、前記回動軸を中心に前記背面ユニットに対して前記前扉が開放されたときに、前記遊技盤の一側縁部と前記回動軸とが離間するように前記前扉の背面に沿って左右方向にスライド可能に構成され、且つ、前記遊技盤の一側縁部と前記回動軸とが所定の距離だけ離間した位置で前記前扉に対して前記遊技盤の一側縁部側の上下方向を中心に回動可能に構成されていることを特徴とする遊技機１３。
【０４０６】
遊技機１３によれば、遊技盤は、回動軸を中心に背面ユニットに対して前扉が開放されたときに、遊技盤の一側縁部と回動軸とが離間するように前扉の背面に沿って左右方向にスライド可能に構成されている。よって、回動軸の上下方向に亘って遊技盤の一側縁部と回動軸との間隔をあけることができる。さらに、前扉に対して遊技盤の一側縁部側の上下方向を中心に遊技盤を回動することにより、前扉に対して遊技盤の盤面を開放できる。従って、遊技機１２の奏する効果に加え、回動軸の上下方向に亘って遊技盤の一側縁部側のメンテナンス性を向上できる効果がある。
【０４０７】
遊技機１３において、前記離間規制手段は、前記遊技盤の一側縁部側の上下にそれぞれ設けられる係合部を備え、前記離間手段は、前記前扉の背面側の上下に配設されると共に左右方向に延び前記遊技盤を左右方向にスライド可能に支持する遊技盤スライド支持部を備え、その遊技盤スライド支持部は、前記遊技盤の一側縁部と前記回動軸とが所定の距離だけ離間したときに前記遊技盤に設けられた係合部と係合し前記遊技盤スライド支持部に対して前記遊技盤を回動可能に支持する被係合部を備えていることを特徴とする遊技機１４。
【０４０８】
遊技機１４によれば、前扉の背面側の上下に配設されると共に左右方向に延びる離間手段としての遊技盤スライド支持部により、遊技盤が左右方向にスライド可能に支持される。遊技盤スライド支持部に支持された遊技盤の一側縁部と回動軸とが所定の距離だけ離間したときに、遊技盤の一側縁部側の上下にそれぞれ設けられる離間規制手段としての係合部は、遊技盤スライド支持部の被係合部と係合する。これにより、遊技盤の一側縁部と回動軸とが所定の距離だけ離間した状態で、遊技盤スライド支持部に対して遊技盤が回動可能に支持される。遊技盤に係合部を設けると共に、その係合部が係合可能な被係合部を遊技盤スライド支持部に設ける構造なので、遊技機１３の奏する効果に加え、前面ユニットの構造を簡素化できる効果がある。
【０４０９】
島設備に固定される矩形枠状の枠部材と、払出装置が取り付けられ前記枠部材に支持される背面ユニットと、その背面ユニットの前面側に配設される前面ユニットとを備える遊技機であって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の背面側に前記前扉に対して支持されると共に前記前扉の前方から前記透視窓部を通して盤面が視認されるように前記回動軸側に一側縁部が配設される遊技盤とを備え、その遊技盤は、一側縁部側の上下に設けられる軸状部材と、その軸状部材の少なくとも上端側または下端側に固定されると共に前記遊技盤に対して相対的に回動可能に構成される軸支持部とを備え、前記前扉は、背面側に配設されると共に前記軸支持部を前記回動軸から離間する方向に移動可能に支持する離間支持部を備え、その離間支持部は、前記回動軸を中心に前記背面ユニットに対して前記前扉が開放されたときに、前記軸状部材を中心に前記軸支持部に対して前記遊技盤を相対的に回動可能に支持することを備えていることを特徴とする遊技機１５。
【０４１０】
遊技機１５によれば、島設備に矩形枠状の枠部材が固定され、その枠部材に、払出装置が取り付けられた背面ユニットが支持される。その背面ユニットの前面側に、前扉に遊技盤が支持される前面ユニットを備えている。前面ユニットは、背面ユニットの左右一方側の上下方向を回動軸として背面ユニットに対して開閉可能かつ着脱可能に前扉が支持され、その前扉に、前方から後方を視認可能とする透視窓部が設けられる。これにより、前扉に遊技盤が支持される前面ユニットを背面ユニットに対して交換可能にできるので、遊技施設において遊技盤および前扉を交換するときの交換作業性を向上できる。
【０４１１】
また、遊技盤の一側縁部側の上下に軸状部材が設けられ、その軸状部材の少なくとも上端側または下端側に軸支持部が固定される。その軸支持部は、遊技盤に対して相対的に回動可能に構成されると共に、前扉の背面側に配設される離間支持部により回動軸と離間する方向に移動可能に支持される。回動軸を中心に背面ユニットに対して前扉が開放されたときに、離間支持部により、軸状部材を中心に軸支持部に対して遊技盤が相対的に回動可能に支持される。その結果、離間支持部の任意の位置で、軸支持部に対して遊技盤を相対的に回動することで遊技盤の盤面を開放できるので、遊技領域に関する不具合の解消作業を容易に行うことができる。
【０４１２】
即ち、遊技盤の遊技領域に遊技球が留まってしまう等の不具合が生じた場合には、遊技施設の係員が、前扉を開放した後、離間支持部の任意の位置で軸支持部に対して遊技盤を相対的に回動することで遊技盤の盤面を開放できる。離間支持部の任意の位置で遊技盤の盤面にアクセス可能にできるので、遊技領域に関する不具合の解消作業性を向上できる効果がある。
【０４１３】
さらに、離間支持部に支持された軸支持部に対して、遊技盤の一側縁部側に設けられた軸状部材を中心に遊技盤が相対的に回動可能にされるので、遊技盤の盤面をメンテナンスし易くできる。よって、遊技盤の盤面のうち、前扉に邪魔されてメンテナンスを行い難い一側縁部側のメンテナンス性を向上できる効果がある。
【０４１４】
遊技機１５において、前記前扉は、背面側に配設されると共に左右方向に延び前記遊技盤の鉛直荷重を支持しつつ前記遊技盤を左右方向にスライド可能に支持する遊技盤スライド支持部を備えていることを特徴とする遊技機１６。
【０４１５】
遊技機１６によれば、前扉の背面側に配設された遊技盤スライド支持部により遊技盤の鉛直荷重が支持されるので、軸支持部により離間支持部に作用する鉛直荷重を軽減できる。これにより、遊技盤をスライド移動させるときの軸支持部および離間支持部の負荷を軽減できるので、遊技機１５の奏する効果に加え、軸支持部および離間支持部の耐久性を向上できる効果がある。
【０４１６】
遊技機１５又は１６において、前記軸支持部はピニオンを備え、そのピニオンと係合可能に構成されると共に前記離間支持部に沿って前記前扉の背面側に配設されるラックを備えていることを特徴とする遊技機１７。
【０４１７】
遊技機１７によれば、軸状部材に固定されるピニオンと係合可能に構成されるラックが離間支持部に沿って前扉の背面側に配設されるので、遊技機１５又は１６の奏する効果に加え、遊技盤を離間支持部に沿ってスムーズに移動できる効果がある。
【０４１８】
遊技機１７において、前記軸状部材は、前記遊技盤の一側縁部側の上下方向に貫設されると共に前記遊技盤に対して回転可能に構成され、前記ピニオンは、前記軸状部材の両端に前記軸状部材と相対回転不能に固定されることを特徴とする遊技機１８。
【０４１９】
遊技機１８によれば、遊技盤の一側縁部側の上下方向に軸状部材が貫設され、その軸状部材の両端に、軸状部材と相対回転不能にピニオンが固定されているので、上下のピニオンの移動量を同期させることができる。その結果、遊技機１７の奏する効果に加え、遊技盤のどの部分を操作してもスライド移動を円滑かつ確実に行うことができる効果がある。
【０４２０】
遊技機１２から１８のいずれかにおいて、前記遊技盤は、前記背面ユニットに対して前記前扉が開放されたときに、前記前扉の左右他方側に前記遊技盤の一側縁部側が支持され、且つ、前記背面ユニットの左右他方側に前記遊技盤の他側縁部側が支持されることで前記背面ユニット及び前記前扉に固定されることを特徴とする遊技機１９。
【０４２１】
遊技機１９によれば、背面ユニットに対して前扉が開放されたときに、前扉の左右他方側に遊技盤の一側縁部側が支持され、且つ、背面ユニットの左右他方側に遊技盤の他側縁部側が支持されることで、遊技盤は背面ユニット及び前扉に固定される。これにより、背面ユニット、前扉および遊技盤を平面視して三角形のトラス状の構造にできる。トラス状の構造とすることで外力に対する抵抗力を大きくできるので、遊技機１２から１８のいずれかの効果に加え、遊技盤のメンテナンスを行うときに遊技盤が変位することを防止でき、メンテナンス作業の安定性を向上できる効果がある。
【０４２２】
島設備に固定される矩形枠状の枠部材と、払出装置が取り付けられ前記枠部材に支持される背面ユニットと、その背面ユニットの前面側に配設される前面ユニットとを備える遊技機であって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の左右一方側の上下方向を回動軸として前記前扉の背面側に前記前扉に対して一側縁部側を中心に開閉可能に支持されると共に、前記前扉の前方から前記透視窓部を通して盤面が視認される遊技盤とを備え、その遊技盤は、前記回動軸を中心に前記背面ユニットに対して前記前扉が開放されたときに、前記回動軸に対して所定の距離だけ前記一側縁部が離間した状態または前記回動軸に対して所定の角度だけ前記一側縁部が傾倒した状態に維持可能に構成されていることを特徴とする遊技機２０。
【０４２３】
遊技機２０によれば、島設備に矩形枠状の枠部材が固定され、その枠部材に、払出装置が取り付けられた背面ユニットが支持される。その背面ユニットの前面側に、前扉に遊技盤が支持される前面ユニットを備えている。前面ユニットは、背面ユニットの左右一方側の上下方向を回動軸として背面ユニットに対して開閉可能かつ着脱可能に前扉が支持され、その前扉に、前方から後方を視認可能とする透視窓部が設けられる。これにより、前扉に遊技盤が支持される前面ユニットを背面ユニットに対して交換可能にできるので、遊技施設において遊技盤および前扉を交換するときの交換作業性を向上できる。
【０４２４】
また、回動軸を中心に背面ユニットに対して前扉が開放されたときに、遊技盤の一側縁部を回動軸から所定の距離だけ離間した状態または回動軸に対して所定の角度だけ一側縁部を傾倒した状態に維持できる。これにより一側縁部側の遊技盤の盤面をメンテナンスし易くできる。よって、遊技盤の盤面のうち、前扉に邪魔されてメンテナンスを行い難い一側縁部側のメンテナンス性を向上できる効果がある。
【０４２５】
遊技機２０において、前記前面ユニットは、前記前扉の左右一方側の上下方向を回動軸として前記前扉の背面側に前記前扉に対して開閉可能に支持される遊技盤支持部材を備え、その遊技盤支持部材は、前記遊技盤を左右方向にスライド可能に支持する遊技盤スライド支持部を備え、その遊技盤スライド支持部は、前記遊技盤の一側縁部と前記回動軸とが所定の距離だけ離間したときに前記遊技盤の所定部と係合して前記遊技盤スライド支持部に対する前記遊技盤のスライド移動を規制する移動規制部を備えていることを特徴とする遊技機２１。
【０４２６】
遊技機２１によれば、前扉の左右一方側の上下方向を回動軸として前扉の背面側に遊技盤支持部材が前扉に対して開閉可能に支持される。その遊技盤支持部材の遊技盤スライド支持部により遊技盤が左右方向にスライド可能に支持されるので、前扉に対して遊技盤支持部材を回動することにより、前扉に対して遊技盤の盤面を開放できる。さらに、遊技盤の一側縁部と回動軸とが所定の距離だけ離間したときに、遊技盤の所定部と移動規制部とが係合して遊技盤スライド支持部に対する遊技盤のスライド移動が規制される。これにより遊技機２０の奏する効果に加え、回動軸の上下方向に亘って遊技盤の一側縁部側のメンテナンス性を向上できる効果がある。
【０４２７】
遊技機２０において、前記前扉の左右一方側と前記遊技盤の一側縁部側とを連結すると共に前記前扉に対して前記遊技盤を回動可能に支持するヒンジ装置を備え、そのヒンジ装置は、回動中心回りの半径方向に伸縮可能に構成されていることを特徴とする遊技機２２。
【０４２８】
遊技機２２によれば、前扉の左右一方側と遊技盤の一側縁部側とがヒンジ装置により連結され、そのヒンジ装置により前扉に対して遊技盤が回動可能に支持される。ヒンジ装置は、回動中心回りの半径方向に伸縮可能に構成される。従って、ヒンジ装置を伸長することにより前扉の左右一方側（回動軸側）と遊技盤の一側縁部との間隔を大きくできる。その結果、遊技機２０の奏する効果に加え、遊技盤の一側縁部側の盤面のメンテナンス性を向上できる効果がある。
【符号の説明】
【０４２９】
１                          パチンコ機（遊技機）
２                          外枠（枠部材）
４                          内枠（背面ユニット）
５，２０５，５１０，６１０  前扉
８                          ガラス（透視窓部）
３７ｄ                      ピン（回動軸）
２００，４００，５００，６００  前面ユニット
２３０，４３０，５２０，６２０  遊技盤
２１１，４１１              下部材（離間手段、遊技盤スライド支持部の一部）
２２１，４２１              上部材（離間手段、遊技盤スライド支持部の一部）
２１６，２２６，４１５，４１６，４２５，４２６  被係合部（離間規制手段の一部）
２４４                      軸部（離間規制手段の一部、係合部）
５３０                      上側ヒンジ装置（離間手段、離間規制手段）
６３０                      ヒンジ装置（離間手段、離間規制手段）
【図１】
2014008291.tif 000003
【図２】
2014008291.tif 000004
【図３】
2014008291.tif 000005
【図４】
2014008291.tif 000006
【図５】
2014008291.tif 000007
【図６】
2014008291.tif 000008
【図７】
2014008291.tif 000009
【図８】
2014008291.tif 000010
【図９】
2014008291.tif 000011
【図１０】
2014008291.tif 000012
【図１１】
2014008291.tif 000013
【図１２】
2014008291.tif 000014
【図１３】
2014008291.tif 000015
【図１４】
2014008291.tif 000016
【図１５】
2014008291.tif 000017
【図１６】
2014008291.tif 000018
【図１７】
2014008291.tif 000019
【図１８】
2014008291.tif 000020
【図１９】
2014008291.tif 000021
【図２０】
2014008291.tif 000022
【図２１】
2014008291.tif 000023
【図２２】
2014008291.tif 000024
【図２３】
2014008291.tif 000025
【図２４】
2014008291.tif 000026
【図２５】
2014008291.tif 000027
【図２６】
2014008291.tif 000028
【図２７】
2014008291.tif 000029
【図２８】
2014008291.tif 000030
【図２９】
2014008291.tif 000031
【図３０】
2014008291.tif 000032
【図３１】
2014008291.tif 000033
【図３２】
2014008291.tif 000034
【図３３】
2014008291.tif 000035
【図３４】
2014008291.tif 000036
【図３５】
2014008291.tif 000037
【図３６】
2014008291.tif 000038
【図３７】
2014008291.tif 000039